(57)【要約】【課題】  所望の特徴を含む映像を迅速に編集する。【解決手段】  ディスク情報ツリー表示プログラム１７６は、音声を含む映像を表示するための映像コンテンツデータに関係し、映像の特徴を示す電子マークデータが設定されているクリップメタデータを基に、映像コンテンツデータが記録されている光ディスク、映像コンテンツデータ、およびエッセンスマークデータからなる階層を示す画像を表示させる。サムネイル／リスト表示プログラム１７７は、サムネイル表示部３３４に、階層の代表画を表示させる。映像表示プログラム１７２は、映像コンテンツデータを基に、映像を表示させる。タイトル設定プログラム１７４は、選択されている階層にテキストデータを設定する。本発明の映像編集装置は、取材用端末装置に適用できる。【選択図】  図３
2004319077.tif 000002
【特許請求の範囲】
【請求項１】
音声を含む映像を表示するための映像コンテンツデータに関係するメタデータであって、前記映像の特徴を示す電子マークデータが設定されているメタデータを基に、前記映像コンテンツデータが記録されているコンテンツ記録媒体、前記映像コンテンツデータ、および前記電子マークデータからなる階層を示す画像の表示を制御する第１の表示制御手段と、
前記階層の代表画の表示を制御する第２の表示制御手段と、
前記映像コンテンツデータを基に、前記映像の表示を制御する第３の表示制御手段と、
選択されている前記階層にテキストデータを設定する設定手段と
を含むことを特徴とする映像編集装置。
【請求項２】
前記メタデータを基に、前記第３の表示制御手段によって、表示が制御されている前記映像に関係する情報の表示を制御する第４の表示制御手段をさらに含む
ことを特徴とする請求項１に記載の映像編集装置。
【請求項３】
前記第４の表示制御手段は、前記映像に関係する前記情報として、前記電子マークデータが示す特徴を有する前記映像の時間的位置の表示を制御する
ことを特徴とする請求項２に記載の映像編集装置。
【請求項４】
前記第４の表示制御手段は、選択されている前記階層における前記映像であって、前記第３の表示制御手段によって、表示するように表示が制御されている前記映像に関係する情報の表示を制御し、
選択されている前記階層における前記映像を編集する編集手段をさらに含む
ことを特徴とする請求項２に記載の映像編集装置。
【請求項５】
音声を含む映像を表示するための映像コンテンツデータに関係するメタデータであって、前記映像の特徴を示す電子マークデータが設定されているメタデータを基に、前記映像コンテンツデータが記録されているコンテンツ記録媒体、前記映像コンテンツデータ、および前記電子マークデータからなる階層を示す画像の表示を制御する第１の表示制御ステップと、
前記階層の代表画の表示を制御する第２の表示制御ステップと、
前記映像コンテンツデータを基に、前記映像の表示を制御する第３の表示制御ステップと、
選択されている前記階層にテキストデータを設定する設定ステップと
を含むことを特徴とする映像編集方法。
【請求項６】
音声を含む映像を表示するための映像コンテンツデータに関係するメタデータであって、前記映像の特徴を示す電子マークデータが設定されているメタデータを基に、前記映像コンテンツデータが記録されているコンテンツ記録媒体、前記映像コンテンツデータ、および前記電子マークデータからなる階層を示す画像の表示を制御する第１の表示制御ステップと、
前記階層の代表画の表示を制御する第２の表示制御ステップと、
前記映像コンテンツデータを基に、前記映像の表示を制御する第３の表示制御ステップと、
選択されている前記階層にテキストデータを設定する設定ステップと
を含むことを特徴とする映像編集処理をコンピュータに実行させるプログラムが記録されている記録媒体。
【請求項７】
音声を含む映像を表示するための映像コンテンツデータに関係するメタデータであって、前記映像の特徴を示す電子マークデータが設定されているメタデータを基に、前記映像コンテンツデータが記録されているコンテンツ記録媒体、前記映像コンテンツデータ、および前記電子マークデータからなる階層を示す画像の表示を制御する第１の表示制御ステップと、
前記階層の代表画の表示を制御する第２の表示制御ステップと、
前記映像コンテンツデータを基に、前記映像の表示を制御する第３の表示制御ステップと、
選択されている前記階層にテキストデータを設定する設定ステップと
をコンピュータに実行させることを特徴とするプログラム。
【発明の詳細な説明】
【技術分野】
【０００１】
本発明は、映像編集装置および方法、記録媒体、並びにプログラムに関し、特に、映像コンテンツデータを管理し、映像の編集を行う映像編集装置および方法、記録媒体、並びにプログラムに関する。
【背景技術】
【０００２】
ハードディスクなどに映像を記録して、記録されている映像を編集する、いわゆるノンリニア編集の技術が広く利用されるようになってきた。
【０００３】
また、コンピュータの制御によつて、記録再生装置に設けられた第１及び第２の記録再生手段の記録動作及び再生動作を制御して一方の記録再生手段に記録されているビデオデータを他方の記録再生手段に記録し、コンピュータのユーザインターフエイス手段を介して指示情報を入力しさえすれば、例えば外部より持ち込まれた第２の記録媒体に記録されているソースビデオデータを編集素材として第１の記録媒体に容易にダビングし得ると共に、編集の結果生成された最終ビデオプログラムのビデオデータを第１の記録媒体から例えば放送時に使用する第２の記録媒体に容易にダビングし得、編集素材のダビング及び最終ビデオプログラムのダビングを効率的に行うことができるようにした編集システムもある（例えば、特許文献１参照）。
【０００４】
【特許文献１】国際公開第９８／２９８７３号パンフレット
【発明の開示】
【発明が解決しようとする課題】
【０００５】
しかしながら、いちいち映像を再生して表示しなければ、映像の編集者は、映像の特徴を知ることはできず、所望の特徴を含むように映像を編集するには、映像を何度も繰り返して再生することが必要であった。その結果、映像の編集には、時間がかかるという問題があった。
【０００６】
本発明はこのような状況に鑑みてなされたものであり、所望の特徴を含む映像を迅速に編集することができるようにすることを目的とする。
【課題を解決するための手段】
【０００７】
本発明の映像編集装置は、音声を含む映像を表示するための映像コンテンツデータに関係するメタデータであって、映像の特徴を示す電子マークデータが設定されているメタデータを基に、映像コンテンツデータが記録されているコンテンツ記録媒体、映像コンテンツデータ、および電子マークデータからなる階層を示す画像の表示を制御する第１の表示制御手段と、階層の代表画の表示を制御する第２の表示制御手段と、映像コンテンツデータを基に、映像の表示を制御する第３の表示制御手段と、選択されている階層にテキストデータを設定する設定手段とを含むことを特徴とする。
【０００８】
映像編集装置は、メタデータを基に、第３の表示制御手段によって、表示が制御されている映像に関係する情報の表示を制御する第４の表示制御手段をさらに設けることができる。
【０００９】
第４の表示制御手段は、映像に関係する情報として、電子マークデータが示す特徴を有する映像の時間的位置の表示を制御するようにすることができる。
【００１０】
第４の表示制御手段は、選択されている階層における映像であって、第３の表示制御手段によって、表示するように表示が制御されている映像に関係する情報の表示を制御するようにし、映像編集装置は、選択されている階層における映像を編集する編集手段をさらに設けることができる。
【００１１】
本発明の映像編集方法は、音声を含む映像を表示するための映像コンテンツデータに関係するメタデータであって、映像の特徴を示す電子マークデータが設定されているメタデータを基に、映像コンテンツデータが記録されているコンテンツ記録媒体、映像コンテンツデータ、および電子マークデータからなる階層を示す画像の表示を制御する第１の表示制御ステップと、階層の代表画の表示を制御する第２の表示制御ステップと、映像コンテンツデータを基に、映像の表示を制御する第３の表示制御ステップと、選択されている階層にテキストデータを設定する設定ステップとを含むことを特徴とする。
【００１２】
本発明の記録媒体のプログラムは、音声を含む映像を表示するための映像コンテンツデータに関係するメタデータであって、映像の特徴を示す電子マークデータが設定されているメタデータを基に、映像コンテンツデータが記録されているコンテンツ記録媒体、映像コンテンツデータ、および電子マークデータからなる階層を示す画像の表示を制御する第１の表示制御ステップと、階層の代表画の表示を制御する第２の表示制御ステップと、映像コンテンツデータを基に、映像の表示を制御する第３の表示制御ステップと、選択されている階層にテキストデータを設定する設定ステップとを含むことを特徴とする。
【００１３】
本発明のプログラムは、コンピュータに、音声を含む映像を表示するための映像コンテンツデータに関係するメタデータであって、映像の特徴を示す電子マークデータが設定されているメタデータを基に、映像コンテンツデータが記録されているコンテンツ記録媒体、映像コンテンツデータ、および電子マークデータからなる階層を示す画像の表示を制御する第１の表示制御ステップと、階層の代表画の表示を制御する第２の表示制御ステップと、映像コンテンツデータを基に、映像の表示を制御する第３の表示制御ステップと、選択されている階層にテキストデータを設定する設定ステップとを実行させることを特徴とする。
【００１４】
本発明の映像編集装置および方法、記録媒体、並びにプログラムにおいては、音声を含む映像を表示するための映像コンテンツデータに関係するメタデータであって、映像の特徴を示す電子マークデータが設定されているメタデータを基に、映像コンテンツデータが記録されているコンテンツ記録媒体、映像コンテンツデータ、および電子マークデータからなる階層を示す画像の表示が制御され、階層の代表画の表示が制御される。そして、映像コンテンツデータを基に、映像の表示が制御され、選択されている階層にテキストデータが設定される。
【発明の効果】
【００１５】
以上のように、本発明によれば、映像を編集することができる。
【００１６】
また、本発明によれば、所望の特徴を含む映像を迅速に編集することができる。
【発明を実施するための最良の形態】
【００１７】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１８】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００１９】
本発明によれば映像編集装置が提供される。この映像編集装置は、音声を含む映像を表示するための映像コンテンツデータに関係するメタデータ（例えば、クリップメタデータ）であって、映像の特徴を示す電子マークデータが設定されているメタデータを基に、映像コンテンツデータが記録されているコンテンツ記録媒体（例えば、光ディスク１７）、映像コンテンツデータ、および電子マークデータからなる階層を示す画像（例えば、ツリー表示部３３２に表示される画像）の表示を制御する第１の表示制御手段（例えば、図３のディスク情報ツリー表示プログラム１７６を実行する図２のＣＰＵ１１１）と、階層の代表画（例えば、サムネイル表示部３３４に表示される代表画）の表示を制御する第２の表示制御手段（例えば、図３のサムネイル／リスト表示プログラム１７７を実行する図２のＣＰＵ１１１）と、映像コンテンツデータを基に、映像の表示を制御する第３の表示制御手段（例えば、図３の映像表示プログラム１７２を実行する図２のＣＰＵ１１１）と、選択されている階層にテキストデータを設定する設定手段（例えば、図３のタイトル設定プログラム１７４を実行する図２のＣＰＵ１１１）とを含むことを特徴とする。
【００２０】
この映像編集装置は、メタデータを基に、第３の表示制御手段によって、表示が制御されている映像に関係する情報（例えば、ディスクのID（IDentifier）、クリップの長さ（Dur:Duration）、およびクリップが撮像された日時（月、日、時、分、および秒））の表示を制御する第４の表示制御手段（例えば、図３の付加情報表示プログラム１７８を実行する図２のＣＰＵ１１１）をさらに設けることができる。
【００２１】
第４の表示制御手段は、映像に関係する情報として、電子マークデータが示す特徴を有する映像の時間的位置（例えば、エッセンスマークが設定されている映像上の時刻を示すタイムカウント（TC:Time Count））の表示を制御するようにすることができる。
【００２２】
第４の表示制御手段は、選択されている階層における映像であって、第３の表示制御手段によって、表示するように表示が制御されている映像に関係する情報の表示を制御するようにし、映像編集装置は、選択されている階層における映像を編集する編集手段（例えば、図３の映像編集プログラム１７３を実行する図２のＣＰＵ１１１）をさらに設けることができる。
【００２３】
本発明によれば映像編集方法が提供される。この映像編集方法は、音声を含む映像を表示するための映像コンテンツデータに関係するメタデータ（例えば、クリップメタデータ）であって、映像の特徴を示す電子マークデータが設定されているメタデータを基に、映像コンテンツデータが記録されているコンテンツ記録媒体（例えば、光ディスク１７）、映像コンテンツデータ、および電子マークデータからなる階層を示す画像（例えば、ツリー表示部３３２に表示される画像）の表示を制御する第１の表示制御ステップ（図１３乃至図１５を参照して説明する処理）と、階層の代表画（例えば、サムネイル表示部３３４に表示される代表画）の表示を制御する第２の表示制御ステップ（図１６および図１７を参照して説明する処理）と、映像コンテンツデータを基に、映像の表示を制御する第３の表示制御ステップ（図１９を参照して説明する処理）と、選択されている階層にテキストデータを設定する設定ステップ（図２７を参照して説明する処理）とを含むことを特徴とする。
【００２４】
本発明によればプログラムが提供される。このプログラムは、音声を含む映像を表示するための映像コンテンツデータに関係するメタデータ（例えば、クリップメタデータ）であって、映像の特徴を示す電子マークデータが設定されているメタデータを基に、映像コンテンツデータが記録されているコンテンツ記録媒体（例えば、光ディスク１７）、映像コンテンツデータ、および電子マークデータからなる階層を示す画像（例えば、ツリー表示部３３２に表示される画像）の表示を制御する第１の表示制御ステップ（図１３乃至図１５を参照して説明する処理）と、階層の代表画（例えば、サムネイル表示部３３４に表示される代表画）の表示を制御する第２の表示制御ステップ（図１６および図１７を参照して説明する処理）と、映像コンテンツデータを基に、映像の表示を制御する第３の表示制御ステップ（図１９を参照して説明する処理）と、選択されている階層にテキストデータを設定する設定ステップ（図２７を参照して説明する処理）とを含むことを特徴とする。
【００２５】
このプログラムは、記録媒体（例えば、図２の磁気ディスク）に記録することができる。
【００２６】
まず、映像プログラム制作支援システムについて説明する。映像プログラム制作支援システムは、例えば、テレビ放送局や、ビデオコンテンツ、または映画等の制作会社などに設けられ、ＴＶ番組、ビデオコンテンツ、または映画などの映像作品である映像プログラムを制作するためのシステムである。映像プログラム制作支援システムは、映像プログラムの制作を分担する複数の部署間で、電子ファイル形式の構成表メタデータを一貫して利用できるようにすることにより、映像プログラムを効率的に作成できる。
【００２７】
ここで、図１に基づいて、本発明に係る映像プログラム制作支援システムの構成について説明する。なお、図１は、本発明に係る映像プログラム制作支援システムの概略的な構成を示すブロック図である。
【００２８】
図１に示すように、本発明に係る映像プログラム制作支援システム１は、例えば、企画用端末装置１１、ネットワーク１２、撮像装置１４およびフィールドＰＣ（Personal Computer）１５などからなる取材用端末装置１３、並びに編集用端末装置１６を含む。
【００２９】
ネットワーク１２は、例えば、企画用端末装置１１、撮像装置１４、フィールドＰＣ１５、および編集用端末装置１６を相互に双方向通信可能に接続する電気通信回線網である。ネットワーク１２は、例えば、ＲＳ−４２２またはＲＳ−２３２Ｃなどの規格に準拠した有線通信回線、ＩＥＥＥ（Institute of Electrical and Electronic Engineers）８０２．１１ａ規格などの規格に準拠した無線通信回線などから構成される。
【００３０】
なお、ネットワーク１２は、かかる例に限定されず、この他にも、例えば、ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網、衛星通信網、イーサネット(登録商標)、ＬＡＮ（Local Area Network）、またはインターネットなどの各種の専用または公衆回線網を利用して構成するようにしてもよい。
【００３１】
また、ネットワーク１２は、更に、相互に、相互にデータ交換を可能にする撮像装置の記録メディア、フラッシュメモリなどから構成されるメディアネットワークを含む構成としてもよい。
【００３２】
ネットワーク１２は、例えば、構成表メタデータ（またはその一部）を、企画用端末装置１１から、撮像装置１４またはフィールドＰＣ１５（即ち、取材用端末装置１３）などに伝送する。また、ネットワーク１２は、例えば、撮像装置１４が記録した映像コンテンツデータや、撮像装置１４およびフィールドＰＣ１５が編集した構成表メタデータなどを、撮像装置１４またはフィールドＰＣ１５から編集用端末装置１６に伝送する。
【００３３】
また、企画用端末装置１１、取材用端末装置１３、および編集用端末装置１６のそれぞれは、例えば、映像プログラムの制作を分担する複数の部署のうち、それぞれ、企画構成部署、取材部署、または編集部署などによって利用される端末装置である。
【００３４】
企画用端末装置１１は、例えば、パーソナルコンピュータなどの情報処理装置およびその周辺装置などで構成されており、企画構成部署に設けられる。この企画構成部署とは、映像プログラムの制作全体を統括する部署であって、制作する映像プログラムの企画および構想を行ってシナリオ（筋書）を作成するとともに、取材部署および編集部署等の他部署に制作作業内容を指示する部署である。
【００３５】
企画用端末装置１１は、例えば、電子ファイル形式の構成表メタデータを映像プログラムごとに作成する（即ち、後述するプログラムメタデータを作成する）機能を有する。また、企画用端末装置１１は、例えば、企画構成部署担当者の入力に基づいて、制作指示情報を生成し、作成したプログラムメタデータの該当する欄に、制作指示情報を書き込む。制作指示情報は、例えば、他の部署に対して映像プログラムの制作内容を指示する情報であり、企画構成部署によって作成されたシナリオに対応するものである。
【００３６】
さらに、企画用端末装置１１は、例えば、制作指示情報を記述したプログラムメタデータを、ネットワーク１２を介して取材用端末装置１３等に送信する。このように、企画用端末装置１１が制作指示情報を含む構成表メタデータ（プログラムメタデータ）を取材用端末装置１３などに提供することにより、企画構成部署は、取材部署などに対して取材または撮影すべき場面や内容を指示することができる。
【００３７】
取材用端末装置１０は、取材部署によって利用される端末装置群であり、例えば、撮像装置１４およびフィールドＰＣ１５から構成される。取材部署は、例えば、企画構成部署による制作指示またはシナリオに従って、制作現場で実際に取材を行う部署であって、映像プログラムを構成する各場面の映像を撮影するとともに、撮影状況およびエッセンスマークなどを補足追加する部署である。
【００３８】
撮像装置１４は、撮像機能付き映像記録装置、すなわち、ビデオカメラ（カムコーダ）である。撮像装置１４は、放送用のニュース番組の画像、スポーツなどの試合の模様の画像、映画などの映像コンテンツを撮像する。
【００３９】
撮像装置１４は、例えば、企画用端末装置１１からネットワーク１２を介してプログラムメタデータを取得する。撮像装置１４は、例えば、取得したプログラムメタデータを所定の表示部に表示して、カメラマン等の撮影スタッフに撮影すべき内容を認識させる。
【００４０】
撮像装置１４は、プログラムメタデータの制作指示情報に基づいて、映像プログラムを構成する各場面を撮影する。撮影処理は、例えば、撮像を複数回繰り返すことによって、進行していく。例えば、撮像装置１４は、ある場面について１または２回以上の撮像を行い、次いで、異なる場面についてさらに１または２回以上の撮像を行う。なお、この撮像は、テイク（クリップ）とも称し、撮像装置１４による１回の記録開始から終了に至るまでの連続した撮影処理をいう。
【００４１】
撮像装置１４は、撮影した映像（音声を含む。以下、同じ。）の映像コンテンツデータを、光ディスク１７等の記録媒体に記録する。映像コンテンツデータは、撮像装置１４によって撮像された画像または取得された音声を表す映像データまたは音声データである。映像コンテンツデータは、映像データおよび音声データの少なくとも一方を含む。映像コンテンツデータは、例えば、ＴＶ番組、映画などの動画像データ、写真や絵画などの静止画像データ、ラジオ番組などの音声データ、或いはこれらの組み合わせなどから構成されるデータである。撮像装置１４は、映像コンテンツデータを光ディスク１７にクリップごとに記録する。即ち、撮像装置１４が、例えば、クリップを２回実行すれば、光ディスク１７に、２つの映像コンテンツデータが記録される。
【００４２】
また、この映像コンテンツデータが記録される光ディスク１７は、例えば、大容量（例えば数十ギガバイト）の映像コンテンツデータを記録可能な大容量・次世代光ディスクなどで構成される。しかし、光ディスク１７は、かかる例に限定されず、例えば、ＤＶＤ（Digital Versatile Disc）−Ｒ（Recordable），ＤＶＤ−ＲＡＭ，またはＣＤ（Compact Disc）−Ｒ等の各種の光ディスクであってもよい。また、撮像装置１４が映像コンテンツデータを記録する記録媒体としては、光ディスク１７の例に限定されず、例えば、ＭＯ（Magneto-Optical disk）等の光磁気ディスク、フレキシブルディスク等の磁気ディスク、デジタルＶＴＲフォーマットのビデオテープ等の磁気テープ、各種の半導体メモリであるＲＡＭ（Random Access Memory）、フラッシュメモリなどであってもよい。
【００４３】
また、撮像装置１４は、例えば、オリジナル映像だけでなく、ローレゾリューション（ｌｏｗ  ｒｅｓｏｌｕｔｉｏｎ：低解像度）映像を光ディスク１７に記録することができる。ここでいうオリジナル映像とは、撮像装置１４が撮像した生の映像コンテンツデータである。このオリジナル映像は、大容量であり、高画質であるので、映像プログラムの完成品に用いられる。一方、ローレゾリューション映像は、オリジナル映像を縮小（圧縮）した映像コンテンツデータである。このローレゾリューション映像は、比較的低画質だが小容量であるので、読み出し転送（送信）が迅速かつ容易であるという利点を有し、主に粗編集段階で用いられる。
【００４４】
撮像装置１４によって映像コンテンツデータが記録された光ディスク１７は、後述する編集部署に搬送されて、映像コンテンツデータの編集に利用される。しかし、かかる搬送にはある程度の時間を要する。このため、例えば、撮像装置１４は、映像コンテンツデータをネットワーク１２を介して編集用端末装置１６に迅速に提供できるように構成されている。
【００４５】
即ち、撮像装置１４は、例えば、ローレゾリューション映像を、ネットワーク１２を介して編集用端末装置１６、企画用端末装置１１、またはフィールドＰＣ１５などに送信することができる。かかるローレゾリューション映像の送信は、撮像装置１４による撮影と略同時並行して行ってもよいし、或いは撮影後に一括して行ってもよい。これにより、編集部署は、搬送された光ディスク１７が到着していなくとも、比較的早い段階で（例えば、撮影と同時並行して）、編集作業を行うことができるので、映像プログラムの制作開始を早めることができる。なお、ローレゾリューション映像がネットワーク１２を介して伝送される場合、撮像装置１４は、例えば、オリジナル映像のみを光ディスク１７に記録するようにしてもよい。
【００４６】
一方、フィールドＰＣ１５は、例えば、ノート型のパーソナルコンピュータまたはＰＤＡ（ｐｅｒｓｏｎａｌ  ｄｉｇｉｔａｌ  ａｓｓｉｓｔａｎｔ）などの携帯可能なコンピュータ及びその周辺装置などで構成される。フィールドＰＣ１５は、撮像装置１４と各種の有線または無線回線などで接続されており、例えば、構成表メタデータや記録した映像コンテンツデータを共有することができる。
【００４７】
フィールドＰＣ１５は、例えば、企画用端末装置１１からネットワーク１２を介してプログラムメタデータを取得することができる。また、フィールドＰＣ１５は、例えば、プログラムメタデータを撮像装置１４から取得することもできる。フィールドＰＣ１５は、例えば、取得したプログラムメタデータを所定の表示部に表示して、取材部署担当者に取材・撮影すべき内容を認識させることができる。
【００４８】
さらに、フィールドＰＣ１５は、例えば、取材部署担当者の入力に基づいて、取材・撮影状況に関する情報である撮影状況情報を生成し、この撮影状況情報を構成表メタデータ内の該当欄に追加することができる。この撮影状況情報は、例えば、クリップごとや取材場所ごとに多様な観点で記載されたテキストデータなどであり、後段の編集時に有用となる情報である。このように、フィールドＰＣ１５は、撮影状況情報を書き込むことにより、構成表メタデータを編集することができる。
【００４９】
撮像装置１４およびフィールドＰＣ１５から構成された取材用端末装置１３は、さらに、例えば、クリップの撮像時における撮像状況に関するメタデータであるクリップメタデータを構成表メタデータの一部として作成することができる。このクリップメタデータについては後に詳説する。
【００５０】
取材用端末装置１３は、例えば、制作指示情報（シナリオ）に対して、映像コンテンツデータおよびクリップメタデータをクリップ単位で関連付ける情報であるクリップ関連付け情報（詳細は後述する。）を生成し、このクリップ関連付け情報を構成表メタデータ（プログラムメタデータ）に追加することができる。これにより、取材用端末装置１３は、例えば、構成表メタデータを用いて、実際の撮影結果である映像素材（即ち、映像コンテンツデータ）等を、企画部署の企画・構想であるシナリオ（即ち、制作指示情報）に対して割り当てることができる。
【００５１】
以上のようにして、取材用端末装置１３は、例えば、取材・撮影状況に応じて各種情報を書き込むことなどにより、構成表メタデータを編集することもできる。
【００５２】
編集用端末装置１６は、例えば、パーソナルコンピュータなどの情報処理装置及びその周辺装置などで構成されており、編集部署に設けられる。この編集部署とは、例えば、企画構成部署による制作指示、シナリオや取材状況を反映した構成表メタデータに基づいて、撮像装置１４が記録した映像コンテンツデータを編集して、映像プログラムを完成させる部署である。
【００５３】
この編集用端末装置１６は、例えば、取材用端末装置１３から、ネットワーク１２を介して構成表メタデータおよびローレゾリューション映像を取得するとともに、光ディスク１７を介してオリジナル映像を取得する。また、編集用端末装置１６は、例えば、企画用端末装置１１から制作指示をネットワーク１２を介して直接受信することもできる。
【００５４】
また、編集用端末装置１６は、構成表メタデータに基づいて、映像コンテンツデータを好適に再生して表示できる。例えば、編集用端末装置１６は、ネットワークを介して受信したローレゾリューション映像や、光ディスク１７に記録されたオリジナル映像を、シナリオに従った順序で連続表示したり、所望のクリップの映像コンテンツデータだけを表示したりできる。なお、オリジナル映像を再生する際には、例えば、光ディスク１７を読み書きできる記録再生装置であるディスク装置などが利用される。
【００５５】
さらに、編集用端末装置１６は、例えば、構成表メタデータに基づいて、必要な映像コンテンツデータを好適な順序で再生して表示できるとともに、かかる映像コンテンツデータの編集処理を支援することができる。この編集処理は、例えば、粗編集処理と本編集処理とからなる。
【００５６】
粗編集処理とは、次のような処理である。まず、クリップごとに記録された複数の映像コンテンツデータの中から、本編集で使用すべき映像コンテンツデータを収集する。さらに、収集された映像コンテンツデータの中から、必要な映像部分を選択（Ｌｏｇｇｉｎｇ）する。次いで、選択された映像部分に対応した編集開始位置（Ｉｎ点）または編集終了位置（Ｏｕｔ点）を例えばタイムコード等によって設定して、映像コンテンツデータの中から必要部分を抽出（切出し）する。
【００５７】
また、本編集処理とは、ローレゾリューション映像を利用した粗編集を経て出来た編集リスト（プログラムメタデータを変換したもの）から映像コンテンツデータのオリジナルデータを繋ぎ合わせ、最終的な画質調整等を施し、番組などで放映するための完全パッケージデータを作成する処理である。
【００５８】
なお、フィールドＰＣ１５において、粗編集処理を実行するようにしてもよい。
【００５９】
以上、映像プログラム制作支援システム１およびその構成要素の概略について説明したが、映像プログラム制作支援システム１は上述した例に限定されるものではない。
【００６０】
例えば、上記企画用端末装置１１、撮像装置１４、フィールドＰＣ１５および編集用端末装置１６などの各装置は、必ずしも１台だけから構成されなくともよく、複数台から構成される場合であっても実施可能である。例えば、複数台の撮像装置１４が撮影した映像コンテンツデータを、光ディスク１７またはネットワーク１２を介して、編集用端末装置１６に提供することも可能である。
【００６１】
また、企画用端末装置１１、撮像装置１４、フィールドＰＣ１５および編集用端末装置１６は、必ずしもハードウェア的に別体に構成されなくともよい。例えば、企画用端末装置１１と編集用端末装置１６は、双方の機能を兼ね備えた同一のハードウェアとして一体構成されてもよい。また、撮像装置１４とフィールドＰＣ１５も、例えば、撮像装置１４にキーボードなどの入力装置を設けるなどして、双方の機能を兼ね備えた同一のハードウェアとして一体構成されてもよい。
【００６２】
また、映像プログラム制作支援システム１は、例えば、企画用端末装置１１、取材用端末装置１３および編集用端末装置１６の間に、センターサーバ（図示せず。）を設けることで、企画用端末装置１１、取材用端末装置１３および編集用端末装置１６をクライアントとした、クライアント／サーバ（Ｃｌｉｅｎｔ／Ｓｅｒｖｅｒ）のネットワークシステムとして構成することも可能である。
【００６３】
ここで、本発明の実施の形態の説明に用いる用語を定義する。
【００６４】
「メタデータ」とは、あるデータに関する上位データであり、各種データの内容を表すためのインデックス（しおり）として機能するデータをいう。具体的には、このメタデータは、例えば、映像プログラムに関する制作指示情報データ、撮影状況情報データおよびクリップ関連付け情報データや、映像コンテンツデータに関する撮影条件情報データおよび電子マークデータなどである。
【００６５】
構成表（プログラムメタデータ）は、図４、および図１１乃至図５９で示されている企画段階および最終番組のシナリオ順の階層となるプログラム階層、エピソード階層、シーン階層、カット階層で構成されている。しかし、取材（撮影）においては、構成表（プログラムメタデータ）は、取材（撮影）の都合で必ずしもシナリオ順とならず図７、および図８で示されるような取材の日時、場所が考慮されてまとめられた取材階層、シーン階層、カット階層のようになる。
【００６６】
取材（撮影）における構成表（プログラムメタデータ）は、説明中のGUI（Graphical User Interface）では示していないが構成表表示で表示メニューに構成表の取材指示表示、シナリオ表示のような設定を設けることにより実現される。
【００６７】
「構成表メタデータ」とは、映像プログラムの制作に必要な撮影素材クリップ毎に単位ファイルで管理されるクリップメタデータ（NRT（ノンリアルタイム）メタデータ）と企画段階のシナリオによって行われる撮影指示情報等を含んだプログラムメタデータからなる。
【００６８】
「プログラムメタデータ」とは、各種のメタデータが表形式で構造化された表データである。具体的には、このプログラムメタデータは、例えば、１つの映像プログラムの内容をその構成要素に分割して、プログラム識別階層、取材階層、シーン階層、カット階層、クリップ階層の順に階層構造化されている。この各階層には、例えば、それぞれの構成（数や順番）、タイトル、説明、その他付随する情報等のメタデータが記述されている。なお、構成表メタデータは、例えば、映像プログラム毎に単位ファイルで管理される。
【００６９】
この説明例では、プログラムメタデータは、カット階層以上の階層のメタデータを、１つの映像プログラムにつき１つのメタデータファイル（単位ファイル）にまとめて管理するためのメタデータである。このプログラムメタデータにおいては、例えば、プログラム識別階層、取材階層、シーン階層、およびカット階層が、この順序で階層構造化されている。プログラムメタデータには、例えば、後述する制作指示情報、プログラム撮影状況情報およびクリップ関連付け情報等のメタデータが含まれる。
【００７０】
「クリップメタデータ」とは、「構成表メタデータ」のうち、クリップに関するメタデータからなり、１つのクリップにつき１つのメタデータファイル（単位ファイル）で管理されるメタデータである。このため、クリップメタデータは、例えば、１つの映像プログラムについて（１つのプログラムメタデータに対して）、例えば複数のファイルが作成される場合がある。このクリップメタデータは、プログラムメタデータのカット階層に関連付けられ、例えば、かかるカット階層の下位階層に該当する。かかるクリップメタデータには、例えば、後述するクリップ撮影状況情等報のメタデータが含まれる。
【００７１】
「テイク」とは、撮像装置による１回の記録開始から記録終了に至るまでの連続した撮影処理である。換言すると、このテイクは、映像プログラムの撮影段階における撮影処理の最小単位である。なお、映像作品の制作分野では、このテイクは、「クリップ」、「ショット」または「カット」等と呼ばれる場合もある。また、テイク（クリップ）は、撮像装置による１回の記録開始から記録終了に至るまでの連続した映像区間を指す場合もある。
【００７２】
「クリップ階層」とは、クリップメタデータにおいて、クリップに関するメタデータからなる階層である。「クリップ階層」は、同時に、テイク階層としても取り扱われる。
【００７３】
「カット」とは、企画段階（即ち、シナリオ作成時）における映像プログラムを構成する最小単位である。このカットは、あくまで企画構成部署側からみたシナリオの一部（即ち、想定された撮影場面）であり、取材部署側からみた実際の撮影処理の最小単位であるクリップとは異なる。クリップの映像コンテンツデータから必要部分を抽出したものが、このカットに割り当てられる。
【００７４】
「カット階層」とは、プログラムメタデータにおいて、カット階層以下のテイクを含むメタデータからなる階層である。
【００７５】
「シーン」とは、企画段階（即ち、シナリオ作成時）における映像プログラムを構成する中規模単位であり、１又は２以上の上記カットから構成される。即ち、このシーンは、１又は２以上のカットをまとめた撮影場面であるともいえる。例えば、同一の取材現場内で撮影位置が異なれば、別のシーンとすることができる。
【００７６】
「シーン階層」とは、プログラムメタデータにおいて、シーンに関するメタデータからなる階層である。
【００７７】
「エピソード」とは、企画段階（即ち、シナリオ作成時）における映像プログラムを構成する最大単位であり、１又は２以上のシーンから構成される。即ち、このエピソードは、１又は２以上のシーンをまとめた撮影場面であるともいえる。映像プログラムは、例えば、１または２以上のエピソードから構成される。
【００７８】
「エピソード階層」とは、プログラムメタデータにおいて、エピソードに関するメタデータからなる階層である。
【００７９】
「プログラム識別階層」とは、プログラムメタデータにおいて、そのプログラムメタデータに対応する映像プログラムを識別するためのメタデータからなる階層である。
【００８０】
次に、粗編集処理を実行するフィールドＰＣ１５について説明する。
【００８１】
図２は、フィールドＰＣ１５の一実施の形態の構成を示すブロック図である。
【００８２】
CPU（Central Processing Unit）１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM（Read Only Memory）１１２、ハードディスク１１４、またはドライブ１２１に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。これにより、後述する各種の処理が行われる。
【００８３】
また、CPU１１１は、ドライブ１２０に、装着された光ディスク１７から記録されている映像コンテンツデータおよび構成表メタデータを読み出させ、ドライブに、編集の結果を示す構成表メタデータを光ディスク１７に記録させる。
【００８４】
さらに、CPU１１１は、その処理結果を、例えば、入出力インタフェース１１６を介して、LCD（Liquid Crystal Display）などよりなる出力部１１７に必要に応じて出力する。
【００８５】
通信部１１９は、ネットワーク１２のインタフェースとして動作する。
【００８６】
図３は、フィールドＰＣ１５により実行されるプログラムの例を示す図である。編集プログラム１５１は、粗編集の処理を実行するプログラムである。すなわち、編集プログラム１５１は、クリップごとに記録された複数の映像コンテンツデータの中から、本編集で使用すべき映像コンテンツデータを収集し、収集された映像コンテンツデータの中から、必要な映像部分を選択（Ｌｏｇｇｉｎｇ）する。そして、編集プログラム１５１は、選択された映像部分に対応した編集開始位置（Ｉｎ点）または編集終了位置（Ｏｕｔ点）を後述する電子マークデータを基に設定して、映像コンテンツデータの中から必要部分を抽出する。
【００８７】
編集プログラム１５１は、ディスク映像モニタプログラム１６１、ディスク情報表示プログラム１６２、構成表設定表示プログラム１６３、構成表映像モニタプログラム１６４、エッセンスマークリスト編集プログラム１６５、検索プログラム１６６、通信プログラム１６７、および印刷プログラム１６８を含む。
【００８８】
ディスク映像モニタプログラム１６１は、クリップメタデータに、映像または音声の特徴を示す電子マークデータであるエッセンスマークを設定するプログラムである。ディスク映像モニタプログラム１６１は、エッセンスマーク表示プログラム１７１、映像表示プログラム１７２、映像編集プログラム１７３、タイトル設定プログラム１７４、およびエッセンスマーク入力プログラム１７５を含む。
【００８９】
エッセンスマークは、例えば、録画を開始した映像、録画を終了した映像、シーンチェンジした映像、フラッシュがたかれた映像など特定の映像を示す。また、エッセンスマークは、プログラムの構成の鍵になる映像、例えば、編集者が視聴者に注目してほしい映像、または視聴者が注目する映像などに付される。
【００９０】
エッセンスマーク表示プログラム１７１は、映像または音声の特徴を示す電子マークデータであるエッセンスマークが設定されているクリップメタデータを基に、エッセンスマークが設定された時間(位置)の映像表示を行う。映像表示プログラム１７２は、映像コンテンツデータを基に、映像の表示を制御する。
【００９１】
映像編集プログラム１７３は、映像コンテンツデータを編集するプログラムである。タイトル設定プログラム１７４は、クリップのタイトルをクリップメタデータに設定する。エッセンスマーク入力プログラム１７５は、後述するテキストボックス、エッセンスマーク設定ボタン、またはエッセンスマーク設定コンボボックスなどを表示させて、クリップメタデータに、設定するエッセンスマークを入力するプログラムである。
【００９２】
ディスク情報表示プログラム１６２は、光ディスク１７から読み出された映像コンテンツデータに関する情報を表示するプログラムである。ディスク情報表示プログラム１６２は、ディスク情報ツリー表示プログラム１７６、サムネイル／リスト表示プログラム１７７、および付加情報表示プログラム１７８を含む。
【００９３】
ディスク情報ツリー表示プログラム１７６は、光ディスク１７から読み出された映像コンテンツデータに関する情報（エッセンスマークを含む）をツリー（Tree）構造で表示するよう表示を制御するプログラムである。サムネイル／リスト表示プログラム１７７は、映像コンテンツデータに対応するサムネイルまたはリストの表示を制御する。サムネイルは、サムネイル／リスト表示プログラム１７７が生成するようにしてもよく、光ディスク１７に予め記録するようにしてもよい。例えば、サムネイル／リスト表示プログラム１７７は、光ディスク１７に記録されているローレゾリューション映像からサムネイルを生成する。
【００９４】
付加情報表示プログラム１７８は、光ディスク１７に設定された付加情報の表示を制御するプログラムである。
【００９５】
構成表設定表示プログラム１６３は、光ディスク１７から読み出された構成表メタデータに関する情報を表示し、編集するプログラムである。構成表設定表示プログラム１６３は、構成表ツリー表示プログラム１７９、付加情報表示プログラム１８０、代表画設定表示プログラム１８１、サムネイル(ストーリボード)表示プログラム１８２、および映像編集プログラム１８３を含む。
【００９６】
構成表ツリー表示プログラム１７９は、プログラムメタデータを基に、構成表をツリー（Tree）構造で表示するよう表示を制御するプログラムである。付加情報表示プログラム１８０は、プログラムメタデータに設定された付加情報の表示を制御するプログラムである。代表画設定表示プログラム１８１は、テイク、カット、シーン、エピソード、またはプログラム（映像プログラム）の代表画を設定し、代表画の表示を制御するプログラムである。代表画は、テイク、カット、シーン、エピソード、またはプログラムを代表する映像である。代表画が表示されることにより、使用者は、テイク、カット、シーン、エピソード、またはプログラムなどの内容をより簡単に認識することができる。サムネイル(ストーリボード)表示プログラム１８２は、テイク、カット、シーン、エピソード、またはプログラムの代表画のサムネイルの表示を制御する。映像編集プログラム１８３は、映像コンテンツデータを編集するプログラムである。
【００９７】
以下、映像プログラムを単にプログラムと称し、コンピュータが実行するプログラムをコンピュータプログラムと称する。なお、特定のコンピュータプログラムの名称においては、”コンピュータ”を省略する。
【００９８】
構成表映像モニタプログラム１６４は、クリップ、ディスク、カット、シーン、エピソード、およびプログラムの代表画を設定するプログラムである。構成表映像モニタプログラム１６４は、エッセンスマーク表示プログラム１８４、映像表示プログラム１８５、映像編集プログラム１８６、構成表表示プログラム１８７、および代表画設定表示プログラム１８８を含む。
【００９９】
エッセンスマーク表示プログラム１８４は、映像または音声の特徴を示す電子マークデータであるエッセンスマークが設定されているクリップメタデータを基に、エッセンスマークが示す特徴を有する映像の時間的位置の表示を制御する。映像表示プログラム１８５は、映像コンテンツデータを基に、映像の表示を制御する。映像編集プログラム１８６は、映像コンテンツデータを編集するプログラムである。構成表表示プログラム１８７は、構成表メタデータを基に、構成表の表示を制御するプログラムである。
【０１００】
代表画設定表示プログラム１８８は、テイク、カット、シーン、エピソード、またはプログラム（映像プログラム）の代表画を設定し、代表画の表示を制御するプログラムである。
【０１０１】
エッセンスマークリスト編集プログラム１６５は、クリップメタデータを基に、エッセンスマーク（のリスト）を編集するプログラムである。
【０１０２】
検索プログラム１６６は、ディスク情報、構成表表示の元になっているメタデータからキーワード検索を行い、検索結果から操作画面にジャンプするためのプログラムである。
【０１０３】
通信プログラム１６７は、光ディスク駆動装置またはサーバなどからディスク情報、メタデータ、または構成表などを取得し、ディスク情報、メタデータ、または構成表などを光ディスク駆動装置またはサーバに書き戻す。
【０１０４】
印刷プログラム１６８は、ディスク情報設定表示、構成表設定表示、詳細プロパティ、エッセンスマーク編集情報などの選択ウィンドウを印刷装置に印刷させる。
【０１０５】
図４は、プログラム、エピソード、シーン、カット、およびテイクの階層構造を示す図である。すなわち、１つのプログラムの下位には、１または複数のエピソードが配置され、１つのエピソードの下位には、１または複数のシーンが配置される。さらに、１つのシーンの下位には、１または複数のカットが配置され、１つのカットには、１または複数のテイクが配置される。すなわち、プログラム、エピソード、シーン、カット、およびテイクは、木構造を有する。
【０１０６】
後述するように、１つのカットの中の、１または複数のテイクのうちの１つのテイクが採用される。採用されたテイクがカットを構成することになる。なお、テイクをカットに採用することを、テイクをカットに貼り付けるとも称する。
【０１０７】
ここで、光ディスク１７に記録されている素材としての映像コンテンツデータをクリップと称し、プログラムを構成する映像コンテンツデータをテイクと称する。すなわち、クリップもテイクも同じ映像コンテンツデータであるが、光ディスク１７に記録されている素材として見た場合、クリップと称し、プログラムを構成するコンテンツと見た場合、テイクと称する。
【０１０８】
図５および図６は、光ディスク１７に記録されているディレクトリ（フォルダ）およびファイルの構造を説明する図である。図５で示されるように、ルートディレクトリには、１つのプログラムに対応する映像コンテンツデータを格納するPROAVディレクトリおよびPROAVディレクトリに関係するプログラムメタデータファイルが格納される。
【０１０９】
PROAVディレクトリには、さらに、ディスクメタデータファイル（DISKMETA.XML）、インデックスファイル（INDEX.XML）、インデックスファイルがコピーされたファイル（INDEX.RSV）、ディスク情報ファイル（DISCINFO.XML）、ディスク情報ファイルがコピーされたファイル（DISCINFO.RSV）が格納される。ディスクメタデータファイルは、ディスクの代表画のパス、ディスクのタイトルまたはコメントを記述するディスクメタデータを格納するファイルである。インデックスファイルは、目次を記述する（データの）ファイルであり、クリップおよび編集リストを管理するための情報を記述するファイルである。
【０１１０】
ディスク情報ファイルは、光ディスク１７の属性、再生開始位置などを記述する（データの）ファイルである。
【０１１１】
PROAVディレクトリには、さらにまた、クリップディレクトリ（CLPR）およびエディットディレクトリ（EDTR）が格納される。クリップディレクトリには、それぞれのクリップに対応するディレクトリが格納される。エディットディレクトには、映像データおよび音声データの再生順序を示すエディットリストのデータが格納される。
【０１１２】
図６は、クリップに対応するディレクトリに格納されるファイルを説明する図である。クリップに対応するディレクトリには、１セットの独立したマルチメディアオブジェクト（映像または音声のオブジェクト）の表現の時間的な挙動、画面上のレイアウト、または他のマルチメディアオブジェクトとの結び付きをSMIL言語で記述するファイル（例えば、名前がC001C01.SMIであるファイル）、映像データを格納するファイル（例えば、名前がC001V01.MXFであるファイル）、音声データを格納するファイル（例えば、名前がC001A01.MXF乃至C001A08.MXFのいずれかであるファイル）、ローレゾリューション映像を格納するファイル（例えば、名前がC0001S01.MXFであるファイル）、クリップメタデータを格納するファイル（例えば、名前がC0001M01.XMLであるファイル）、フレームメタデータを格納するファイル（例えば、名前がC0001R01.BIMであるファイル）、およびフレーム構造の記述を格納するファイル（例えば、名前がC0001I01.PPFであるファイル）が格納される。
【０１１３】
図６で示される例において、８チャンネルの音声データが格納されている。クリップメタデータには、例えば、クリップのタイトルまたはコメントが設定される。フレームメタデータは、クリップを構成するフレームに対するメタデータであり、例えば、XML方式のファイルをバイナリ変換したBIM（binary format for metadata）方式で記述される。
【０１１４】
次に、構成表メタデータについて説明する。
【０１１５】
次に、図７は、構成表メタデータの全体的な構成の例を示す図である。なお、図７においては、プログラムメタデータの内容の一部のみが表示されている。
【０１１６】
図７には、構成表メタデータの例として、麺つゆの東西境界線を調べるという内容の映像プログラムに関する構成表メタデータが示されている。このように、構成表メタデータは、例えば、映像プログラム毎に作成されるデータ表である。構成表メタデータは、例えば、企画用端末措置１０によって電子ファイル形式で作成される。
【０１１７】
図７に示すように、１つの映像プログラムに関する構成表メタデータは、例えば、１つのプログラムメタデータ１９１、および複数のクリップメタデータ１９２−１乃至クリップメタデータ１９２−１５から構成される。クリップメタデータ１９２−１乃至クリップメタデータ１９２−１５を個々に区別する必要がないとき、単に、クリップメタデータ１９２と称する。
【０１１８】
即ち、例えば、１つの映像プログラムに関係する構成表メタデータは、１つのプログラムメタデータ１９１と、撮影したクリップ数に相当する数（図７で示される例では１５個）のクリップメタデータ１９２とを含む。なお、図７においては、クリップメタデータ１９２−１乃至クリップメタデータ１９２−１５のそれぞれがプログラムメタデータ１９１中のどのカットに関連付けられているかを分かり易くするため、複数のクリップメタデータ１９２を縦に連結して表現しているが、実際には、各クリップメタデータ１９２はクリップ毎に独立した１つのファイルとして管理されている。
【０１１９】
次に、図７乃至図９を参照して、プログラムメタデータ１９１について詳細に説明する。また、図８および図９は、図２に示した構成表メタデータの一部を拡大して示す説明図である。なお、図９においては、クリップメタデータの一部のみを示す。
【０１２０】
プログラムメタデータ１９１は、図７に示すように、例えば、プログラム識別階層、エピソード階層、シーン階層、カット階層からなる階層構造を有している。これらの階層のうち、例えば、プログラム識別階層が最上位階層であり、エピソード階層がこのプログラム識別階層の下位階層であり、さらに、シーン階層がこのエピソード階層の下位階層であり、カット階層が最下位階層である。
【０１２１】
具体的には、図７に示すプログラムメタデータ１９１において、プログラム識別階層は、例えば、プログラムを識別するためのメタデータを有している。また、エピソード階層は、例えば、２つのエピソードに関するメタデータを有している。さらに、シーン階層は、例えば、５つのシーンに関するメタデータを有している。最後に、カット階層は、例えば、１３つのカットに関するメタデータを有している。換言すると、図７に示した構成表メタデータの映像プログラムは、例えば、２つのエピソードから構成されている、５つのシーンから構成されている、或いは、１３つのカットから構成されているということができる。
【０１２２】
このように、プログラムメタデータ１９１は、プログラム識別階層を頂点とし、エピソード階層、シーン階層、カット階層に遷移するにつれて徐々に細分化されるようなツリー構造を有する。なお、プログラムメタデータ１９１の階層構造は、上述した例に限定されない。例えば、プログラムメタデータ１９１の階層構造は、少なくともプログラム識別階層とカット階層さえ含めばよく、エピソード階層またはシーン階層は必ずしも含まなくともよい。一方、プログラムメタデータ１９１の階層構造は、上述した４つ以外にも、さらに新たな階層を含んでもよい。
【０１２３】
また、プログラムメタデータ１９１の各階層において、例えば、上方の欄に記入されているエピソード、シーン、カットほど、シナリオ順が先であることを示す。例えば、図７に示す映像プログラムを構成する５つのシーンのうち、最上段の欄のシーンがシナリオの最初のシーンであり、一方、最下段の欄のシーンがシナリオの最終のシーンとなる。
【０１２４】
次に、かかる構造のプログラムメタデータ１９１が有するメタデータの内容について説明する。
【０１２５】
まず、プログラムメタデータ１９１は、全体としては、例えば、制作指示情報と、プログラム撮影状況情報と、クリップ関連付け情報などを含んでいる。これらのうち、例えば、制作指示情報およびプログラム撮影状況情報は、階層構造化されており、一方、クリップ関連付け情報は、例えば、カット階層にのみ含まれている。以下に、制作指示情報、プログラム撮影状況情報およびクリップ関連付け情報についてそれぞれ説明する。
【０１２６】
制作指示情報は、企画構成部署が、取材部署や編集部署などに映像プログラムの制作内容を指示するために作成するメタデータであり、映像プログラムのシナリオに該当するメタデータである。この制作指示情報は、企画構成部署担当者の入力に基づいて、企画用端末装置１１によって生成され、プログラムメタデータ１９１内の該当欄に書き込まれる。映像プログラムの制作を分担する各部署は、かかる制作指示情報を閲覧することにより、制作すべき映像プログラムの内容を把握できる。
【０１２７】
かかる制作指示情報は、例えば、プログラムメタデータ１９１において、プログラム識別階層全体、エピソード階層の「エピソード指示」、シーン階層の「シーン指示」、およびカット階層の「カット指示」の欄に、例えばテキストデータとして記入される。この結果、制作指示情報は、全体として階層構造化されることとなる。制作指示情報がこのように階層構造化されていることにより、企画構成部署の意図（シナリオ）を明確かつ簡潔に表現することができる。
【０１２８】
プログラム撮影状況情報は、例えば、カット階層以上の階層（例えば、カット階層、シーン階層、エピソード階層等）に対応した撮影状況に関するメタデータである。このプログラム撮影状況情報とは、より具体的には、例えば、取材・撮影した映像に関する連絡事項や注意事項、提案事項、撮影した情景の特徴や印象、或いは、取材・撮影作業で発生した事項などである。かかるプログラム撮影状況情報は、例えば、取材部署担当者の入力に基づいてフィールドＰＣ１５によって生成され、プログラムメタデータ１９１内の該当欄に書き込まれる。映像プログラムの制作を分担する各部署は、かかるプログラム撮影状況情報を閲覧することにより、映像撮影時における撮影状況を把握できる。
【０１２９】
かかるプログラム撮影状況情報は、例えば、プログラムメタデータ１９１において、エピソード階層の「エピソードメモ」、シーン階層の「シーンメモ」、およびカット階層の「カットメモ」の欄に、例えばテキストデータとして記載される。この結果、プログラム撮影状況情報もまた、全体として階層構造化されることとなる。プログラム撮影状況情報がこのように階層構造化されていることにより、上記撮影状況を明確かつ簡潔に表現することができる。なお、本実施形態にかかるプログラムメタデータ１９１では、プログラム識別階層に上記プログラム撮影状況情報を含んでいないが、かかる例に限定されず、例えば、プログラム識別階層に上記プログラム撮影状況情報を記載できるようにしてもよい。
【０１３０】
クリップ関連付け情報は、クリップの映像コンテンツデータおよびクリップメタデータ１９２を、カットに関連付けるためのメタデータである。より具体的には、このクリップ関連付け情報は、例えば、「テイクデータ」情報、「ＯＫ／ＮＧ／保留」情報、「ビデオファイル名」情報、「ローレゾファイル名」情報および「クリップメタデータファイル名」情報などからなるが、詳細については後述する。クリップ関連付け情報は、例えば、取材部署または編集部署担当者の入力に基づいて、取材用端末装置１３または編集用端末装置１６によって生成され、プログラムメタデータ１９１のカット階層内の該当欄に書き込まれる。映像プログラムの制作を分担する各部署は、かかるクリップ関連付け情報を閲覧することにより、カットに対していかなるクリップが割り当てられているかを把握できる。さらに、編集用端末装置１６なども、例えば、かかるクリップ関連付け情報に基づいて、カットとクリップの関連性を自動的に判断することができる。
【０１３１】
次に、図８および図９を参照しながら、プログラムメタデータ１９１のメタデータ項目の具体例について、各階層毎に、詳細に説明する。
【０１３２】
まず、プログラム識別階層には、図８に示すように、例えば、「プログラムＩＤ：［ＩＤ］」、「プログラムタイトル：［Ｔｔｌ］」などの項目が設けられる。「プログラムＩＤ」には、映像プログラム毎に付される固有のＩＤが記入される。図８の例の映像プログラムには、例えば「Ｐ２００２−１０」なるプログラムＩＤが付されている。このプログラムＩＤにより、そのプログラムメタデータ１９１がいかなる映像プログラムに関するものであるかを識別することができる。「プログラムタイトル」には、映像プログラムのタイトルが記入される。図８の例では、「東西麺つゆの境界線」なるタイトルが記入されている。
【０１３３】
次に、エピソード階層は、図８に示すように、「エピソード指示」の欄と、「エピソードメモ」の欄に区分されている。
【０１３４】
「エピソード指示」の欄は、企画構成部署の担当者がエピソードレベルの制作指示情報を記入するための欄である。この「指示」の欄には、例えば、「エピソードタイトル：［Ｔｔｌ］」、「カメラマン：［Ｃａｍ］」、「レポータ：［Ｒｅｐ］」、「場所：［Ｐｌｃ］」、「指定時刻：［Ｔｉｍ］」、「エピソード指示内容：［Ｄｓｃ］」などの項目が設けられる。
【０１３５】
「エピソードタイトル」には、エピソードのタイトルが記入される。図８の例では、「名古屋の麺つゆ」なるタイトルが記入されている。
【０１３６】
「カメラマン」には、当該取材を担当するよう指名されたカメラマンの名前またはＩＤが記入される。
【０１３７】
「レポータ」には、当該取材を担当するよう指名されたレポータの名前またはＩＤが記入される。
【０１３８】
「場所」には、当該取材を行う場所の指示が記入される。
【０１３９】
「指定時刻」には、取材開始時刻および終了時刻の指示が記入される。
【０１４０】
「取材指示内容」には、取材指示の内容が記入される。この取材指示とは、例えば、当該取材の目的、概要などである。
【０１４１】
また、「取材メモ」の欄は、取材部署の担当者が取材レベルのプログラム撮影状況情報を記入するための欄である。この「取材メモ」の欄には、「取材メモ内容：［Ｄｓｃ］」などの項目が設けられる。
【０１４２】
「取材メモ内容」には、例えば、取材レベルの取材・撮影状況のメモが記入される。具体的には、例えば、取材担当者が取材全体を通して気づいた連絡事項、注意事項および提案事項、取材場所の特徴および印象、取材作業全体で発生した事項などの情報が主に記入される。
【０１４３】
次に、シーン階層は、図８で示されるように、「シーン指示」の欄と、「シーンメモ」の欄とに区分されている。
【０１４４】
「シーン指示」の欄は、企画構成部署の担当者がシーンレベルの制作指示情報を記入するための欄である。この「シーン指示」の欄には、例えば、「シーン番号：［Ｎｏ］」、「シーンタイトル：［Ｔｔｌ］」、「シーン指示内容：［Ｄｓｃ］」などの項目が設けられる。
【０１４５】
「シーン番号」には、１つの取材を構成する１または２以上のシーンに付される固有の番号が記入される。このシーン番号は、例えば、１つの取材内においてシーン順に通し番号で付されるので、１つの取材内で同一のシーン番号が用いられることはない。例えば、図８に示す取材（「名古屋のつゆ」の取材）は、２つのシーンから構成されており、このうち、シーン順が１番目のシーンにはシーン番号「１」が付され、２番目のシーンにはシーン番号「２」が付されている。このように、シーン番号はシーンの構成順を指示する情報であるともいえる。
【０１４６】
「シーンタイトル」には、シーンのタイトルが記入される。図８の例では、「店の外観」または「店の名」なるタイトルが記入されている。
【０１４７】
「シーン指示内容」には、シーン指示の内容が記入される。このシーン指示とは、撮影すべきシーン構成の指示であり、例えば、当該シーンの概要、展開などである。このような、「シーンタイトル」および「シーン指示内容」に記載された内容は、シーン構成を指示するシナリオに該当する。
【０１４８】
また、「シーンメモ」の欄は、取材部署の担当者がシーンレベルのプログラム撮影状況情報を記入するための欄である。この「シーンメモ」の欄には、「シーンメモ内容：［Ｄｓｃ］」などの項目が設けられる。
【０１４９】
「シーンメモ内容」には、例えば、シーンレベルの取材・撮影状況のメモが記入される。具体的には、例えば、取材担当者がシーンレベルで気づいた連絡事項、注意事項および提案事項、撮影したシーンの特徴および印象、シーンの撮影作業で発生した事項などの情報が主に記入される。
【０１５０】
次に、カット階層は、図９に示すように、「カット指示」の欄と、「カットメモ」の欄と、「クリップ関連付け情報」の欄とに区分されている。
【０１５１】
「カット指示」の欄は、企画構成部署の担当者がカットレベルの制作指示情報を記入するための欄である。この「カット指示」の欄には、例えば、「カット番号：［Ｎｏ］」、「カットタイトル：［Ｔｔｌ］」などの項目が設けられる。「カット番号」には、１つのシーンを構成する１または２以上のカットに付される固有の番号が記入される。このカット番号は、例えば、１つのシーン内において通し番号で付されるので、１つのシーン内で同一のカット番号が用いられることはない。図９の例では、シーン番号１のシーン（即ち、「店の外観」のシーン）は、２つのカットから構成されており、このうち、カット順が１番目のカットにはカット番号「１」が付され、２番目のカットにはカット番号「２」が付されている。このように、かかるカット番号はカットの構成順を指示する情報であるともいえる。「カットタイトル」には、カットのタイトルが記入される。図９の例では、「店の全体」または「店の入り口」なるタイトルが記入されている。このカットタイトルの内容は、例えば、撮影すべきカット内容を指示する情報として機能する（即ち、カット構成を指示するシナリオに該当する。）ので、カメラマンが撮影対象を特定できる程度具体的に記入されることが好ましい。なお、例えば、「カット指示」の欄が、カットの内容をより詳細に指示するための「カット指示内容」の項目をさらに含むように構成してもよい。
【０１５２】
また、「カットメモ」の欄には、取材部署の担当者がカットレベルのプログラム撮影状況情報を記入するための欄である。この「カットメモ」の欄には、「カットメモ内容：［Ｄｓｃ］」などの項目が設けられる。
【０１５３】
「カットメモ内容」には、例えば、カットレベルの取材・撮影状況のメモが記入される。具体的には、例えば、取材担当者がカットレベルで気づいた連絡事項、注意事項および提案事項、撮影したカットの特徴および印象、カットの撮影作業で発生した事項などの情報が主に記入される。
【０１５４】
また、「クリップ関連付け情報」の欄は、例えば、取材用端末装置１３および編集用端末装置１６がクリップ関連付け情報を入力するための欄である。この「クリップ関連付け情報」の欄には、「テイクデータ（「クリップ番号」、「Ｉｎ点」および「Ｏｕｔ点」）」、「ＯＫ／ＮＧ」、「ビデオファイル名」、「ローレゾファイル名」、「クリップメタデータファイル名」などの項目が設けられる。
【０１５５】
「テイクデータ」には、「クリップ番号」、「Ｉｎ点」および「Ｏｕｔ点」などの項目が設けられる。
【０１５６】
「クリップ番号」には、クリップ毎に付される固有の番号が記入される。このクリップ番号とは、例えば、取材部署側で新たなクリップが実行される度にそのクリップに対して順次付されていく番号であり、企画構成側の意図したシナリオとは無関係に付されるものである。従って、原則として、異なるクリップに対して同一のクリップ番号が用いられることはない。また、かかるクリップ番号は、例えば、ＵＭＩＤ（Ｕｎｉｑｕｅ  Ｍａｔｅｒｉａｌ  ＩＤ）、即ち、映像素材（クリップ単位の映像コンテンツデータ）ごとに付された識別ＩＤとしても機能するものである。このようにして、映像素材にシナリオとは無関係なクリップ番号を付することで、シナリオと映像素材を分離することができる。また、例えば、複数の映像プログラム間においても、同一のクリップ番号を付さないようにすることで、シナリオと映像素材をより完全に分離できる。なお、クリップ番号は、例えば、撮像装置１４によって自動的に作成されて、入力される。
【０１５７】
「Ｉｎ点」および「Ｏｕｔ点」には、例えば、編集作業において決定された編集開始位置（Ｉｎ点）のタイムコードと、編集終了位置（Ｏｕｔ点）のタイムコードとが入力される。このタイムコードが例えば「０９：４３：５２：０１」と入力されている場合には、「９時４３分５２秒の第１フレーム」であることを意味する。かかるＩｎ点およびＯｕｔ点情報は、クリップの映像コンテンツデータから必要な映像部分を抽出した範囲を表す情報、即ち、映像プログラムに用いられる有効範囲を表す情報の一例である。なお、このＩｎ点およびＯｕｔ点情報は、タイムコードだけではなく、例えば日付情報を含んでもよい。
【０１５８】
「ＯＫ／ＮＧ」には、「ＯＫ」または「ＮＧ」が入力される。「ＯＫ」と入力された場合には、クリップ（テイク）の映像コンテンツデータが採用されるべきものであることを表す。一方、「ＮＧ」と入力された場合には、クリップ（テイク）の映像コンテンツデータが不採用とすべきものであることを表す。１のカットについて複数のクリップが関連付けられている場合、原則として、「ＯＫ」とされるのは、１つのクリップだけであり、その他は「ＮＧ」とされる。このように、かかるＯＫ／ＮＧ情報は、カットに関連付けられたクリップの中からいずれか１つの採用すべきクリップを選択する情報として機能する。なお、かかるＯＫ／ＮＧ情報は、例えば、撮像装置１４またはフィールドＰＣ１５によって、手動または自動で入力される。また、「ＯＫ」または「ＮＧ」を保留する「Ｋｅｅｐ（保留）」が入力される場合もある。
【０１５９】
１つのカットの全てのテイクに「ＯＫ」、「ＮＧ」、および「Ｋｅｅｐ（保留）」のいずれも設定されていないとき、先頭のテイクがカットに採用される。
【０１６０】
「ビデオファイル名」には、クリップのオリジナル映像が記録されているファイル名が入力される。このビデオファイル名は、クリップ番号と同様に、映像素材ごとに固有のファイル名が、シナリオとは無関係に付されている。かかるビデオファイル名は、カットに関連付けられたクリップのオリジナル映像の所在を表す情報として機能する。なお、かかるビデオファイル名は、例えば、撮像装置１４またはフィールドＰＣ１５によって、手動または自動で入力される。
【０１６１】
「ローレゾファイル名」には、クリップのローレゾリューション映像が記録されているファイル名が入力される。このローレゾファイル名も、クリップ番号と同様に、映像素材ごとに固有のファイル名が、シナリオとは無関係に付されている。かかるビデオファイル名は、カットに関連付けられたクリップのローレゾリューション映像の所在を表す情報として機能する。なお、かかるローレゾファイル名は、例えば、撮像装置１４またはフィールドＰＣ１５によって、手動または自動で入力される。
【０１６２】
「クリップメタデータファイル名」には、当該クリップに対応したクリップメタデータのファイル名が入力される。かかるクリップメタデータファイル名は、プログラムメタデータ１９１のカット階層とクリップメタデータ１９２を関連付ける情報として機能する。なお、かかるクリップメタデータファイル名は、例えば、撮像装置１４またはフィールドＰＣ１５によって、手動または自動で入力される。
【０１６３】
このようにクリップ関連付け情報によって、プログラムメタデータ１９１内のカットに対して、クリップを従属させることができる。例えば、図７の例では、プログラムＩＤ：「Ｐ２００２−１０」、エピソードＩＤ：「Ａ２００２−１００１」、シーン番号：「１」、カット番号：「１」で特定されるカット（最上段の欄のカット）には、クリップ番号「１」および「２」で特定される２つのクリップがリンクされている。このように、クリップ関連付け情報は、企画構成部署側で意図したカットと、取材部署側で得た実際の映像素材とを結びつける機能を有する。
【０１６４】
以上、プログラムメタデータ１９１内の各項目、およびそのメタデータの内容について詳細に説明した。なお、プログラムメタデータ１９１内の項目および内容は、上記例に限定されず、上記以外にも、例えば、取材用機材の指示、制作スケジュール、作業の進捗状況、代表的な静止画像、他部署の作業に関するメモなど、映像プログラムの制作に関わる各種情報が入力されてもよい。
【０１６５】
次に、図７、図９および図１０に基づいて、クリップメタデータ１９２について詳細に説明する。なお、図１０は、１つのクリップメタデータ１９２の内容を詳細に例示する説明図である。
【０１６６】
まず、クリップメタデータ１９２の構造およびプログラムメタデータ１９１との関係について説明する。
【０１６７】
クリップメタデータ１９２は、撮像装置１４によってあるクリップの映像コンテンツデータが記録されると、例えば、このクリップの映像コンテンツデータと１対１対応して作成される。即ち、クリップの撮影が行われる度に、新たなクリップメタデータ１９２が作成される。従って、撮影したクリップの回数が多いほど、作成されるクリップメタデータ１９２のファイル数も多くなることになる。例えば、図７で示される例では、１３個のカットに対して１５個のクリップが実行されているため、作成されたクリップメタデータ１９２のファイル数も１５個になっている。
【０１６８】
このように、クリップメタデータ１９２のファイルは、プログラムメタデータ１９１のファイルとは別個の独立したファイルとしてクリップ毎に作成される。
【０１６９】
さらに、かかるクリップメタデータ１９２は、例えば、プログラムメタデータ１９１内のクリップ関連付け情報（「クリップメタデータファイル名」の項目）によって、映像コンテンツデータとともに上記カット階層のカットに関連付けられている。例えば、クリップメタデータ１９２−１は、プログラムＩＤ：「２００２−１０」、エピソードＩＤ：「２００２−１００１」、シーン番号：「１」、カット番号：「１」で特定されるカットに、関連付けられている。この際、クリップメタデータ１９２−１は、ビデオファイル１およびローレゾファイル１とともにカットに関連付けられている。さらに、このカットには、クリップメタデータ１９２−２も関連付けられている。このように、１つのカットに対して２つのクリップメタデータ１９２を関連付けることもできる。また、逆に、１つのクリップメタデータ１９２を異なる２以上のカットに関連付けることもできる。
【０１７０】
次に、クリップメタデータ１９２の内容について説明する。
【０１７１】
クリップメタデータ１９２の内容は、例えば、クリップ撮影条件情報およびクリップ撮影状況情報などである。このクリップ撮影条件情報とは、例えば、クリップの撮影条件や撮影状態その他のクリップに関する客観的なメタデータである。かかるクリップ撮影条件情報は、例えば、撮像装置１４などによって自動的に生成され、クリップメタデータ１９２内に書き込まれる。また、クリップ撮影状況情報とは、例えば、クリップの撮影処理レベルでの撮影状況に関する主観的なメタデータである。かかるクリップ撮影状況情報は、例えば、取材部署担当者の入力に基づいてフィールドＰＣ１５などによって生成され、クリップメタデータ１９２内に書き込まれる。
【０１７２】
具体例を挙げて説明すると、図１０に示すように、クリップメタデータ１９２には、クリップ撮影状況情報である「クリップメモ内容：［Ｄｓｃ］」と、クリップ撮影条件情報である「日付：［Ｄａｔｅ］」、「時刻：［Ｔｉｍｅ］」、「緯度経度情報：［Ｐｏｓ］」、「機器番号：［Ｍａｃｈｉｎｅ］」および「機器設定情報：［Ｓｅｔｕｐ］」などの項目が設けられる。
【０１７３】
「クリップメモ内容」には、例えば、クリップレベルの撮影状況のメモが記入される。具体的には、例えば、クリップの撮影時において、取材担当者が気づいた連絡事項、注意事項および提案事項、クリップの特徴および印象、クリップの撮影作業で発生した事項、当該クリップの映像コンテンツデータに関する事項などの情報が主に記入される。
【０１７４】
「日付」には、当該クリップの撮影を行った日付が入力される。
【０１７５】
「時刻」には、当該クリップの撮影を行った時刻が入力される。
【０１７６】
「緯度経度情報」には、当該クリップの撮影を行った場所の緯度および経度情報（ＧＰＳ情報）が入力される。
【０１７７】
「機器番号」には、当該クリップの撮影を行った撮像装置１４の機器番号が入力される。
【０１７８】
「機器設定情報」には、当該クリップの撮影を行った撮像装置１４の設定（セットアップ）情報が入力される。この機器設定情報は、例えば、カメラのフィルタの種類、ホワイトバランススイッチ、ゲインスイッチ、ＤＣＣ（ダイナミックコントラストコントロール）スイッチ、シャッタスイッチ、エクステンダースイッチ等の状態（スイッチのｏｎ／ｏｆｆやレベル等）などである。
【０１７９】
以上のようにクリップメタデータ１９２は、あくまで、実際の撮影処理であるクリップに関するメタデータからなり、シナリオ等の企画構想に関するメタデータなどは含んでいない。かかる内容のクリップメタデータ１９２を参照することによって、映像プログラムの制作を分担する各部署は、例えば、クリップメタデータ１９２に対応する映像コンテンツデータの内容、撮影条件、機器の状態などを把握できる。クリップメタデータ１９２内の情報は、特に、編集部署において映像コンテンツデータの編集作業を行う際に有用である。
【０１８０】
次に、編集プログラム１５１がフィールドＰＣ１５の出力部１１７であるLCDに表示させる画面を説明する。
【０１８１】
図１１乃至図２９は、編集プログラム１５１がフィールドＰＣ１５の出力部１１７であるLCDに表示させる画面の例を示す図である。編集プログラム１５１は、フィールドＰＣ１５の出力部１１７であるLCDに、GUI（Graphical User Interface）としての表示画面であるウィンドウ３０１を表示させる。所定の場合、図１１で示されるように、ウィンドウ３０１は、ディスクインフォメーションウィンドウ３１１、ストラクチャーウィンドウ３１２、およびモニターウィンドウ３１３を含む。
【０１８２】
ディスクインフォメーションウィンドウ３１１は、ディスク情報表示プログラム１６２によって表示が制御される、GUIとしての表示画面である。ストラクチャーウィンドウ３１２は、構成表設定表示プログラム１６３によって表示が制御される、GUIとしての表示画面である。モニターウィンドウ３１３は、ディスク映像モニタプログラム１６１によって表示が制御される、GUIとしての表示画面である。
【０１８３】
図１２は、ディスクインフォメーションウィンドウ３１１の構成を説明する図である。タイトルバー３３１には、ディスクインフォメーションウィンドウの名称（図中の”Disc Information Window”）および選択されているクリップ等の略称が表示される。例えば、ディスク１（図中の”Disc 1”）のクリップ５（図中の”Clip5”）が選択されているとき、ディスク情報表示プログラム１６２は、タイトルバー３３１に、”Disc 1”および”Clip5”の略称である”D1-<C5>”を表示させる。
【０１８４】
ツリー（Tree）表示部３３２には、光ディスク１７毎のクリップの構成が表示される。例えば、３つのDisc1乃至Disc3である光ディスク１７が使用されているとき、ディスク情報表示プログラム１６２のディスク情報ツリー表示プログラムは、ツリー表示部３３２に、ディスク情報表示プログラム１６２を示す文字または図形（例えば、図中の”Disc Manager”）を表示させ、ディスク情報表示プログラム１６２の下位階層を示す位置に、Disc1乃至Disc3のそれぞれを示す文字または図形を表示させる。例えば、Disc1である光ディスク１７に、Clip1乃至Clip6である６つのクリップが記録されているとき、ディスク情報表示プログラム１６２のディスク情報ツリー表示プログラム１７６は、ツリー表示部３３２に、Disc1を示す文字または図形を表示させ、Disc1の下位階層を示す位置に、６つのClip1乃至Clip6のそれぞれを示す文字または図形を表示させる。
【０１８５】
このように、ツリー表示部３３２には、ディスク情報表示プログラム１６２を示す文字または図形をルートとして、ディスクを示す文字または図形、クリップを示す文字または図形、およびエッセンスマークを示す文字または図形をノードとする木構造（階層構造）で、ディスク、クリップ、およびエッセンスマークの関係が表示される。
【０１８６】
ディスクインフォメーションウィンドウ３１１において、ルート、ディスク、クリップ、またはエッセンスマークが選択されているとき、ウィンドウ３０１には、モニターウィンドウ３１３が表示される。
【０１８７】
ツリー表示部３３２において、ディスク情報表示プログラム１６２を示す文字または図形（例えば、図中の”Disc Manager”）がクリックされることにより選択された場合、ディスク情報表示プログラム１６２は、図１３で示されるように、ツリー表示部３３２に、ディスク情報表示プログラム１６２の下位階層を示す位置に、Disc1乃至Disc3のそれぞれを示す文字または図形を表示させ、ディスク以下の階層の表示を消去する。
【０１８８】
ここで、クリックとは、入力部１１８であるマウスの左ボタンを押圧して、離す操作をいう。使用者は、入力部１１８であるマウスに、クリック、ダブルクリック、またはドラッグなどの操作を加えて、編集プログラム１５１に指令を与える。
【０１８９】
ツリー表示部３３２において、Disc1を示す文字または図形がクリックされることにより選択された場合、ディスク情報表示プログラム１６２は、図１４で示されるように、ツリー表示部３３２に、Disc1の下位階層を示す位置に、Clip1乃至Clip6のそれぞれを示す文字または図形を表示させる。
【０１９０】
ツリー表示部３３２において、Clip1を示す文字または図形がクリックされることにより選択された場合、ディスク情報表示プログラム１６２は、図１５で示されるように、ツリー表示部３３２に、Clip1の下位階層を示す位置に、エッセンスマークを示す文字または図形を表示させる。
【０１９１】
図１２に戻り、ディスク情報表示プログラム１６２のディスク情報ツリー表示プログラム１７６は、スクロールバー３３３が操作されたとき、ツリー表示部３３２の表示をスクロールさせる。
【０１９２】
サムネイル表示部３３４−１乃至３３４−１２のそれぞれには、ディスクの代表画、クリップの代表画、またはエッセンスマークが設定されている（時点の）映像（例えば、フレームの映像）のサムネイルなどが表示される。例えば、ディスク情報表示プログラム１６２のサムネイル／リスト表示プログラム１７７は、ツリー表示部３３２において、１つのクリップが選択されているとき、サムネイル表示部３３４−１乃至３３４−１２のそれぞれに、エッセンスマークが設定されている映像のサムネイルを表示させる。例えば、ディスク情報表示プログラム１６２のサムネイル／リスト表示プログラム１７７は、ツリー表示部３３２において、１つのクリップが選択されているとき、サムネイル表示部３３４−１乃至３３４−１２のそれぞれに、キーフレームであるエッセンスマークが設定されている映像のサムネイルを表示させる。
【０１９３】
以下、サムネイル表示部３３４−１乃至３３４−１２を個々に区別する必要がないとき、単に、サムネイル表示部３３４と称する。
【０１９４】
サムネイル表示部３３４−１乃至３３４−１２のいずれかをクリックして、選択し、メニューから代表画設定コマンドを実行したとき、ディスク情報表示プログラム１６２は、選択されているサムネイル表示部３３４−１乃至３３４−１２に表示されている画像を代表画に設定する。例えば、エッセンスマークが設定されている映像のサムネイルを表示しているサムネイル表示部３３４−１乃至３３４−１２のいずれかをクリックして、選択し、メニューから代表画設定コマンドを実行したとき、ディスク情報表示プログラム１６２は、選択されているサムネイル表示部３３４−１乃至３３４−１２に表示されている、エッセンスマークが設定されている映像のサムネイルを、クリップの代表画に設定する。
【０１９５】
例えば、クリップの代表画を表示しているサムネイル表示部３３４−１乃至３３４−１２のいずれかをクリックして、選択し、メニューから代表画設定コマンドを実行したとき、ディスク情報表示プログラム１６２は、選択されているサムネイル表示部３３４−１乃至３３４−１２に表示されているクリップの代表画をディスクの代表画に設定する。
【０１９６】
１つのクリップが選択されている場合、選択されたクリップにエッセンスマークが設定されているとき、付加情報表示プログラム１７８は、図１６で示されるように、サムネイル表示部３３４に、ディスクのID（IDentifier）、エッセンスマークが設定されている映像上の時刻を示すタイムカウント（TC:Time Count）、およびクリップが撮像が開始された日時（月、日、時、分、および秒）を表示させる。
【０１９７】
１つのクリップが選択されている場合、選択されたクリップにエッセンスマークが設定されていないとき、付加情報表示プログラム１７８は、図１７で示されるように、サムネイル表示部３３４に、ディスクのID（IDentifier）、クリップの長さ（Dur:Duration）、およびクリップが撮像された日時（月、日、時、分、および秒）を表示させる。
【０１９８】
なお、サムネイル表示部３３４において、タイムカウントは、Durationを表示する色と異なる色で表示される。例えば、文字そのものの色が変更されるか、または背景の色が変更されるか、枠が変更される。このようにすることで、使用者は、サムネイル表示部３３４において、タイムカウントが表示されているか、Durationが表示されているかを、ひと目で認識することができる。
【０１９９】
図１２に戻り、ディスク情報表示プログラム１６２のサムネイル／リスト表示プログラム１７７は、スクロールバー３３５が操作されたとき、サムネイル表示部３３４−１乃至３３４−１２の表示をスクロールさせる。
【０２００】
ボタン３３６がクリックされたとき、ディスク情報表示プログラム１６２は、ディスクインフォメーションウィンドウ３１１を閉じる。
【０２０１】
図１８は、ストラクチャーウィンドウ３１２の構成を説明する図である。タイトルバー３５１には、ストラクチャーウィンドウの名称（図中の”Structure Window”）および選択されているクリップ等の略称が表示される。例えば、プログラム１（図中の”Program1”）のエピソード１（図中の”Epsode1”）のシーン１（図中の”Scene1”）のカット１（図中の”Cut1”）のテイク１が選択されているとき、構成表設定表示プログラム１６３は、タイトルバー３５１に、”Program1”，”Epsode1”，”Scene1”，”Cut1”、および”Take1”の略称である”P1-E1-S1-C1-<T1>”を表示させる。
【０２０２】
構成表ツリー表示部３５２には、構成表メタデータを基に、構成表の構成が表示される。例えば、構成表設定表示プログラム１６３の構成表ツリー表示プログラム１７９は、構成表ツリー表示部３５２に、プログラムを示す文字または図形（例えば、図中の”Program1”）を表示させ、プログラムの下位階層を示す位置に、エピソードを示す文字または図形（例えば、図中の”Epsode1”または”Epsode2”）を表示させ、エピソードの下位階層を示す位置に、シーンを示す文字または図形（例えば、図中の”Scene1”乃至”Scene3”）を表示させ、シーンの下位階層を示す位置に、カットを示す文字または図形（例えば、図中の”Cut1”または”Cut2”）を表示させる。
【０２０３】
このように、構成表ツリー表示部３５２には、構成表ツリー表示プログラム１７９を示す文字または図形をルートとして、プログラムを示す文字または図形、エピソードを示す文字または図形、シーンを示す文字または図形、カットを示す文字または図形、およびテイクを示す文字または図形をノードとする木構造（階層構造）で、プログラム、エピソード、シーン、カット、およびテイクの階層関係が表示される。
【０２０４】
また、構成表設定表示プログラム１６３の構成表ツリー表示プログラム１７９は、構成表ツリー表示部３５２に、プログラムを示す文字または図形に対応させて、プログラムのタイトル（例えば、図中の”Program1 Title”）を表示させ、エピソードを示す文字または図形に対応させて、エピソードのタイトル（例えば、図中の”Epsode1 Title”）を表示させる。さらに、構成表設定表示プログラム１６３の構成表ツリー表示プログラム１７９は、構成表ツリー表示部３５２に、シーンを示す文字または図形に対応させて、シーンのタイトル（例えば、図中の”Scene1 Title”）を表示させ、カットを示す文字または図形に対応させて、カットのタイトル（例えば、図中の”Cut1 Title”）を表示させる。
【０２０５】
サムネイル(ストーリボード)表示プログラム１８２は、サムネイル表示部３５３−１乃至３５３−４に、エピソードの映像のサムネイル、エピソードの代表画、シーンの映像のサムネイル、シーンの代表画、カットの映像のサムネイル、カットの代表画、またはエッセンスマークが設定されている（映像上の時点の）映像（例えば、フレーム）のサムネイルなどを表示させる。例えば、構成表ツリー表示部３５２においてエピソードが選択されているとき、サムネイル表示部３５３−１乃至３５３−４には、選択されているエピソードの下位（子供）のシーンの画像のサムネイルまたはエピソードの代表画が表示される。
【０２０６】
ここで、子供とは、プログラムに対して、そのプログラムに属するエピソード、エピソードに対して、そのエピソードに属するシーン、シーンに対して、そのシーンに属するカット、またはカットに対して、そのカットに属するテイクを言う。逆に、テイクに対して、そのテイクが属するカット、カットに対して、そのカットが属するシーン、シーンに対して、そのシーンが属するエピソード、エピソードに対して、そのエピソードが属するプログラムを親と称する。
【０２０７】
サムネイル(ストーリボード)表示プログラム１８２は、スクロールバー３５４が操作されたとき、サムネイル表示部３５３−１乃至３５３−４の表示をスクロールさせる。
【０２０８】
代表画設定表示プログラム１８１は、構成表ツリー表示部３５２において選択されている、プログラム、エピソード、シーン、カット、またはテイクの代表画を代表画表示部３５６に表示させる。代表画設定表示プログラム１８１は、サムネイル表示部３５３−１乃至３５３−４に表示されている、サムネイルまたは代表画が選択され、ボタン３５５がクリックされたとき、サムネイル表示部３５３−１乃至３５３−４において選択されているサムネイルまたは代表画を、構成表ツリー表示部３５２において選択されている、プログラム、エピソード、シーン、カット、またはテイクの代表画に設定する。すなわち、代表画設定表示プログラム１８１は、サムネイル表示部３５３−１乃至３５３−４に表示されている、サムネイルまたは代表画が選択され、ボタン３５５がクリックされたとき、サムネイル表示部３５３−１乃至３５３−４において選択されているサムネイルまたは代表画を、その親の代表画に設定する。
【０２０９】
また、代表画設定表示プログラム１８１は、サムネイル表示部３５３−１乃至３５３−４に表示されている、サムネイルまたは代表画を代表画表示部３５６にドラッグアンドドロップしたとき、サムネイル表示部３５３−１乃至３５３−４からドラッグアンドドロップされたサムネイルまたは代表画を、サムネイル表示部３５３−１乃至３５３−４に表示されているサムネイルまたは代表画の親の代表画に設定する。
【０２１０】
このようにすることで、簡単に代表画を設定することができるようになる。
【０２１１】
なお、テイクの代表画が選択されてカットの代表画とされた場合、代表画が選択されたテイクがカットに採用される。
【０２１２】
付加情報表示部３５７には、構成表ツリー表示部３５２において選択されている、プログラム、エピソード、シーン、カット、またはテイクの情報が表示される。例えば、付加情報表示プログラム１８０は、構成表ツリー表示部３５２においてカットが選択されているとき、選択されているカットの、タイトルなどの一般情報を付加情報表示部３５７に表示する。また、例えば、映像編集プログラム１８３は、構成表ツリー表示部３５２においてカットが選択されている場合、付加情報表示部３５７にタイトルまたはコメントが入力されたとき、選択されているカットに入力されたタイトルまたはコメントを設定する。
【０２１３】
付加情報表示プログラム１８０は、ディテールボタン３５８がクリックされたとき、構成表ツリー表示部３５２において選択されている、プログラム、エピソード、シーン、カット、またはテイクの他の情報をさらに表示する。この場合、付加情報表示プログラム１８０は、他の情報を付加情報表示部３５７に表示させるようにしてもよく、または、さらに図示せぬ他のウィンドウを開いて、そのウィンドウに他の情報を表示させるようにしてもよい。
【０２１４】
ボタン３５９がクリックされたとき、構成表設定表示プログラム１６３は、ストラクチャーウィンドウ３１２を閉じる。
【０２１５】
図１９は、モニターウィンドウ３１３の構成を説明する図である。タイトルバー３７１には、モニターウィンドウの名称（図中の”Monitor Window”）および選択されているクリップ等の略称が表示される。例えば、ディスク１のクリップ５が選択されているとき、ディスク映像モニタプログラム１６１は、タイトルバー３７１に、”Disc 1”および”Clip5”の略称である”D1-<C5>”を表示させる。ディスク映像モニタプログラム１６１は、略称ではなく、全てのタイトル（例えば、”Disc1 - Clip5”など）を表示するようにしてもよい。
【０２１６】
画像表示部３７２には、映像コンテンツデータの映像データを基に、静止画像または動画像である映像が表示される。例えば、ディスク映像モニタプログラム１６１の映像表示プログラム１７２は、ディスクインフォメーションウィンドウ３１１のサムネイル表示部３３４−１乃至３３４−１２に表示されている代表画またはサムネイルがクリックされたとき、クリックされた代表画またはサムネイルに対応する映像データ（例えば、図６で示される、名前がC001V01.MXFであるファイルから読み込まれた映像データ）を基に、映像データにより表示される最初のフレームの画像を画像表示部３７２に表示させる。
【０２１７】
また、例えば、映像表示プログラム１７２は、ストラクチャーウィンドウ３１２の代表画表示部３５６またはサムネイル表示部３５３−１乃至３５３−４に表示されている代表画またはサムネイルがクリックされたとき、クリックされた代表画またはサムネイルに対応する映像データを基に、映像データにより表示される最初のフレームの画像を画像表示部３７２に表示させるようにしてもよい。
【０２１８】
さらに、例えば、映像表示プログラム１７２は、ディスクインフォメーションウィンドウ３１１のサムネイル表示部３３４−１乃至３３４−１２に表示されているエッセンスマークが付されている映像のサムネイルがクリックされたとき、エッセンスマークおよび映像データを基に、エッセンスマークが付されている映像（フレーム）を画像表示部３７２に表示させる。
【０２１９】
例えば、エッセンスマークが設定されている映像のサムネイルを表示しているサムネイル表示部３３４−１乃至３３４−１２のいずれかがダブルクリックされたとき、映像表示プログラム１７２は、選択されているサムネイル表示部３３４−１乃至３３４−１２に対応する、エッセンスマークが設定されているクリップの最初のフレームを画像表示部３７２に表示させる。
【０２２０】
映像表示プログラム１７２は、ポジションバー３７３が操作されたとき、操作の内容に応じた映像を、映像データを基に画像表示部３７２に表示させる。ポジションバー３７３には、フレームコントロールボタン３７４、フレームコントロールボタン３７５、エッセンスマーカー３７６、およびエッセンスマーカー３７７が含まれる。
【０２２１】
フレームコントロールボタン３７４がクリックされたとき、映像表示プログラム１７２は、時間的に１つ前のフレームの映像を画像表示部３７２に表示させる。フレームコントロールボタン３７５がクリックされたとき、映像表示プログラム１７２は、時間的に１つ後のフレームの映像を画像表示部３７２に表示させる。フレームコントロールボタン３７４またはフレームコントロールボタン３７５にポインタが位置する状態で、マウスの左ボタンが継続して押圧された場合、画像表示部３７２に表示される映像は、早送りまたは早戻しされる。この場合、押圧されている時間に応じて、例えば、0.5倍乃至1倍の可変速とするようにしてもよい。
【０２２２】
エッセンスマーカー３７６およびエッセンスマーカー３７７は、画像表示部３７２に映像が表示されている映像コンテンツデータに関係するクリップメタデータに設定されているエッセンスマークの映像上の時間的位置を示す。すなわち、ポジションバー３７３の長さは、画像表示部３７２に表示されている映像の時間的な長さを示し、例えば、ポジションバー３７３の左端は、映像の開始時刻を示し、ポジションバー３７３の右端は、映像の終了時刻を示す。ディスクが選択されているとき、ポジションバー３７３の長さは、選択されたディスクに記録されているクリップの映像の時間的な長さの合計を示す。クリップが選択されているとき、ポジションバー３７３の長さは、選択されたクリップの映像の時間的な長さを示す。
【０２２３】
すなわち、ポジションバー３７３の左端から、エッセンスマーカー３７６またはエッセンスマーカー３７７が表示されている図中の横方向の距離は、映像の時間に対する、映像の開始時刻からエッセンスマークが設定されている時刻までの相対的な時間を示す。
【０２２４】
したがって、使用者は、エッセンスマークが設定されている画像の位置を迅速に知ることができる。
【０２２５】
編集開始位置（Ｉｎ点）および編集終了位置（Ｏｕｔ点）が設定されていないクリップが選択された場合、図２０で示されるように、映像表示プログラム１７２は、ポジションバー３７３の左端に、編集開始位置（Ｉｎ点）を示すＩｎ点マーカー４１１を配置し、ポジションバー３７３の右端に、編集終了位置（Ｏｕｔ点）を示すＯｕｔ点マーカー４１２を配置し、ポジションバー３７３の左端に、画像表示部３７２に表示されている映像の時間的位置を示すと共に、画像表示部３７２に表示させる映像の時間的位置を調整するためのスライダ４１３を表示させる。すなわち、この場合、クリップの全てが切り出されることになる。
【０２２６】
Ｉｎ点マーカー４１１とＯｕｔ点マーカー４１２との間は、ポジションバー３７３に対して色が変わるなどの強調表示される。
【０２２７】
以下、ポジションバー３７３の左端に、編集開始位置（Ｉｎ点）を示すＩｎ点マーカー４１１を配置し、ポジションバー３７３の右端に、編集終了位置（Ｏｕｔ点）を示すＯｕｔ点マーカー４１２を配置することを、１００％表示とも称する。
【０２２８】
映像を再生し、早送り、または早戻しし、映像上の時刻が変化すると、ポジションバー３７３上のスライダ４１３の位置は、左右に移動することになる。逆に、ポジションバー３７３上のスライダ４１３の位置をドラッグして移動させると、ポジションバー３７３上のスライダ４１３の位置に対応した映像上の時刻の映像が、画像表示部３７２に表示される。
【０２２９】
スライダ４１３をエッセンスマーカー３７６またはエッセンスマーカー３７７の位置に移動させれば、エッセンスマークが設定されている画像を迅速に表示させることができる。
【０２３０】
編集開始位置（Ｉｎ点）および編集終了位置（Ｏｕｔ点）が設定されたクリップが選択された場合、図２１で示されるように、映像表示プログラム１７２は、ポジションバー３７３上の編集開始位置（Ｉｎ点）が設定された時刻に対応する位置に、Ｉｎ点マーカー４１１を配置し、ポジションバー３７３上の編集終了位置（Ｏｕｔ点）が設定された時刻に対応する位置に、Ｏｕｔ点マーカー４１２を配置する。
【０２３１】
Ｉｎ点マーカー４１１がクリックされたとき、映像表示プログラム１７２は、編集開始位置（Ｉｎ点）が設定された時刻の映像を画像表示部３７２に表示させる。Ｏｕｔ点マーカー４１２がクリックされたとき、映像表示プログラム１７２は、編集終了位置（Ｏｕｔ点）が設定された時刻の映像を画像表示部３７２に表示させる。
【０２３２】
なお、エッセンスマーカー３７６およびエッセンスマーカー３７７は、エッセンスマーク表示プログラム１７１によってモニターウィンドウ３１３に表示される。エッセンスマーカー３７６およびエッセンスマーカー３７７は、２つとは限らない。エッセンスマーク表示プログラム１７１は、画像表示部３７２に映像が表示されている映像コンテンツデータに関係するクリップメタデータに設定されているエッセンスマークの数だけ、エッセンスマーカーを、モニターウィンドウ３１３のポジションバー３７３に表示させる。
【０２３３】
図１９に戻り、シャトルバー３７８が操作されたとき、映像表示プログラム１７２は、画像表示部３７２に表示されている映像の再生速度を制御する。例えば、シャトルバー３７８のスライダ（図中の四角の部分）は、通常は、シャトルバー３７８のセンターに配置され、スライダがセンターに位置するとき、映像表示プログラム１７２は、画像表示部３７２に静止している映像を表示する。スライダがドラッグされて左側に移動されたとき、映像表示プログラム１７２は、センターからの移動量に応じた速度で、映像上の時間が逆に（過去に向かって）進行する映像（いわゆる、逆転再生の映像）を、画像表示部３７２に表示させる。一方、スライダがドラッグされて右側に移動されたとき、映像表示プログラム１７２は、センターからの移動量に応じた速度で、映像上の時間が順に（未来に向かって）進行する映像を、画像表示部３７２に表示させる。
【０２３４】
映像表示プログラム１７２は、TC表示部３７９に、タイムカウント（Time Count）を表示させる。すなわち、映像表示プログラム１７２は、画像表示部３７２に表示されている映像の、映像上の時刻をTC表示部３７９に表示する。
【０２３５】
映像表示プログラム１７２は、Duration表示部３８０に、時間を表示させる。例えば、ディスクインフォメーションウィンドウ３１１においてディスクが選択されているとき、映像表示プログラム１７２は、Duration表示部３８０に、選択されているディスクの時間的長さを表示させる。例えば、ディスクインフォメーションウィンドウ３１１においてディスクが選択されているとき、映像表示プログラム１７２は、選択されているディスクに記録されている映像の長さを、Duration表示部３８０に表示させる。
【０２３６】
例えば、ディスクインフォメーションウィンドウ３１１においてクリップが選択されているとき、映像表示プログラム１７２は、選択されているクリップの映像の長さを、Duration表示部３８０に表示させる。例えば、ディスクインフォメーションウィンドウ３１１においてエッセンスマークが選択されているとき、映像表示プログラム１７２は、Duration表示部３８０に”０”を表示させる。
【０２３７】
映像表示プログラム１７２は、音声ボタン３８１がクリックされたとき、音声の出力を制御するためのオーディオチャンネルセッティングウィンドウを開く（表示させる）。
【０２３８】
図２２および図２３は、オーディオチャンネルセッティングウィンドウの例を示す図である。ラジオボタン４４１は、ステレオ単位で音声データの選択をするためのボタンである。スライダ４４２がドラッグされて上下に移動されたとき、映像表示プログラム１７２は、スライダ４４２の位置に対応するように、出力する音声信号のレベル（ゲイン）を調整する。図２３で示されるように、チェックボックス４４３がチェックされたとき、映像表示プログラム１７２は、音声信号を出力させない。
【０２３９】
ＯＫボタン４４４がクリックされたとき、映像表示プログラム１７２は、オーディオチャンネルセッティングウィンドウの操作に応じた音声に対する設定を取得し、オーディオチャンネルセッティングウィンドウを閉じる。一方、キャンセルボタン４４５がクリックされたとき、映像表示プログラム１７２は、オーディオチャンネルセッティングウィンドウの操作に応じた音声に対する設定を破棄し、オーディオチャンネルセッティングウィンドウを開く前の、音声に対する設定に戻して、オーディオチャンネルセッティングウィンドウを閉じる。
【０２４０】
図１９に戻り、映像表示プログラム１７２は、コントロールボタンであるTOPボタン３８２乃至ENDボタン３８９がクリックされたとき、画像表示部３７２に表示させる映像を制御する。
【０２４１】
TOPボタン３８２がクリックされたとき、映像表示プログラム１７２は、クリップの先頭のフレームを画像表示部３７２に表示させる。SKIPボタン３８３がクリックされたとき、映像表示プログラム１７２は、前のクリップの映像を画像表示部３７２に表示させる。REWボタン３８４がクリックされたとき、映像表示プログラム１７２は、クリップの映像を早戻し再生して、早戻し再生した映像を画像表示部３７２に表示させる。STOPボタン３８５がクリックされたとき、映像表示プログラム１７２は、動画の再生を停止して、再生を停止した映像上の時刻の静止画像を画像表示部３７２に表示させる。STOPボタン３８５がダブルクリックされたとき、動画の再生を停止して、選択したクリップの先頭のフレームの画像を画像表示部３７２に表示させる。
【０２４２】
PLAYボタン３８６がクリックされたとき、映像表示プログラム１７２は、動画の再生を開始して、再生した映像を画像表示部３７２に表示させる。例えば、ディスクが選択されている場合、PLAYボタン３８６がクリックされたとき、映像表示プログラム１７２は、選択されているディスクの含まれる全てのクリップの映像を再生して、再生した映像を画像表示部３７２に表示させる。例えば、クリップが選択されている場合、PLAYボタン３８６がクリックされたとき、映像表示プログラム１７２は、選択されているクリップの映像を再生して、再生した映像を画像表示部３７２に表示させる。
【０２４３】
FFボタン３８７がクリックされたとき、映像表示プログラム１７２は、クリップの映像を早送り再生して、早送り再生した映像を画像表示部３７２に表示させる。SKIPボタン３８８がクリックされたとき、映像表示プログラム１７２は、次のクリップの映像を画像表示部３７２に表示させる。ENDボタン３８９がクリックされたとき、映像表示プログラム１７２は、クリップの最終のフレームを画像表示部３７２に表示させる。
【０２４４】
エントリーインボタン３９０がクリックされたとき、映像編集プログラム１７３は、映像表示プログラム１７２によって、画像表示部３７２に表示されているフレームに編集開始位置（Ｉｎ点）を設定する。映像編集プログラム１７３は、設定された編集開始位置（Ｉｎ点）の映像上の時刻（TC）を、TC表示部３９１に表示させる。すなわち、エントリーインボタン３９０がクリックされたとき、スライダ４１３の位置に、Ｉｎ点マーカー４１１が移動する。
【０２４５】
エントリーアウトボタン３９２がクリックされたとき、映像編集プログラム１７３は、映像表示プログラム１７２によって、画像表示部３７２に表示されているフレームに編集終了位置（Ｏｕｔ点）を設定する。映像編集プログラム１７３は、設定された編集終了位置（Ｏｕｔ点）の映像上の時刻（TC）を、TC表示部３９３に表示させる。すなわち、エントリーアウトボタン３９２がクリックされたとき、スライダ４１３の位置に、Ｏｕｔ点マーカー４１２が移動する。
【０２４６】
コンボボックス３９４は、クリップ（テイク）のステータスを設定するためのコンボボックスである。コンボボックス３９４をクリックすると、ブランク（空白）、「ＯＫ」、「ＮＧ」、または「ＫＰ」（Keep）からなるメニューがプルダウンされ、ブランク（空白）、「ＯＫ」、「ＮＧ」、および「ＫＰ」のいずれか１つをハイライトとして選択することにより、映像編集プログラム１７３は、ブランク（空白）、「ＯＫ」、「ＮＧ」、および「ＫＰ」のいずれか１つを、クリップ（テイク）のステータスとして入力する。
【０２４７】
コンボボックス３９４によって、「ＯＫ」と入力されたとき、映像編集プログラム１７３は、クリップ（テイク）の映像コンテンツデータを採用する。一方、コンボボックス３９４によって、「ＮＧ」と入力されたとき、映像編集プログラム１７３は、クリップ（テイク）の映像コンテンツデータを不採用とする。また、コンボボックス３９４によって、「ＫＰ」（Keep）と入力されたとき、映像編集プログラム１７３は、クリップ（テイク）の映像コンテンツデータの採用の判断を保留したことを示すデータを設定する。
【０２４８】
なお、編集前には、テイクのステータスにはブランク（空白）が設定され、この場合、コンボボックス３９４には、ブランク（空白）が表示される。
【０２４９】
ディスク映像モニタプログラム１６１は、採用されたテイクの代表画を、そのカットの代表画に設定する。
【０２５０】
エッセンスマークセッティングタブ３９５がクリックされたとき、ディスク映像モニタプログラム１６１のエッセンスマーク入力プログラム１７５は、テキストボックス３９７、エッセンスマーク設定ボタン３９８−１乃至３９８−１５、およびエッセンスマーク設定コンボボックス３９９を表示させる。一方、タイトル設定タブ３９６がクリックされたとき、ディスク映像モニタプログラム１６１のタイトル設定プログラム１７４は、後述するタイトルまたはコメントを設定するためのテキストボックスを表示させる。
【０２５１】
エッセンスマーク入力プログラム１７５は、テキストボックス３９７に、エッセンスマーク設定ボタン３９８−１乃至３９８−１５によって設定されるエッセンスマークが利用される映像のジャンルを表示させる。
【０２５２】
テキストボックス３９７に入力されたジャンルによって、エッセンスマーク入力プログラム１７５は、エッセンスマーク設定ボタン３９８−１乃至３９８−１５によって設定されるエッセンスマークを変更する。例えば、プルダウンメニューにより、ジャンルを設定することができる。
【０２５３】
例えば、エッセンスマーク入力プログラム１７５は、野球であるジャンルが選択されているとき、映像に、ストライク、ボール、アウト、またはストライクアウトなどのエッセンスマークを設定するためのエッセンスマーク設定ボタン３９８−１乃至３９８−１５をモニターウィンドウ３１３に表示させる。例えば、エッセンスマーク入力プログラム１７５は、サッカーであるジャンルが選択されているとき、映像に、ゴール、コーナーキック、またはイエローカードなどのエッセンスマークを設定するためのエッセンスマーク設定ボタン３９８−１乃至３９８−１５をモニターウィンドウ３１３に表示させる。
【０２５４】
エッセンスマーク入力プログラム１７５は、エッセンスマーク設定ボタン３９８−１乃至３９８−１５のいずれかがクリックされたとき、映像表示プログラム１７２によって、画像表示部３７２に表示されているフレームにエッセンスマークを設定する。より具体的には、エッセンスマーク入力プログラム１７５は、エッセンスマーク設定ボタン３９８−１乃至３９８−１５のいずれかがクリックされたとき、映像表示プログラム１７２によって、画像表示部３７２に表示されている映像コンテンツデータに関係する、クリップメタデータに、画像表示部３７２に表示されているフレームを特定するとともに、映像または音声の特徴の内容を示す電子マークデータであるエッセンスマークを設定する。
【０２５５】
例えば、野球であるジャンルが選択され、エッセンスマーク設定ボタン３９８−１がクリックされたとき、エッセンスマーク入力プログラム１７５は、映像表示プログラム１７２によって、画像表示部３７２に表示されているフレームに”ストライク”を示すエッセンスマークを設定する。例えば、野球であるジャンルが選択され、エッセンスマーク設定ボタン３９８−２がクリックされたとき、エッセンスマーク入力プログラム１７５は、映像表示プログラム１７２によって、画像表示部３７２に表示されているフレームに”ボール”を示すエッセンスマークを設定する。
【０２５６】
一方、例えば、サッカーであるジャンルが選択され、エッセンスマーク設定ボタン３９８−１がクリックされたとき、エッセンスマーク入力プログラム１７５は、映像表示プログラム１７２によって、画像表示部３７２に表示されているフレームに”ゴール”を示すエッセンスマークを設定する。例えば、サッカーであるジャンルが選択され、エッセンスマーク設定ボタン３９８−２がクリックされたとき、エッセンスマーク入力プログラム１７５は、映像表示プログラム１７２によって、画像表示部３７２に表示されているフレームに”オフサイド”を示すエッセンスマークを設定する。
【０２５７】
このように、エッセンスマーク設定ボタン３９８−１乃至３９８−１５によって、簡単に、迅速に、エッセンスマークを設定できるようになる。また、ジャンルを選択することによって、同じエッセンスマーク設定ボタン３９８−１乃至３９８−１５でも、ジャンル毎に異なるエッセンマークを設定できるので、簡単に、迅速に、所望のエッセンスマークを設定できるようになる。
【０２５８】
以下、エッセンスマーク設定ボタン３９８−１乃至３９８−１５を個々に区別する必要が無いとき、単に、エッセンスマーク設定ボタン３９８と称する。
【０２５９】
コンボボックス３９９は、設定する頻度の低いエッセンマークを設定するためのコンボボックスである。コンボボックス３９９をクリックすると、設定する頻度の低いエッセンマークからなるメニューがプルダウンされ、プルダウンされたエッセンマークのいずれか１つをハイライトとして選択することにより、エッセンスマーク入力プログラム１７５は、選択されたエッセンスマークを映像に設定する。
【０２６０】
ボタン４００がクリックされたとき、ディスク映像モニタプログラム１６１は、モニターウィンドウ３１３を閉じる。
【０２６１】
図２４は、ジャンル毎に、エッセンスマーク設定ボタン３９８がクリックされたとき設定されるエッセンスマークを変更するためのウィンドウの例を示す図である。図２４で示されるウィンドウは、メニューコマンドの実行によって開かれる。
【０２６２】
コンボボックス５０１がクリックされたとき、エッセンスマークリスト編集プログラム１６５は、プルダウンメニューを表示する。そして、エッセンスマークリスト編集プログラム１６５は、使用者の操作に対応して、表示されたプルダウンメニューの所望のジャンルをハイライト表示し、クリックされることにより選択されたジャンルを取得する。
【０２６３】
リストボックス５０２には、エッセンスマーク設定ボタン３９８と、設定されるエッセンスマークとが対応して表示される。例えば、図２４で示される例において、モニターウィンドウ３１３において、”start”の文字が表示されるエッセンスマーク設定ボタン３９８−１と、エッセンスマーク設定ボタン３９８−１がクリックされたとき設定される、”REC start”であるエッセンスマークとが対応して表示される。また、図２４で示される例において、モニターウィンドウ３１３において、”stop”の文字が表示されるエッセンスマーク設定ボタン３９８−２と、エッセンスマーク設定ボタン３９８−２がクリックされたとき設定される、”REC end”であるエッセンスマークとが対応して表示される。エッセンスマーク設定ボタン３９８と、設定されるエッセンスマークとの対応は、ジャンル毎に、例えば、表であるデータに記述され、ハードディスク１１４の所定のファイルに格納される。
【０２６４】
リストボックス５０２のスクロールバーを表示することにより、リストボックス５０２内の表示が上下にスクロールされる。図２４で示されるように、リストボックス５０２のスクロールバーの操作によって、スクロールされる部分をリストボックス５０２の一部分とすることができる。例えば、設定する頻度の低いエッセンマークを設定するコンボボックス３９９についての、エッセンスマークのみをスクロールするようにしてもよい。
【０２６５】
リストボックス５０３には、全てのジャンルにおける、エッセンスマーク設定ボタン３９８の操作によって設定されるエッセンスマークと、エッセンスマーク設定ボタン３９８に表示される文字とが対応して表示される。リストボックス５０３に表示される、エッセンスマークに関する情報は、ジャンル毎のエッセンスマークのデータとは別に、例えば、表であるデータに記述され、ハードディスク１１４の所定のファイルに格納される。
【０２６６】
リストボックス５０３から、所望のエッセンスマークに関する情報を選択し、リストボックス５０２のエッセンスマーク設定ボタン３９８のいずれかを選択して、コピーボタン５０４をクリックしたとき、エッセンスマークリスト編集プログラム１６５は、リストボックス５０２において選択されたエッセンスマーク設定ボタン３９８に、リストボックス５０３において選択されたエッセンスマークに関する情報をコピーする。
【０２６７】
例えば、リストボックス５０３から、”xstart”と”xRECstart”とからなるエッセンスマークに関する情報を選択し、リストボックス５０２から、”start”の文字が表示され、クリックされたとき”REC start”であるエッセンスマークを設定するエッセンスマーク設定ボタン３９８−１を選択して、コピーボタン５０４をクリックしたとき、エッセンスマークリスト編集プログラム１６５は、”xstart”の文字を表示し、クリックされたとき”xRECstart”であるエッセンスマークを設定するように、エッセンスマーク設定ボタン３９８−１にエッセンスマークに関する情報を設定する。
【０２６８】
リストボックス５０２のエッセンスマーク設定ボタン３９８のいずれかを選択して、ムーブボタン５０５をクリックしたとき、エッセンスマークリスト編集プログラム１６５は、リストボックス５０２において選択されたエッセンスマーク設定ボタン３９８に設定されている情報を、リストボックス５０３を表示させるためのエッセンスマークに関する情報からなるデータに移動（戻す）する。
【０２６９】
リストボックス５０２のエッセンスマーク設定ボタン３９８のいずれかを選択するか、リストボックス５０３から、エッセンスマークに関する情報を選択して、削除ボタン５０６をクリックしたとき、エッセンスマークリスト編集プログラム１６５は、選択されている情報を削除する。
【０２７０】
リストボックス５０２のエッセンスマーク設定ボタン３９８のいずれかを選択して、アップボタン５０７をクリックしたとき、エッセンスマークリスト編集プログラム１６５は、選択されているエッセンスマーク設定ボタン３９８の順番を上げる。例えば、エッセンスマーク設定ボタン３９８−４を選択して、アップボタン５０７をクリックしたとき、エッセンスマークリスト編集プログラム１６５は、エッセンスマーク設定ボタン３９８−４の情報を、エッセンスマーク設定ボタン３９８−３に移動すると共に、移動前のエッセンスマーク設定ボタン３９８−３の情報をエッセンスマーク設定ボタン３９８−４に移動する。
【０２７１】
リストボックス５０２のエッセンスマーク設定ボタン３９８のいずれかを選択して、ダウンボタン５０８をクリックしたとき、エッセンスマークリスト編集プログラム１６５は、選択されているエッセンスマーク設定ボタン３９８の順番を下げる。例えば、エッセンスマーク設定ボタン３９８−４を選択して、ダウンボタン５０８をクリックしたとき、エッセンスマークリスト編集プログラム１６５は、エッセンスマーク設定ボタン３９８−４の情報を、エッセンスマーク設定ボタン３９８−５に移動すると共に、移動前のエッセンスマーク設定ボタン３９８−５の情報をエッセンスマーク設定ボタン３９８−４に移動する。
【０２７２】
このようにすることで、エッセンスマーク設定ボタン３９８が表示する文字およびエッセンスマーク設定ボタン３９８をクリックすることにより設定されるエッセンスマークを簡単に変更することができる。
【０２７３】
リストボックス５０２のエッセンスマーク設定ボタン３９８のいずれかを選択するか、リストボックス５０３から、エッセンスマークに関する情報を選択して、変更ボタン５０９がクリックされたとき、エッセンスマークリスト編集プログラム１６５は、例えば、図２５で示されるウィンドウを表示させる。図２５で示されるウィンドウのボタン名テキストボックス５３１には、エッセンスマーク設定ボタン３９８に表示されるテキストが表示され、エッセンスマーク名テキストボックス５３２には、エッセンスマークであるテキストが表示される。ボタン名テキストボックス５３１のテキスト、またはエッセンスマーク名テキストボックス５３２のテキストは、変更することができる。
【０２７４】
ボタン名テキストボックス５３１のテキスト、またはエッセンスマーク名テキストボックス５３２のテキストが、変更されて、保存ボタン５３３がクリックされたとき、エッセンスマークリスト編集プログラム１６５は、変更されたボタン名テキストボックス５３１のテキスト、またはエッセンスマーク名テキストボックス５３２のテキストを保存して、図２５で示されるウィンドウを消去させる。すなわち、エッセンスマークリスト編集プログラム１６５は、変更されたボタン名テキストボックス５３１のテキスト、またはエッセンスマーク名テキストボックス５３２のテキストを所定のファイルに書き込む。
【０２７５】
キャンセルボタン５３４がクリックされたとき、エッセンスマークリスト編集プログラム１６５は、所定のファイルに、変更されたボタン名テキストボックス５３１のテキスト、またはエッセンスマーク名テキストボックス５３２のテキストを書き込まないで、図２５で示されるウィンドウを消去させる。すなわち、この場合、エッセンスマーク設定ボタン３９８に表示されるテキスト、およびエッセンスマークであるテキストは、変更されない。
【０２７６】
新規追加ボタン５１０がクリックされたとき、エッセンスマークリスト編集プログラム１６５は、例えば、図２５で示されるウィンドウを表示させる。この場合、ボタン名テキストボックス５３１、およびエッセンスマーク名テキストボックス５３２は、空欄となる。ボタン名テキストボックス５３１のテキスト、またはエッセンスマーク名テキストボックス５３２のテキストが、入力されて、保存ボタン５３３がクリックされたとき、エッセンスマークリスト編集プログラム１６５は、変更されたボタン名テキストボックス５３１のテキスト、またはエッセンスマーク名テキストボックス５３２のテキストを新たに保存して、図２５で示されるウィンドウを消去させる。
【０２７７】
リスト読み込みボタン５１１がクリックされたとき、エッセンスマークリスト編集プログラム１６５は、指定されたファイルであるリストから、ボタン名のテキストとエッセンスマークのテキストとからなる情報を読み込み、リストボックス５０２に表示させるか、またはリストボックス５０３に表示させる。この場合、指定されたファイルであるリストは、ジャンル別のリストとするか、リストボックス５０３に追加表示させるリストとすることができる。
【０２７８】
図２６は、ジャンル毎に、エッセンスマーク設定ボタン３９８がクリックされたとき設定されるエッセンスマークを設定するためのウィンドウの他の例を示す図である。図２６で示される、エッセンスマークを設定するためのウィンドウは、コンボボックス５０１、リストボックス５０２、削除ボタン５０６、アップボタン５０７、ダウンボタン５０８、変更ボタン５０９、新規追加ボタン５１０、およびリスト読み込みボタン５１１からなり、リストボックス５０３、コピーボタン５０４、およびムーブボタン５０５を含まない。
【０２７９】
このように、エッセンスマーク設定ボタン３９８がクリックされたとき設定されるエッセンスマークを設定するためのウィンドウは、より簡単な構成としてもよい。
【０２８０】
図２７は、タイトル設定タブ３９６がクリックされたときの、モニターウィンドウ３１３の構成を説明する図である。図１９で示す場合と同様の部分には、同一の番号を付してあり、その説明は省略する。
【０２８１】
タイトル設定プログラム１７４は、クリップが選択されているとき、テキストボックス６０１に入力されたテキストを、選択されているクリップのタイトルに設定する。タイトル設定プログラム１７４は、クリップが選択されているとき、テキストボックス６０２に入力されたテキストを、選択されているクリップのコメントに設定する。タイトル設定プログラム１７４は、クリップのタイトルおよびコメントを、クリップメタデータに記述する。
【０２８２】
タイトル設定プログラム１７４は、ディスクが選択されているとき、テキストボックス６０１に入力されたテキストを、選択されているディスクのタイトルに設定する。タイトル設定プログラム１７４は、ディスクが選択されているとき、テキストボックス６０２に入力されたテキストを、選択されているディスクのコメントに設定する。タイトル設定プログラム１７４は、ディスクのタイトルおよびコメントを、ディスクメタデータに記述する。
【０２８３】
なお、図２８で示されるように、モニターウィンドウ３１３において、ジャンルを選択するためのテキストボックス３９７に代えて、ジャンルを選択するためのリストボックス６３１を表示させるようにしてもよい。この場合、ジャンルの選択がより容易に、迅速にできるようになる。
【０２８４】
次に、ストラクチャーウィンドウ３１２において、プログラム、エピソード、シーン、カット、またはテイクが選択されたときの、ウィンドウ３０１について説明する。図２９は、ストラクチャーウィンドウ３１２において、プログラム、エピソード、シーン、カット、またはテイクが選択されたときの、ウィンドウ３０１の例を示す図である。ストラクチャーウィンドウ３１２において、プログラム、エピソード、シーン、カット、またはテイクが選択されたとき、編集プログラム１５１は、フィールドＰＣ１５の出力部１１７であるLCDに、GUIとしての表示画面である、ディスクインフォメーションウィンドウ３１１、ストラクチャーウィンドウ３１２、およびモニターウィンドウ７０１からなるウィンドウ３０１を表示させる。
【０２８５】
図３０は、構成表映像モニタプログラム１６４により表示されるモニターウィンドウ７０１の構成を説明する図である。タイトルバー７２１乃至TC表示部７２９、音声ボタン７３１、およびエントリーインボタン７４０乃至コンボボックス７４４のそれぞれは、図１９のタイトルバー３７１乃至TC表示部３７９、音声ボタン３８１、およびエントリーインボタン３９０乃至コンボボックス３９４のそれぞれと同様なので、その説明は省略する。
【０２８６】
ただし、エッセンスマーク表示プログラム１７１乃至映像編集プログラム１７３に代わって、エッセンスマーク表示プログラム１８４乃至代表画設定表示プログラム１８８が処理を実行する。そして、モニターウィンドウ７０１の表示の対象が、プログラム、エピソード、シーン、カット、またはテイクである点が異なる。
【０２８７】
例えば、ストラクチャーウィンドウ３１２においてプログラムが選択されているとき、映像表示プログラム１７２は、Duration表示部３８０に、選択されているプログラムの時間（の長さ）を表示させる。例えば、ストラクチャーウィンドウ３１２においてエピソードが選択されているとき、映像表示プログラム１７２は、Duration表示部３８０に、選択されているエピソードの時間（の長さ）を表示させる。例えば、ストラクチャーウィンドウ３１２においてシーンが選択されているとき、映像表示プログラム１７２は、Duration表示部３８０に、選択されているシーンの時間（の長さ）を表示させる。
【０２８８】
例えば、ストラクチャーウィンドウ３１２においてカットが選択されているとき、映像表示プログラム１８５は、Duration表示部７３０に、選択されているカットの時間（の長さ）を表示させる。例えば、ストラクチャーウィンドウ３１２においてテイクが選択されているとき、映像表示プログラム１８５は、Duration表示部７３０に、選択されているテイクの時間（の長さ）を表示させる。
【０２８９】
映像表示プログラム１８５は、コントロールボタンであるTOPボタン７３２乃至ENDボタン７３９がクリックされたとき、画像表示部７２２に表示させる映像を制御する。
【０２９０】
例えば、プログラムが選択されている場合、TOPボタン７３２がクリックされたとき、映像表示プログラム１８５は、選択されているプログラムの先頭のエピソードを画像表示部７２２に表示させる。エピソードが選択されている場合、TOPボタン７３２がクリックされたとき、映像表示プログラム１８５は、選択されているエピソードの先頭のシーンを画像表示部７２２に表示させる。シーンが選択されている場合、TOPボタン７３２がクリックされたとき、映像表示プログラム１８５は、選択されているシーンの先頭のカットを画像表示部７２２に表示させる。
【０２９１】
例えば、プログラムが選択されている場合、SKIPボタン７３３がクリックされたとき、映像表示プログラム１８５は、選択されているプログラムの中の、それまでに画像表示部７２２に表示されていたエピソードの前のエピソードを画像表示部７２２に表示させる。エピソードが選択されている場合、SKIPボタン７３３がクリックされたとき、映像表示プログラム１８５は、選択されているエピソードの中の、それまでに画像表示部７２２に表示されていたシーンの前のシーンを画像表示部７２２に表示させる。シーンが選択されている場合、SKIPボタン７３３がクリックされたとき、映像表示プログラム１８５は、選択されているシーンの中の、それまでに画像表示部７２２に表示されていたカットの前のカットを画像表示部７２２に表示させる。
【０２９２】
例えば、プログラムが選択されている場合、REWボタン７３４がクリックされたとき、映像表示プログラム１８５は、選択されているプログラムの含まれる全てのエピソードを早戻し再生して、画像表示部７２２に表示させる。例えば、エピソードが選択されている場合、REWボタン７３４がクリックされたとき、映像表示プログラム１８５は、選択されているエピソードの含まれる全てのシーンを早戻し再生して、画像表示部７２２に表示させる。例えば、シーンが選択されている場合、REWボタン７３４がクリックされたとき、映像表示プログラム１８５は、選択されているシーンの含まれる全てのカットを早戻し再生して、画像表示部７２２に表示させる。
【０２９３】
STOPボタン７３５がクリックされたとき、映像表示プログラム１８５は、動画の再生を停止して、再生を停止した映像上の時刻の静止画像を画像表示部７２２に表示させる。
【０２９４】
PLAYボタン７３６がクリックされたとき、映像表示プログラム１８５は、動画の再生を開始して、再生した映像を画像表示部７２２に表示させる。例えば、プログラムが選択されている場合、PLAYボタン７３６がクリックされたとき、映像表示プログラム１８５は、選択されているプログラムの含まれる全てのエピソードを再生して、画像表示部７２２に表示させる。例えば、エピソードが選択されている場合、PLAYボタン７３６がクリックされたとき、映像表示プログラム１８５は、選択されているエピソードの含まれる全てのシーンを再生して、画像表示部７２２に表示させる。例えば、シーンが選択されている場合、PLAYボタン７３６がクリックされたとき、映像表示プログラム１８５は、選択されているシーンの含まれる全てのカットを再生して、画像表示部７２２に表示させる。
【０２９５】
例えば、プログラムが選択されている場合、ＦＦボタン７３７がクリックされたとき、映像表示プログラム１８５は、選択されているプログラムの含まれる全てのエピソードを早送り再生して、画像表示部７２２に表示させる。例えば、エピソードが選択されている場合、ＦＦボタン７３７がクリックされたとき、映像表示プログラム１８５は、選択されているエピソードの含まれる全てのシーンを早送り再生して、画像表示部７２２に表示させる。例えば、シーンが選択されている場合、ＦＦボタン７３７がクリックされたとき、映像表示プログラム１８５は、選択されているシーンの含まれる全てのカットを早送り再生して、画像表示部７２２に表示させる。
【０２９６】
例えば、プログラムが選択されている場合、SKIPボタン７３８がクリックされたとき、映像表示プログラム１８５は、選択されているプログラムの中の、それまでに画像表示部７２２に表示されていたエピソードの次のエピソードを画像表示部７２２に表示させる。エピソードが選択されている場合、SKIPボタン７３８がクリックされたとき、映像表示プログラム１８５は、選択されているエピソードの中の、それまでに画像表示部７２２に表示されていたシーンの次のシーンを画像表示部７２２に表示させる。シーンが選択されている場合、SKIPボタン７３８がクリックされたとき、映像表示プログラム１８５は、選択されているシーンの中の、それまでに画像表示部７２２に表示されていたカットの次のカットを画像表示部７２２に表示させる。
【０２９７】
例えば、プログラムが選択されている場合、ENDボタン７３９がクリックされたとき、映像表示プログラム１８５は、選択されているプログラムの最後尾のエピソードを画像表示部７２２に表示させる。エピソードが選択されている場合、ENDボタン７３９がクリックされたとき、映像表示プログラム１８５は、選択されているエピソードの最後尾のシーンを画像表示部７２２に表示させる。シーンが選択されている場合、ENDボタン７３９がクリックされたとき、映像表示プログラム１８５は、選択されているシーンの最後尾のカットを画像表示部７２２に表示させる。
【０２９８】
構成表表示プログラム１８７は、リストボックス７４５に、選択されているプログラム、エピソード、シーン、またはテイクに設定されているエッセンスマークの映像上の時刻を示すリストを表示する。例えば、シーンが選択されているとき、構成表表示プログラム１８７は、リストボックス７４５に、選択されているシーンに含まれるカットに設定されているエッセンスマークであるテキストおよび映像上の時刻を示すリストを表示する。
【０２９９】
リストボックス７４５に表示されている１つのエッセンスマークの文字（エッセンスマークのテキストと時刻とからなる）がダブルクリックされると、構成表表示プログラム１８７は、映像表示プログラム１８５に、ダブルクリックされたエッセンスマークが設定されている映像を画像表示部７２２に表示させる。エッセンスマークが設定されている映像の時刻を表示するように、ポジションバー７２３およびTC表示部７２９の表示が変更される。
【０３００】
代表画設定表示プログラム１８８は、サムネイル表示部７４６に、選択されているプログラム、エピソード、シーン、またはテイクの代表画を表示する。代表画設定表示プログラム１８８は、テキストボックス７４７に、選択されているプログラム、エピソード、シーン、またはテイクの代表画のタイムカウント（TC）を表示する。
【０３０１】
代表画設定表示プログラム１８８は、エントリボタン７４８がクリックされたとき、画像表示部７２２に表示されている画像を、選択されているプログラム、エピソード、シーン、またはテイクの代表画に設定する。例えば、エピソードが選択されている場合、エントリボタン７４８がクリックされたとき、代表画設定表示プログラム１８８は、画像表示部７２２に表示されている画像を、選択されているエピソードの代表画に設定する。設定された代表画を示す情報は、プログラムメタデータに格納される。
【０３０２】
キャンセルボタン７４９がクリックされたとき、代表画設定表示プログラム１８８は、直前になされた代表画の設定を解除し、直前になされた代表画の設定の前の状態に代表画の設定を戻す。
【０３０３】
ボタン７５０がクリックされたとき、構成表映像モニタプログラム１６４は、モニターウィンドウ７０１を閉じる。
【０３０４】
図３１は、ディスクインフォメーションウィンドウ３１１の操作に対する、ディスクインフォメーションウィンドウ３１１の表示の動作およびモニターウィンドウ３１３の表示の動作を説明する図である。
【０３０５】
ツリー表示部３３２のルートであるディスク情報表示プログラム１６２を示す文字または図形（例えば、図１２中の”Disc Manager”）が選択されているとき、サムネイル／リスト表示プログラム１７７は、サムネイル表示部３３４に、各ディスクの代表画を表示させる。サムネイル表示部３３４に表示されている、ディスクの代表画がクリックされたとき、ディスク情報表示プログラム１６２は、クリックされたディスクを選択する。このとき、映像表示プログラム１７２は、ディスクの代表画を画像表示部３７２に表示させ、タイトル設定プログラム１７４は、ディスクのタイトルを表示させる。
【０３０６】
ツリー表示部３３２のディスクを示す文字または図形（例えば、図１２中の”Disc 1”）が選択されているとき、サムネイル／リスト表示プログラム１７７は、サムネイル表示部３３４に、選択されている文字または図形に対応するディスクの各クリップの代表画を表示させる。サムネイル表示部３３４に表示されている、クリップの代表画がクリックされたとき、ディスク情報表示プログラム１６２は、クリックされたクリップを選択する。このとき、映像表示プログラム１７２は、クリップの代表画またはディスクの代表画を画像表示部３７２に表示させ、タイトル設定プログラム１７４は、クリップのタイトルを表示させる。
【０３０７】
ツリー表示部３３２のクリップを示す文字または図形（例えば、図１２中の”Clip5”）が選択されているとき、サムネイル／リスト表示プログラム１７７は、サムネイル表示部３３４に、選択されている文字または図形に対応するクリップのエッセンスマークが設定されているフレームの画像を表示させる。サムネイル表示部３３４に表示されている、エッセンスマークが設定されているフレームの画像がクリックされたとき、ディスク情報表示プログラム１６２は、クリックされた、エッセンスマークが設定されているフレームの画像を選択する。このとき、映像表示プログラム１７２は、クリップの代表位置の映像を画像表示部３７２に表示させ、タイトル設定プログラム１７４は、クリップのタイトルを表示させる。
【０３０８】
ツリー表示部３３２のエッセンスマークを示す文字または図形が選択されているとき、サムネイル／リスト表示プログラム１７７は、サムネイル表示部３３４に、選択されている文字または図形に対応するエッセンスマークが付されているクリップのエッセンスマークが設定されているフレームの画像を表示させる。サムネイル表示部３３４に表示されている、エッセンスマークが設定されているフレームの画像がクリックされたとき、ディスク情報表示プログラム１６２は、クリックされた、エッセンスマークが設定されているフレームの画像を選択する。このとき、映像表示プログラム１７２は、エッセンスマークが設定されているフレームの映像を画像表示部３７２に表示させ、タイトル設定プログラム１７４は、クリップのタイトルを表示させる。
【０３０９】
ツリー表示部３３２のルートであるディスク情報表示プログラム１６２を示す文字または図形が選択されている場合、代表画が設定されていないとき、サムネイル／リスト表示プログラム１７７は、クリップのサムネイルを作成して、サムネイル表示部３３４に、サムネイルを表示させる。例えば、サムネイル／リスト表示プログラム１７７は、クリップの先頭のフレームを基に、サムネイルを作成する。このとき、映像表示プログラム１７２は、代表クリップの代表画を画像表示部３７２に表示させる。
【０３１０】
ツリー表示部３３２のクリップであるディスク情報表示プログラム１６２を示す文字または図形が選択されている場合、代表画が設定されていないとき、サムネイル／リスト表示プログラム１７７は、エッセンスマークが設定されているフレームの画像からサムネイルを作成して、サムネイル表示部３３４に、サムネイルを表示させる。このとき、エッセンスマーク設定プログラム１７１は、キーフレームが設定された映像の位置を表示させる。キーフレームとは、エッセンスマークの１種である。
【０３１１】
図３２は、ストラクチャーウィンドウ３１２の操作に対する、ストラクチャーウィンドウ３１２の表示の動作およびモニターウィンドウ７０１の表示の動作を説明する図である。
【０３１２】
構成表ツリー表示部３５２のルートである構成表設定表示プログラム１６３を示す文字または図形が選択されているとき、構成表ツリー表示プログラム１７９は、代表画表示部３５６に、プログラムの代表画を表示させる。このとき、代表画設定表示プログラム１８８は、プログラムの代表画を画像表示部７２２に表示させる。
【０３１３】
構成表ツリー表示部３５２のプログラムである構成表設定表示プログラム１６３を示す文字または図形が選択されているとき、構成表ツリー表示プログラム１７９は、代表画表示部３５６に、プログラムの代表画を表示させ、サムネイル(ストーリボード)表示プログラム１８２は、サムネイル表示部３５３に、エピソードのサムネイルを表示させ、構成表設定表示プログラム１６３は、タイトルバー３５１に、プログラムのタイトルを表示させる。このとき、代表画設定表示プログラム１８８は、プログラムの代表画を画像表示部７２２に表示させ、Duration表示部７３０に、プログラムの全長（時間）を表示させる。
【０３１４】
構成表ツリー表示部３５２のエピソードである構成表設定表示プログラム１６３を示す文字または図形が選択されているとき、構成表ツリー表示プログラム１７９は、代表画表示部３５６に、エピソードの代表画を表示させ、サムネイル(ストーリボード)表示プログラム１８２は、サムネイル表示部３５３に、シーンのサムネイルを表示させ、構成表設定表示プログラム１６３は、タイトルバー３５１に、エピソードのタイトルを表示させる。このとき、代表画設定表示プログラム１８８は、エピソードの代表画を画像表示部７２２に表示させ、Duration表示部７３０に、エピソードの全長（時間）を表示させる。
【０３１５】
構成表ツリー表示部３５２のシーンである構成表設定表示プログラム１６３を示す文字または図形が選択されているとき、構成表ツリー表示プログラム１７９は、代表画表示部３５６に、シーンの代表画を表示させ、サムネイル(ストーリボード)表示プログラム１８２は、サムネイル表示部３５３に、カットのサムネイルを表示させ、構成表設定表示プログラム１６３は、タイトルバー３５１に、シーンのタイトルを表示させる。
【０３１６】
構成表ツリー表示部３５２のカットである構成表設定表示プログラム１６３を示す文字または図形が選択されているとき、構成表ツリー表示プログラム１７９は、代表画表示部３５６に、採用テイクの映像を表示させ、サムネイル(ストーリボード)表示プログラム１８２は、サムネイル表示部３５３に、テイクのサムネイルを表示させ、構成表設定表示プログラム１６３は、タイトルバー３５１に、カットのタイトルを表示させる。
【０３１７】
図３３は、ディスクインフォメーションウィンドウ３１１の操作に対する、モニターウィンドウ３１３の動作の詳細を説明する図である。
【０３１８】
以下に、ツリー表示部３３２のルートであるディスク情報表示プログラム１６２を示す文字または図形が選択されたときの、モニターウィンドウ３１３の動作を説明する。
【０３１９】
タイトルバー３７１には、ディスクの番号および再生中のクリップの番号が表示される。画像表示部３７２には、ディスクの代表画が表示される。ポジションバー３７３の表示は、ディスクのDurationが基準とされる。ポジションバー３７３上のスライダ４１３の位置は、（（現フレームの番号）−（最少のテイクの開始フレームの番号））／（Duration）の演算によって決定される。フレームコントロールボタン３７４およびフレームコントロールボタン３７５の操作による動作は、フレームメタデータのフレームの番号によって制御される。
【０３２０】
Ｉｎ点マーカー４１１およびＯｕｔ点マーカー４１２は機能しない。エッセンスマーカー３７６およびエッセンスマーカー３７７は、ディスク内のエッセンスマークの位置を表示する。シャトルバー３７８の操作によって、ディスクの全てのクリップの再生速度が決定される。TC表示部３７９には、クリップのタイムカウント（TC:Time Count）が表示される。Duration表示部３８０には、ディスクに記録されている映像の長さ（時間）が表示される。
【０３２１】
音声ボタン３８１をクリックすると、オーディオチャンネルセッティングウィンドウが開かれる。TOPボタン３８２がクリックされると、最初のクリップの最初のフレームの映像が画像表示部３７２に表示される。SKIPボタン３８３がクリックされると、前のディスクの最初のフレームの映像が画像表示部３７２に表示される。REWボタン３８４がクリックされると、最初のクリップの最初のフレームに向かって映像がサーチされる。STOPボタン３８５がクリックされると、映像の再生が停止する。
【０３２２】
PLAYボタン３８６がクリックされると、最後のクリップまで映像が再生され、映像が画像表示部３７２に表示される。FFボタン３８７がクリックされると、最後のクリップの最後のフレームに向かって映像がサーチされる。SKIPボタン３８８がクリックされると、次のディスクの最初のフレームの映像が画像表示部３７２に表示される。ENDボタン３８９がクリックされると、最後のクリップの最後のフレームの映像が画像表示部３７２に表示される。
【０３２３】
エントリーインボタン３９０、TC表示部３９１、エントリーアウトボタン３９２、およびTC表示部３９３は、機能しない。
【０３２４】
テキストボックス３９７、エッセンスマーク設定ボタン３９８、およびコンボボックス３９９は、機能しない。また、エッセンスマーク設定ボタン３９８がクリックされたとき設定されるエッセンスマークを変更することはできない。
【０３２５】
次に、ツリー表示部３３２のディスクであるディスク情報表示プログラム１６２を示す文字または図形が選択されたときの、モニターウィンドウ３１３の動作を説明する。
【０３２６】
タイトルバー３７１には、ディスクの番号および再生中のクリップの番号が表示される。ルートを選択した場合から、ディスクの番号および再生中のクリップの番号の表示は変化する。画像表示部３７２には、選択されたディスクの代表画が表示される。ポジションバー３７３の表示は、選択されたディスクのDurationが基準とされる。ポジションバー３７３上のスライダ４１３の位置は、（（現フレームの番号）−（テイクの開始フレームの番号））／（Duration）の演算によって決定される。フレームコントロールボタン３７４およびフレームコントロールボタン３７５の操作による動作は、フレームメタデータのフレームの番号によって制御される。
【０３２７】
エッセンスマーカー３７６およびエッセンスマーカー３７７は、ディスクのDurationに対する、各クリップ内のエッセンスマークの位置を表示する。シャトルバー３７８の操作によって、現在のクリップの再生速度が決定される。TC表示部３７９には、クリップのタイムカウント（TC:Time Count）が表示される。Duration表示部３８０には、選択されたディスクに記録されている映像の長さ（時間）が表示される。
【０３２８】
音声ボタン３８１をクリックすると、オーディオチャンネルセッティングウィンドウが開かれる。TOPボタン３８２がクリックされると、現在のクリップの最初のフレームの映像が画像表示部３７２に表示される。SKIPボタン３８３がクリックされると、前のクリップの映像が画像表示部３７２に表示される。REWボタン３８４がクリックされると、現在のクリップの最初のフレームに向かって映像がサーチされる。STOPボタン３８５がクリックされると、映像の再生が停止する。
【０３２９】
PLAYボタン３８６がクリックされると、現在のクリップの映像が再生され、映像が画像表示部３７２に表示される。FFボタン３８７がクリックされると、現在のクリップの最後のフレームに向かって映像がサーチされる。SKIPボタン３８８がクリックされると、次のクリップのテイクの映像が画像表示部３７２に表示される。ENDボタン３８９がクリックされると、現在のクリップの最後のフレームの映像が画像表示部３７２に表示される。
【０３３０】
構成表のカットに貼り付けられたとき、エントリーインボタン３９０が操作されると、そのときのタイムカウントがそのカットの編集開始位置として記録される。TC表示部３９１には、編集開始位置のフレーム番号がタイムカウントに変換されて表示される。
【０３３１】
構成表のカットに貼り付けられたとき、エントリーアウトボタン３９２が操作されると、そのときのタイムカウントがそのカットの編集終了位置として記録される。TC表示部３９３には、編集終了位置のフレーム番号がタイムカウントに変換されて表示される。
【０３３２】
エッセンスマーク設定ボタン３９８がクリックされると、タイムカウントのフレームの位置に、クリックされたエッセンスマーク設定ボタン３９８に対応したエッセンスマークが挿入される。コンボボックス３９９によってメニューが選択されると、タイムカウントのフレームの位置に、メニューに対応したエッセンスマークが挿入される。また、エッセンスマーク設定ボタン３９８がクリックされたとき設定されるエッセンスマークを変更することができる。
【０３３３】
次に、ツリー表示部３３２のクリップであるディスク情報表示プログラム１６２を示す文字または図形が選択されたときの、モニターウィンドウ３１３の動作を説明する。
【０３３４】
タイトルバー３７１には、ディスクの番号および再生中のクリップの番号が表示される。画像表示部３７２には、映像コンテンツデータを基に、選択されたクリップの代表画または最初のフレームの静止画が表示される。ポジションバー３７３の表示は、選択されたクリップのDurationが基準とされる。ポジションバー３７３上のスライダ４１３の位置は、（（現フレームの番号）−（テイクの開始フレームの番号））／（Duration）の演算によって決定される。フレームコントロールボタン３７４およびフレームコントロールボタン３７５の操作による動作は、フレームメタデータのフレームの番号によって制御される。
【０３３５】
エッセンスマーカー３７６およびエッセンスマーカー３７７は、クリップのDurationに対する、各クリップ内のエッセンスマークの位置を表示する。シャトルバー３７８の操作によって、現在のクリップの再生速度が決定される。TC表示部３７９には、クリップのタイムカウント（TC:Time Count）が表示される。Duration表示部３８０には、選択されたクリップに記録されている映像の長さ（時間）が表示される。
【０３３６】
音声ボタン３８１をクリックすると、オーディオチャンネルセッティングウィンドウが開かれる。TOPボタン３８２がクリックされると、現在のクリップの最初のフレームの映像が画像表示部３７２に表示される。SKIPボタン３８３がクリックされると、前のクリップの映像が画像表示部３７２に表示される。REWボタン３８４がクリックされると、現在のクリップの最初のフレームに向かって映像がサーチされる。STOPボタン３８５がクリックされると、映像の再生が停止する。
【０３３７】
PLAYボタン３８６がクリックされると、現在のクリップの映像が再生され、映像が画像表示部３７２に表示される。FFボタン３８７がクリックされると、現在のクリップの最後のフレームに向かって映像がサーチされる。SKIPボタン３８８がクリックされると、次のクリップのテイクの映像が画像表示部３７２に表示される。ENDボタン３８９がクリックされると、現在のクリップの最後のフレームの映像が画像表示部３７２に表示される。
【０３３８】
構成表のカットに貼り付けられたとき、エントリーインボタン３９０が操作されると、そのときのタイムカウントがそのカットの編集開始位置として記録される。TC表示部３９１には、編集開始位置のフレーム番号がタイムカウントに変換されて表示される。
【０３３９】
構成表のカットに貼り付けられたとき、エントリーアウトボタン３９２が操作されると、そのときのタイムカウントがそのカットの編集終了位置として記録される。TC表示部３９３には、編集終了位置のフレーム番号がタイムカウントに変換されて表示される。
【０３４０】
エッセンスマーク設定ボタン３９８がクリックされると、タイムカウントのフレームの位置に、クリックされたエッセンスマーク設定ボタン３９８に対応したエッセンスマークが挿入される。コンボボックス３９９によってメニューが選択されると、タイムカウントのフレームの位置に、メニューに対応したエッセンスマークが挿入される。また、エッセンスマーク設定ボタン３９８がクリックされたとき設定されるエッセンスマークを変更することができる。
【０３４１】
テキストボックス６０１には、クリップメタデータを基に、テイクのタイトルが表示される。テキストボックス６０２には、クリップメタデータを基に、テイクのコメントが表示される。
【０３４２】
次に、ツリー表示部３３２のエッセンスマークであるディスク情報表示プログラム１６２を示す文字または図形が選択されたときの、モニターウィンドウ３１３の動作を説明する。
【０３４３】
タイトルバー３７１には、ディスクの番号および再生中のクリップの番号が表示される。画像表示部３７２には、選択されたエッセンスマークが付されたフレームの静止画が表示される。ポジションバー３７３の表示は、選択されたクリップのDurationが基準とされる。ポジションバー３７３上のスライダ４１３の位置は、（（現フレームの番号）−（テイクの開始フレームの番号））／（Duration）の演算によって決定される。フレームコントロールボタン３７４およびフレームコントロールボタン３７５の操作による動作は、フレームメタデータのフレームの番号によって制御される。
【０３４４】
エッセンスマーカー３７６およびエッセンスマーカー３７７は、クリップのDurationに対する、各クリップ内のエッセンスマークの位置を表示する。シャトルバー３７８の操作によって、現在のクリップの再生速度が決定される。TC表示部３７９には、クリップのタイムカウント（TC:Time Count）が表示される。Duration表示部３８０には、選択されたクリップに記録されている映像の長さ（時間）が表示される。
【０３４５】
音声ボタン３８１をクリックすると、オーディオチャンネルセッティングウィンドウが開かれる。TOPボタン３８２がクリックされると、現在のクリップの最初のフレームの映像が画像表示部３７２に表示される。SKIPボタン３８３がクリックされると、映像上の時間的に前の、エッセンスマークがふれされたフレームの映像が画像表示部３７２に表示される。REWボタン３８４がクリックされると、現在のクリップの最初のフレームに向かって映像がサーチされる。STOPボタン３８５がクリックされると、映像の再生が停止する。
【０３４６】
PLAYボタン３８６がクリックされると、現在のクリップの映像が再生され、映像が画像表示部３７２に表示される。FFボタン３８７がクリックされると、現在のクリップの最後のフレームに向かって映像がサーチされる。SKIPボタン３８８がクリックされると、映像上の時間的に後の、エッセンスマークがふれされたフレームの映像がENDボタン３８９がクリックされると、現在のクリップの最後のフレームの映像が画像表示部３７２に表示される。
【０３４７】
構成表のカットに貼り付けられたとき、エントリーインボタン３９０が操作されると、そのときのタイムカウントがそのカットの編集開始位置として記録される。TC表示部３９１には、編集開始位置のフレーム番号がタイムカウントに変換されて表示される。
【０３４８】
構成表のカットに貼り付けられたとき、エントリーアウトボタン３９２が操作されると、そのときのタイムカウントがそのカットの編集終了位置として記録される。TC表示部３９３には、編集終了位置のフレーム番号がタイムカウントに変換されて表示される。
【０３４９】
エッセンスマーク設定ボタン３９８およびコンボボックス３９９は機能しない。また、エッセンスマーク設定ボタン３９８がクリックされたとき設定されるエッセンスマークを変更することができる。
【０３５０】
テキストボックス６０１には、クリップメタデータを基に、テイクのタイトルが表示される。テキストボックス６０２には、クリップメタデータを基に、テイクのコメントが表示される。
【０３５１】
図３４は、ストラクチャーウィンドウ３１２の操作に対する、モニターウィンドウ７０１の動作の詳細を説明する図である。
【０３５２】
以下に、構成表ツリー表示部３５２のルートを示す文字または図形が選択されたときの、モニターウィンドウ７０１の動作を説明する。
【０３５３】
タイトルバー７２１には、プログラム、エピソード、シーン、およびカットの名前が表示される。画像表示部７２２には、プログラム１の代表画が表示される。ポジションバー７２３の表示は、プログラムに含まれる全カットのDurationの合計が基準とされる。ポジションバー７２３上のスライダの位置は、プログラム１の代表画のタイムカウントによって決定される。フレームコントロールボタン７２４およびフレームコントロールボタン７２５の操作による動作は、フレームメタデータのフレームの番号によって制御される。
【０３５４】
Ｉｎ点マーカーおよびＯｕｔ点マーカーは機能しない。エッセンスマーカー７２６およびエッセンスマーカー７２７は、プログラム１内のエッセンスマークの位置を表示する。シャトルバー７２８の操作によって、プログラム１の全てのカットの再生速度が決定される。TC表示部７２９には、プログラム１の先頭からのフレームカウントが表示される。Duration表示部７３０には、プログラム１の全てのカットの映像の長さ（時間）が表示される。
【０３５５】
音声ボタン７３１をクリックすると、オーディオチャンネルセッティングウィンドウが開かれる。TOPボタン７３２がクリックされると、プログラムの最初のカットの最初のフレームの映像が画像表示部７２２に表示される。SKIPボタン７３３は機能しない。REWボタン７３４がクリックされると、プログラムの最初のカットの最初のフレームに向かって、エディットテーブル順に戻り、停止し、映像がサーチされる。STOPボタン７３５がクリックされると、映像の再生が停止する。
【０３５６】
PLAYボタン７３６がクリックされると、最後のカットまで、エディットテーブル順に映像が再生され、映像が画像表示部７２２に表示される。FFボタン７３７がクリックされると、プログラムの最後のカットの最後のフレームに向かって、エディットテーブル順に進み、停止し、映像がサーチされる。SKIPボタン７３８がクリックされると、次のプログラムの最初のフレームの映像が画像表示部７２２に表示される。ENDボタン７７４がクリックされると、プログラムの最後のカットの最後のフレームの映像が画像表示部７２２に表示される。
【０３５７】
エントリーインボタン７４０、TC表示部７４１、エントリーアウトボタン７４２、およびTC表示部７４３は、機能しない。
【０３５８】
リストボックス７４５には、キーフレームの位置が表示される。サムネイル表示部７４６には、プログラムの代表画が表示される。テキストボックス７４７には、プログラムの代表画のタイムカウントが表示される。
【０３５９】
エントリボタン７４８をクリックすると、現在、画像表示部７２２に表示されている映像がプログラムの代表画に設定される。キャンセルボタン７４９がクリックされると、代表画の設定はキャンセルされる。また、代表画の変更または削除が可能である。
【０３６０】
次に、構成表ツリー表示部３５２のプログラムを示す文字または図形が選択されたときの、モニターウィンドウ７０１の動作を説明する。
【０３６１】
タイトルバー７２１には、プログラム、エピソード、シーン、およびカットの名前が表示される。画像表示部７２２には、選択されたプログラムの代表画、またはエピソード１のシーン１のカット１の編集開始位置の映像が表示される。ポジションバー７２３の表示は、選択されたプログラムのDurationが基準とされる。ポジションバー７２３上のスライダの位置は、選択されたプログラムの代表画のタイムカウントによって決定される。フレームコントロールボタン７２４およびフレームコントロールボタン７２５の操作による動作は、フレームメタデータのフレームの番号によって制御される。
【０３６２】
Ｉｎ点マーカーおよびＯｕｔ点マーカーは機能しない。エッセンスマーカー７２６およびエッセンスマーカー７２７は、選択されたプログラムの全てのエッセンスマークの位置を表示する。シャトルバー７２８の操作によって、選択されたプログラムの全てのカットの再生速度が決定される。TC表示部７２９には、選択されたプログラムの先頭からのフレームカウントが表示される。Duration表示部７３０には、選択されたプログラムの映像の長さ（時間）が表示される。
【０３６３】
音声ボタン７３１をクリックすると、オーディオチャンネルセッティングウィンドウが開かれる。TOPボタン７３２がクリックされると、選択されたプログラムの最初のカットの最初のフレームの映像が画像表示部７２２に表示される。SKIPボタン７３３がクリックされると、前のプログラムの最初のカットの最初のフレームの映像が画像表示部７２２に表示される。REWボタン７３４がクリックされると、選択されたプログラムの最初のカットの最初のフレームに向かって、エディットテーブル順に戻り、停止し、映像がサーチされる。STOPボタン７３５がクリックされると、映像の再生が停止する。
【０３６４】
PLAYボタン７３６がクリックされると、最後のカットまで、エディットテーブル順に映像が再生され、映像が画像表示部７２２に表示される。FFボタン７３７がクリックされると、プログラムの最後のカットの最後のフレームに向かって、エディットテーブル順に進み、停止し、映像がサーチされる。SKIPボタン７３８がクリックされると、次のプログラムの最初のフレームの映像が画像表示部７２２に表示される。ENDボタン７７４がクリックされると、選択されたプログラムの最後のカットの最後のフレームの映像が画像表示部７２２に表示される。
【０３６５】
エントリーインボタン７４０、TC表示部７４１、エントリーアウトボタン７４２、およびTC表示部７４３は、機能しない。
【０３６６】
リストボックス７４５には、キーフレームの位置が表示される。サムネイル表示部７４６には、プログラムの代表画が表示される。テキストボックス７４７には、プログラムの代表画のタイムカウントが表示される。
【０３６７】
エントリボタン７４８をクリックすると、現在、画像表示部７２２に表示されている映像が選択されたプログラムの代表画に設定される。キャンセルボタン７４９がクリックされると、代表画の設定はキャンセルされる。また、代表画の変更または削除が可能である。
【０３６８】
次に、構成表ツリー表示部３５２のエピソードを示す文字または図形が選択されたときの、モニターウィンドウ７０１の動作を説明する。
【０３６９】
タイトルバー７２１には、プログラム、エピソード、シーン、およびカットの名前が表示される。画像表示部７２２には、選択されたエピソードの代表画、またはシーン１のカット１の編集開始位置の映像が表示される。ポジションバー７２３の表示は、選択されたエピソードのDurationが基準とされる。ポジションバー７２３上のスライダの位置は、選択されたエピソードの代表画のタイムカウントによって決定される。フレームコントロールボタン７２４およびフレームコントロールボタン７２５の操作による動作は、フレームメタデータのフレームの番号によって制御される。
【０３７０】
Ｉｎ点マーカーおよびＯｕｔ点マーカーは機能しない。エッセンスマーカー７２６およびエッセンスマーカー７２７は、選択されたエピソードの全てのエッセンスマークの位置を表示する。シャトルバー７２８の操作によって、選択されたエピソードの全てのカットの再生速度が決定される。TC表示部７２９には、選択されたエピソードの先頭からのフレームカウントが表示される。Duration表示部７３０には、選択されたエピソードの映像の長さ（時間）が表示される。
【０３７１】
音声ボタン７３１をクリックすると、オーディオチャンネルセッティングウィンドウが開かれる。TOPボタン７３２がクリックされると、選択されたエピソードの最初のカットの最初のフレームの映像が画像表示部７２２に表示される。SKIPボタン７３３がクリックされると、前のエピソードの最初のカットの最初のフレームの映像が画像表示部７２２に表示される。REWボタン７３４がクリックされると、選択されたエピソードの最初のカットの最初のフレームに向かって、エディットテーブル順に戻り、停止し、映像がサーチされる。STOPボタン７３５がクリックされると、映像の再生が停止する。
【０３７２】
PLAYボタン７３６がクリックされると、最後のカットまで、エディットテーブル順に映像が再生され、映像が画像表示部７２２に表示される。FFボタン７３７がクリックされると、エピソードの最後のカットの最後のフレームに向かって、エディットテーブル順に進み、停止し、映像がサーチされる。SKIPボタン７３８がクリックされると、次のエピソードの最初のフレームの映像が画像表示部７２２に表示される。ENDボタン７７４がクリックされると、選択されたエピソードの最後のカットの最後のフレームの映像が画像表示部７２２に表示される。
【０３７３】
エントリーインボタン７４０、TC表示部７４１、エントリーアウトボタン７４２、およびTC表示部７４３は、機能しない。
【０３７４】
リストボックス７４５には、キーフレームの位置が表示される。サムネイル表示部７４６には、エピソードの代表画が表示される。テキストボックス７４７には、エピソードの代表画のタイムカウントが表示される。
【０３７５】
エントリボタン７４８をクリックすると、現在、画像表示部７２２に表示されている映像が選択されたエピソードの代表画に設定される。キャンセルボタン７４９がクリックされると、代表画の設定はキャンセルされる。また、代表画の変更または削除が可能である。
【０３７６】
次に、構成表ツリー表示部３５２のシーンを示す文字または図形が選択されたときの、モニターウィンドウ７０１の動作を説明する。
【０３７７】
タイトルバー７２１には、プログラム、エピソード、シーン、およびカットの名前が表示される。画像表示部７２２には、選択されたシーンの代表画、またはカット１の編集開始位置の映像が表示される。ポジションバー７２３の表示は、選択されたシーンのDurationが基準とされる。ポジションバー７２３上のスライダの位置は、選択されたシーンの代表画のタイムカウントによって決定される。フレームコントロールボタン７２４およびフレームコントロールボタン７２５の操作による動作は、フレームメタデータのフレームの番号によって制御される。
【０３７８】
Ｉｎ点マーカーおよびＯｕｔ点マーカーは機能しない。エッセンスマーカー７２６およびエッセンスマーカー７２７は、選択されたシーンの全てのエッセンスマークの位置を表示する。シャトルバー７２８の操作によって、選択されたシーンの全てのカットの再生速度が決定される。TC表示部７２９には、選択されたシーンの先頭からのフレームカウントが表示される。Duration表示部７３０には、選択されたシーンの映像の長さ（時間）が表示される。
【０３７９】
音声ボタン７３１をクリックすると、オーディオチャンネルセッティングウィンドウが開かれる。TOPボタン７３２がクリックされると、選択されたシーンの最初のカットの最初のフレームの映像が画像表示部７２２に表示される。SKIPボタン７３３がクリックされると、前のシーンの最初のカットの最初のフレームの映像が画像表示部７２２に表示される。REWボタン７３４がクリックされると、選択されたシーンの最初のカットの最初のフレームに向かって、エディットテーブル順に戻り、停止し、映像がサーチされる。STOPボタン７３５がクリックされると、映像の再生が停止する。
【０３８０】
PLAYボタン７３６がクリックされると、最後のカットまで、エディットテーブル順に映像が再生され、映像が画像表示部７２２に表示される。FFボタン７３７がクリックされると、シーンの最後のカットの最後のフレームに向かって、エディットテーブル順に進み、停止し、映像がサーチされる。SKIPボタン７３８がクリックされると、次のシーンの最初のフレームの映像が画像表示部７２２に表示される。ENDボタン７７４がクリックされると、選択されたシーンの最後のカットの最後のフレームの映像が画像表示部７２２に表示される。
【０３８１】
エントリーインボタン７４０、TC表示部７４１、エントリーアウトボタン７４２、およびTC表示部７４３は、機能しない。
【０３８２】
リストボックス７４５には、キーフレームの位置が表示される。サムネイル表示部７４６には、シーンの代表画が表示される。テキストボックス７４７には、シーンの代表画のタイムカウントが表示される。
【０３８３】
エントリボタン７４８をクリックすると、現在、画像表示部７２２に表示されている映像が選択されたシーンの代表画に設定される。キャンセルボタン７４９がクリックされると、代表画の設定はキャンセルされる。また、代表画の変更または削除が可能である。
【０３８４】
次に、構成表ツリー表示部３５２のカットを示す文字または図形が選択されたときの、モニターウィンドウ７０１の動作を説明する。
【０３８５】
タイトルバー７２１には、プログラム、エピソード、シーン、およびカットの名前が表示される。画像表示部７２２には、選択されたカットの代表画または編集開始位置の映像が表示される。ポジションバー７２３の表示は、選択されたカットのDurationが基準とされる。ポジションバー７２３上のスライダの位置は、選択されたカットの代表画のタイムカウントによって決定される。フレームコントロールボタン７２４およびフレームコントロールボタン７２５の操作による動作は、フレームメタデータのフレームの番号によって制御される。
【０３８６】
Ｉｎ点マーカーは、クリップの抽出（編集）開始位置を示し、Ｏｕｔ点マーカーは抽出（編集）終了位置を示す。映像編集プログラム１８６は、Ｉｎ点マーカーがドラッグされ移動されたとき、移動した位置を編集開始位置に設定し、Ｏｕｔ点マーカーがドラッグされ移動されたとき、移動した位置を編集終了位置に設定する。
【０３８７】
エッセンスマーカー７２６およびエッセンスマーカー７２７は、選択されたカットの全てのエッセンスマークの位置を表示する。シャトルバー７２８の操作によって、選択されたカットの再生速度が決定される。TC表示部７２９には、選択されたカットの先頭からのフレームカウントが表示される。Duration表示部７３０には、選択されたカットの映像の長さ（時間）が表示される。
【０３８８】
音声ボタン７３１をクリックすると、オーディオチャンネルセッティングウィンドウが開かれる。TOPボタン７３２がクリックされると、選択されたカットの最初のフレームの映像が画像表示部７２２に表示される。SKIPボタン７３３がクリックされると、前のカットの最初のフレームの映像が画像表示部７２２に表示される。REWボタン７３４がクリックされると、選択されたカットの最初のフレームに向かって戻り、停止し、映像がサーチされる。STOPボタン７３５がクリックされると、映像の再生が停止する。
【０３８９】
PLAYボタン７３６がクリックされると、カットの最後まで映像が再生され、映像が画像表示部７２２に表示される。FFボタン７３７がクリックされると、カットの最後のフレームに向かって進み、停止し、映像がサーチされる。SKIPボタン７３８がクリックされると、次のカットの最初のフレームの映像が画像表示部７２２に表示される。ENDボタン７７４がクリックされると、選択されたカットの最後のフレームの映像が画像表示部７２２に表示される。
【０３９０】
エントリーインボタン７４０がクリックされると、そのときのタイムカウントがそのカットの編集開始位置として記録される。TC表示部７４１には、編集開始位置のフレーム番号がタイムカウントに変換されて表示される。
【０３９１】
エントリーアウトボタン７４２がクリックされると、そのときのタイムカウントがそのカットの編集終了位置として記録される。TC表示部７４３には、編集終了位置のフレーム番号がタイムカウントに変換されて表示される。
【０３９２】
リストボックス７４５には、キーフレームの位置が表示される。サムネイル表示部７４６には、カットの代表画が表示される。テキストボックス７４７には、カットの代表画のタイムカウントが表示される。
【０３９３】
エントリボタン７４８をクリックすると、現在、画像表示部７２２に表示されている映像が選択されたカットの代表画に設定される。キャンセルボタン７４９がクリックされると、代表画の設定はキャンセルされる。また、代表画の変更または削除が可能である。
【０３９４】
次に、構成表ツリー表示部３５２のテイクを示す文字または図形が選択されたときの、モニターウィンドウ７０１の動作を説明する。
【０３９５】
タイトルバー７２１には、プログラム、エピソード、シーン、カット、およびテイクの名前が表示される。画像表示部７２２には、選択されたテイクの代表画または編集開始位置の映像が表示される。ポジションバー７２３の表示は、選択されたテイクのDurationが基準とされる。ポジションバー７２３上のスライダの位置は、選択されたテイクの代表画のタイムカウントによって決定される。フレームコントロールボタン７２４およびフレームコントロールボタン７２５の操作による動作は、フレームメタデータのフレームの番号によって制御される。
【０３９６】
Ｉｎ点マーカーは、編集開始位置を示し、Ｏｕｔ点マーカーは編集終了位置を示す。映像編集プログラム１８６は、Ｉｎ点マーカーがドラッグされ移動されたとき、移動した位置を編集開始位置に設定し、Ｏｕｔ点マーカーがドラッグされ移動されたとき、移動した位置を編集終了位置に設定する。
【０３９７】
エッセンスマーカー７２６およびエッセンスマーカー７２７は、選択されたテイクの全てのエッセンスマークの位置を表示する。シャトルバー７２８の操作によって、選択されたテイクの再生速度が決定される。TC表示部７２９には、選択されたテイクの先頭からのフレームカウントが表示される。Duration表示部７３０には、選択されたテイクの映像の長さ（時間）が表示される。
【０３９８】
音声ボタン７３１をクリックすると、オーディオチャンネルセッティングウィンドウが開かれる。TOPボタン７３２がクリックされると、選択されたテイクの最初のフレームの映像が画像表示部７２２に表示される。SKIPボタン７３３がクリックされると、前のテイクの最初のフレームの映像が画像表示部７２２に表示される。REWボタン７３４がクリックされると、選択されたテイクの最初のフレームに向かって戻り、停止し、映像がサーチされる。STOPボタン７３５がクリックされると、映像の再生が停止する。
【０３９９】
PLAYボタン７３６がクリックされると、テイクの最後まで映像が再生され、映像が画像表示部７２２に表示される。FFボタン７３７がクリックされると、テイクの最後のフレームに向かって進み、停止し、映像がサーチされる。SKIPボタン７３８がクリックされると、次のテイクの最初のフレームの映像が画像表示部７２２に表示される。ENDボタン７７４がクリックされると、選択されたテイクの最後のフレームの映像が画像表示部７２２に表示される。
【０４００】
構成表のカットに貼り付けられたとき、エントリーインボタン７４０がクリックされると、そのときのタイムカウントがそのテイクの編集開始位置として記録される。TC表示部７４１には、編集開始位置のフレーム番号がタイムカウントに変換されて表示される。
【０４０１】
構成表のカットに貼り付けられたとき、エントリーアウトボタン７４２がクリックされると、そのときのタイムカウントがそのテイクの編集終了位置として記録される。TC表示部７４３には、編集終了位置のフレーム番号がタイムカウントに変換されて表示される。
【０４０２】
リストボックス７４５には、キーフレームの位置が表示される。サムネイル表示部７４６には、テイクの代表画が表示される。テキストボックス７４７には、テイクの代表画のタイムカウントが表示される。
【０４０３】
エントリボタン７４８をクリックすると、現在、画像表示部７２２に表示されている映像が選択されたテイクの代表画に設定される。キャンセルボタン７４９がクリックされると、代表画の設定はキャンセルされる。また、代表画の変更または削除が可能である。
【０４０４】
図３５および図３６は、クリップを、プログラムを構成する映像コンテンツデータであるテイクとして取り扱う場合の、モニターウィンドウ３１３の動作およびモニターウィンドウ７０１の動作を説明する図である。
【０４０５】
この場合、図３３および図３４を参照して説明した動作と同様なので、その説明は省略する。この場合において、クリップを、テイクと読み替えた処理が実行される。
【０４０６】
図３７は、ディスクインフォメーションウィンドウ３１１の動作の詳細を説明する図である。
【０４０７】
まず、ツリー表示部３３２のルートを示す文字または図形が選択されたときの、ディスクインフォメーションウィンドウ３１１の動作を説明する。
【０４０８】
ディスク情報ツリー表示プログラム１７６は、ツリー表示部３３２に、ルートを示す文字または図形（例えば、図１２中の”Disc Manager”）をハイライト表示させる。また、ディスク情報ツリー表示プログラム１７６は、ツリー表示部３３２に、ディスク番号を表示させる。
【０４０９】
サムネイル／リスト表示プログラム１７７は、サムネイル表示部３３４に、全ディスクのディスク番号順に、代表画を表示させる。このとき、ディスク１の代表画がハイライト表示される。付加情報表示プログラム１７８は、図１７で示されるように、サムネイル表示部３３４に、各ディスクのIDを表示させ、各ディスクの長さ（Duration）、およびディスクの最終更新日（月、日、時、分、および秒）を表示させる。
【０４１０】
このとき、画像表示部３７２には、ディスク１の代表画が表示される。
【０４１１】
次に、ツリー表示部３３２のルートを示す文字または図形が選択されて、サムネイル表示部３３４のサムネイルが選択（クリック）されたときの、ディスクインフォメーションウィンドウ３１１の動作を説明する。
【０４１２】
ディスク情報ツリー表示プログラム１７６は、ツリー表示部３３２に、ルートを示す文字または図形（例えば、図１２中の”Disc Manager”）のハイライト表示を継続させる。また、ディスク情報ツリー表示プログラム１７６は、ツリー表示部３３２に、ディスク番号の表示を継続させる。
【０４１３】
サムネイル／リスト表示プログラム１７７は、サムネイル表示部３３４に、全ディスクのディスク番号順に、代表画の表示を継続させる。そして、サムネイル／リスト表示プログラム１７７は、サムネイル表示部３３４に、クリックして選択された、ディスクの代表画をハイライト表示する。
【０４１４】
このとき、画像表示部３７２には、選択されたディスクの代表画が表示される。
【０４１５】
次に、ツリー表示部３３２のディスクを示す文字または図形が選択されたときの、ディスクインフォメーションウィンドウ３１１の動作を説明する。
【０４１６】
ディスク情報ツリー表示プログラム１７６は、ツリー表示部３３２に、選択されたディスクを示す文字または図形をハイライト表示させる。また、ディスク情報ツリー表示プログラム１７６は、ツリー表示部３３２に、選択されたディスクのクリップ番号を表示させる。
【０４１７】
サムネイル／リスト表示プログラム１７７は、サムネイル表示部３３４に、全ディスクのクリップをクリップ番号順に、各クリップの代表画を表示させる。このとき、クリップがテイクとしてステータスが設定されている場合、サムネイル／リスト表示プログラム１７７は、「ＯＫ」のクリップの代表画を表示するサムネイル表示部３３４の枠を青で表示し、「ＮＧ」のクリップの代表画を表示するサムネイル表示部３３４の枠を赤で表示し、「ＫＰ」（Keep（保留））のクリップの代表画を表示するサムネイル表示部３３４の枠を緑で表示する。
【０４１８】
なお、サムネイル／リスト表示プログラム１７７は、使用者にステータスを認識させることができればよく、ステータスに対応して、枠を点滅させたり、サムネイル表示部３３４の全体の色を変更したり、サムネイル表示部３３４の大きさを変更するなど、所定の強調表示をさせることができる。
【０４１９】
また、「ＯＫ」、「ＮＧ」、または「ＫＰ」による表示の形態は、メニュー（マウスの右クリックによるポップアップメニューを含む。）またはショートカットによって選択、変更することができる。
【０４２０】
付加情報表示プログラム１７８は、図１７で示されるように、サムネイル表示部３３４に、各クリップのIDを表示させ、各クリップの長さ（Duration）、およびクリップの記録開始日時（月、日、時、分、および秒）を表示させる。
【０４２１】
このとき、画像表示部３７２には、選択されたディスクの代表画が表示される。
【０４２２】
次に、ツリー表示部３３２のディスクを示す文字または図形が選択されて、サムネイル表示部３３４のサムネイルが選択（クリック）されたときの、ディスクインフォメーションウィンドウ３１１の動作を説明する。
【０４２３】
ディスク情報ツリー表示プログラム１７６は、ツリー表示部３３２に、選択されたディスクを示す文字または図形のハイライト表示を継続させる。また、ディスク情報ツリー表示プログラム１７６は、ツリー表示部３３２に、選択されたディスクのクリップ番号の表示を継続させる。
【０４２４】
サムネイル／リスト表示プログラム１７７は、サムネイル表示部３３４に、全ディスクのクリップをクリップ番号順に、各クリップの代表画を表示させる、クリップがテイクとしてステータスが設定されている場合、「ＯＫ」のクリップの代表画を表示するサムネイル表示部３３４の枠を青で表示し、「ＮＧ」のクリップの代表画を表示するサムネイル表示部３３４の枠を赤で表示し、「ＫＰ」（Keep）のクリップの代表画を表示するサムネイル表示部３３４の枠を緑で表示する。
【０４２５】
そして、サムネイル／リスト表示プログラム１７７は、サムネイル表示部３３４に、クリックして選択されたクリップの代表画をハイライト表示させる。
【０４２６】
付加情報表示プログラム１７８は、図１７で示されるように、サムネイル表示部３３４に、各クリップのIDを表示させ、各クリップの長さ（Duration）、およびクリップの記録開始日時（月、日、時、分、および秒）を表示させる。
【０４２７】
このとき、画像表示部３７２には、選択されたクリップの代表画が表示される。
【０４２８】
次に、ツリー表示部３３２のクリップを示す文字または図形が選択されたときの、ディスクインフォメーションウィンドウ３１１の動作を説明する。
【０４２９】
ディスク情報ツリー表示プログラム１７６は、ツリー表示部３３２に、選択されたクリップを示す文字または図形をハイライト表示させる。また、ディスク情報ツリー表示プログラム１７６は、ツリー表示部３３２に、選択されたクリップのエッセンシャルマークの番号およびエッセンシャルマークの名前（エッセンシャルマークとして設定されているテキスト）を表示させる。
【０４３０】
サムネイル／リスト表示プログラム１７７は、クリップの全エッセンシャルマークが付されたフレームの映像をタイムカウント順に、サムネイル表示部３３４に表示させる。このとき、サムネイル／リスト表示プログラム１７７は、エッセンシャルマークが付されたフレームのうち、代表となるフレーム（例えば、最初のキーフレーム）の映像が表示されるサムネイル表示部３３４をハイライト表示する。
【０４３１】
付加情報表示プログラム１７８は、図１６で示されるように、サムネイル表示部３３４に、クリップ内のエッセンシャルマークの連番を表示させ、エッセンスマークが設定されている映像上の時刻を示すタイムカウント、およびエッセンシャルマークの名前を表示させる。
【０４３２】
このとき、画像表示部３７２には、選択されたクリップの代表画が表示される。
【０４３３】
次に、ツリー表示部３３２のクリップを示す文字または図形が選択されて、サムネイル表示部３３４のサムネイルが選択（クリック）されたときの、ディスクインフォメーションウィンドウ３１１の動作を説明する。
【０４３４】
ディスク情報ツリー表示プログラム１７６は、ツリー表示部３３２に、選択されたクリップを示す文字または図形のハイライト表示を継続させる。また、ディスク情報ツリー表示プログラム１７６は、ツリー表示部３３２に、選択されたクリップのエッセンシャルマークの番号およびエッセンシャルマークの名前の表示を継続させる。
【０４３５】
サムネイル／リスト表示プログラム１７７は、クリップの全エッセンシャルマークが付されたフレームの映像をタイムカウント順に、サムネイル表示部３３４に表示させる。サムネイル／リスト表示プログラム１７７は、選択されたサムネイル表示部３３４をハイライト表示する。
【０４３６】
付加情報表示プログラム１７８は、図１６で示されるように、サムネイル表示部３３４に、クリップ内のエッセンシャルマークの連番を表示させ、エッセンスマークが設定されている映像上の時刻を示すタイムカウント、およびエッセンシャルマークの名前を表示させる。
【０４３７】
このとき、画像表示部３７２には、選択されたエッセンシャルマークが付されたフレームの映像が表示される。
【０４３８】
図３８は、ストラクチャーウィンドウ３１２の動作の詳細を説明する図である。
【０４３９】
まず、構成表ツリー表示部３５２のルートを示す文字または図形が選択されたときの、ストラクチャーウィンドウ３１２の動作を説明する。
【０４４０】
構成表ツリー表示プログラム１７９は、構成表ツリー表示部３５２に、ルートを示す文字または図形をハイライト表示させる。構成表ツリー表示プログラム１７９は、構成表ツリー表示部３５２に、ルートの下に、プログラムを示す文字または図形（例えば、図１８中の”Program1”）をハイライト表示させる。
【０４４１】
代表画設定表示プログラム１８１は、代表画表示部３５６に、何も表示しない。サムネイル(ストーリボード)表示プログラム１８２は、サムネイル表示部３５３に、各プログラムの代表画を、プログラム番号順に表示させる。サムネイル(ストーリボード)表示プログラム１８２は、サムネイル表示部３５３のプログラム１の代表画をハイライト表示する。
【０４４２】
付加情報表示プログラム１８０は、サムネイル表示部３５３に、各ディスクの代表画のクリップIDを表示させ、各プログラムの長さ（Duration）、およびプログラムの代表画を含むクリップの記録開始日時（月、日、時、分、および秒）を表示させる。
【０４４３】
付加情報表示プログラム３５７は、付加情報表示部３５７に、何も表示させない。
【０４４４】
このとき、画像表示部７２２には、プログラム１の代表画が表示される。
【０４４５】
次に、構成表ツリー表示部３５２のルートを示す文字または図形が選択されて、サムネイル表示部３５３のサムネイルが選択（クリック）されたときの、ストラクチャーウィンドウ３１２の動作を説明する。
【０４４６】
構成表ツリー表示プログラム１７９は、構成表ツリー表示部３５２に、ルートを示す文字または図形のハイライト表示を継続させる。構成表ツリー表示プログラム１７９は、構成表ツリー表示部３５２に、ルートの下に、プログラムを示す文字または図形（例えば、図１８中の”Program1”）のハイライト表示を継続させる。
【０４４７】
代表画設定表示プログラム１８１は、代表画表示部３５６に、何も表示しない。サムネイル(ストーリボード)表示プログラム１８２は、サムネイル表示部３５３に、各プログラムの代表画を、プログラム番号順に表示させる。サムネイル(ストーリボード)表示プログラム１８２は、選択されたサムネイル表示部３５３のプログラムの代表画をハイライト表示する。
【０４４８】
付加情報表示プログラム１８０は、サムネイル表示部３５３に、各ディスクの代表画のクリップIDを表示させ、各プログラムの長さ（Duration）、およびプログラムの代表画を含むクリップの記録開始日時（月、日、時、分、および秒）を表示させる。
【０４４９】
付加情報表示プログラム１８０は、付加情報表示部３５７に、何も表示させない。
【０４５０】
このとき、画像表示部７２２には、選択されたプログラムの代表画が表示される。
【０４５１】
次に、構成表ツリー表示部３５２のプログラムを示す文字または図形が選択されたときの、ストラクチャーウィンドウ３１２の動作を説明する。
【０４５２】
構成表ツリー表示プログラム１７９は、構成表ツリー表示部３５２に、選択されたプログラムを示す文字または図形をハイライト表示させる。構成表ツリー表示プログラム１７９は、構成表ツリー表示部３５２に、選択されたプログラムの下に、エピソードを示す文字または図形（例えば、図１８中の”Episode1”）を表示させる。
【０４５３】
代表画設定表示プログラム１８１は、代表画表示部３５６に、選択されたプログラムの代表画を表示させる。代表画設定表示プログラム１８１は、代表画表示部３５６に、選択されたプログラムの代表画のクリップIDを表示させ、選択されたプログラムの長さ（Duration）、および選択されたプログラムの代表画の日時（月、日、時、分、および秒）を表示させる。
【０４５４】
サムネイル(ストーリボード)表示プログラム１８２は、サムネイル表示部３５３に、選択されたプログラムのエピソードの代表画を、構成表の時間順に表示させる。サムネイル(ストーリボード)表示プログラム１８２は、サムネイル表示部３５３に、プログラムの代表画と同じエピソードの代表画をハイライト表示させる。
【０４５５】
付加情報表示プログラム１８０は、サムネイル表示部３５３に、各エピソードの代表画のクリップIDを表示させ、各エピソードの長さ（Duration）、およびエピソードの代表画の日時（月、日、時、分、および秒）を表示させる。
【０４５６】
付加情報表示プログラム３５７は、付加情報表示部３５７に、選択されたプログラムの英語のタイトル、選択されたプログラムの他の言語のタイトル、およびプログラムのコメントなどの一般情報を表示させる。
【０４５７】
このとき、画像表示部７２２には、選択されたプログラムの代表画が表示される。
【０４５８】
次に、構成表ツリー表示部３５２のプログラムを示す文字または図形が選択されて、サムネイル表示部３５３のサムネイルが選択（クリック）されたときの、ストラクチャーウィンドウ３１２の動作を説明する。
【０４５９】
構成表ツリー表示プログラム１７９は、構成表ツリー表示部３５２に、選択されたプログラムを示す文字または図形のハイライト表示を継続させる。構成表ツリー表示プログラム１７９は、構成表ツリー表示部３５２に、選択されたプログラムの下に、エピソードを示す文字または図形の表示を継続させる。
【０４６０】
代表画設定表示プログラム１８１は、代表画表示部３５６に、選択されたプログラムの代表画を表示させる。代表画設定表示プログラム１８１は、代表画表示部３５６に、選択されたプログラムの代表画のクリップIDを表示させ、選択されたプログラムの長さ（Duration）、および選択されたプログラムの代表画の日時（月、日、時、分、および秒）を表示させる。
【０４６１】
サムネイル(ストーリボード)表示プログラム１８２は、サムネイル表示部３５３に、選択されたプログラムのエピソードの代表画を、構成表の時間順に表示させる。サムネイル(ストーリボード)表示プログラム１８２は、サムネイル表示部３５３に、選択されたサムネイル表示部３５３のエピソードの代表画をハイライト表示させる。
【０４６２】
付加情報表示プログラム１８０は、サムネイル表示部３５３に、各エピソードの代表画のクリップIDを表示させ、各エピソードの長さ（Duration）、およびエピソードの代表画の日時（月、日、時、分、および秒）を表示させる。
【０４６３】
付加情報表示プログラム３５７は、付加情報表示部３５７に、選択されたプログラムの英語のタイトル、選択されたプログラムの他の言語のタイトル、およびプログラムのコメントなどの一般情報を表示させる。
【０４６４】
このとき、画像表示部７２２には、選択されたエピソードの代表画が表示される。
【０４６５】
次に、構成表ツリー表示部３５２のエピソードを示す文字または図形が選択されたときの、ストラクチャーウィンドウ３１２の動作を説明する。
【０４６６】
構成表ツリー表示プログラム１７９は、構成表ツリー表示部３５２に、選択されたエピソードを示す文字または図形をハイライト表示させる。構成表ツリー表示プログラム１７９は、構成表ツリー表示部３５２に、選択されたエピソードの下に、シーンを示す文字または図形（例えば、図１８中の”Scene1”）を表示させる。
【０４６７】
代表画設定表示プログラム１８１は、代表画表示部３５６に、選択されたエピソードの代表画を表示させる。代表画設定表示プログラム１８１は、代表画表示部３５６に、選択されたエピソードの代表画のクリップIDを表示させ、選択されたエピソードの長さ（Duration）、および選択されたエピソードの代表画の日時（月、日、時、分、および秒）を表示させる。
【０４６８】
サムネイル(ストーリボード)表示プログラム１８２は、サムネイル表示部３５３に、選択されたエピソードのシーンの代表画を、構成表の時間順に表示させる。サムネイル(ストーリボード)表示プログラム１８２は、サムネイル表示部３５３に、エピソードの代表画と同じシーンの代表画をハイライト表示させる。
【０４６９】
付加情報表示プログラム１８０は、サムネイル表示部３５３に、各シーンの代表画のクリップIDを表示させ、各シーンの長さ（Duration）、およびシーンの代表画の日時（月、日、時、分、および秒）を表示させる。
【０４７０】
付加情報表示プログラム１８０は、付加情報表示部３５７に、選択されたエピソードの英語のタイトル、選択されたエピソードの他の言語のタイトル、およびエピソードのコメントなどの一般情報を表示させる。
【０４７１】
このとき、画像表示部７２２には、選択されたエピソードの代表画が表示される。
【０４７２】
次に、構成表ツリー表示部３５２のエピソードを示す文字または図形が選択されて、サムネイル表示部３５３のサムネイルが選択（クリック）されたときの、ストラクチャーウィンドウ３１２の動作を説明する。
【０４７３】
構成表ツリー表示プログラム１７９は、構成表ツリー表示部３５２に、選択されたエピソードを示す文字または図形のハイライト表示を継続させる。構成表ツリー表示プログラム１７９は、構成表ツリー表示部３５２に、選択されたエピソードの下に、シーンを示す文字または図形の表示を継続させる。
【０４７４】
代表画設定表示プログラム１８１は、代表画表示部３５６に、選択されたエピソードの代表画を表示させる。代表画設定表示プログラム１８１は、代表画表示部３５６に、選択されたエピソードの代表画のクリップIDを表示させ、選択されたエピソードの長さ（Duration）、および選択されたエピソードの代表画の日時（月、日、時、分、および秒）を表示させる。
【０４７５】
サムネイル(ストーリボード)表示プログラム１８２は、サムネイル表示部３５３に、選択されたエピソードのシーンの代表画を、構成表の時間順に表示させる。サムネイル(ストーリボード)表示プログラム１８２は、サムネイル表示部３５３に、エピソードの代表画と同じシーンの代表画をハイライト表示させる。
【０４７６】
付加情報表示プログラム１８０は、サムネイル表示部３５３に、各シーンの代表画のクリップIDを表示させ、各シーンの長さ（Duration）、およびシーンの代表画の日時（月、日、時、分、および秒）を表示させる。
【０４７７】
付加情報表示プログラム３５７は、付加情報表示部３５７に、選択されたエピソードの英語のタイトル、選択されたエピソードの他の言語のタイトル、およびエピソードのコメントなどの一般情報を表示させる。
【０４７８】
このとき、画像表示部７２２には、選択されたエピソードの代表画が表示される。
【０４７９】
次に、構成表ツリー表示部３５２のシーンを示す文字または図形が選択されたときの、ストラクチャーウィンドウ３１２の動作を説明する。
【０４８０】
構成表ツリー表示プログラム１７９は、構成表ツリー表示部３５２に、選択されたシーンを示す文字または図形をハイライト表示させる。構成表ツリー表示プログラム１７９は、構成表ツリー表示部３５２に、選択されたシーンの下に、カットを示す文字または図形（例えば、図１８中の”Cut1”）を表示させる。
【０４８１】
代表画設定表示プログラム１８１は、代表画表示部３５６に、選択されたシーンの代表画を表示させる。代表画設定表示プログラム１８１は、代表画表示部３５６に、選択されたシーンの代表画のクリップIDを表示させ、選択されたシーンの長さ（Duration）、および選択されたシーンの代表画の日時（月、日、時、分、および秒）を表示させる。
【０４８２】
サムネイル(ストーリボード)表示プログラム１８２は、サムネイル表示部３５３に、選択されたシーンのカットの代表画を、構成表の時間順に表示させる。サムネイル(ストーリボード)表示プログラム１８２は、サムネイル表示部３５３に、シーンの代表画と同じカットの代表画をハイライト表示させる。
【０４８３】
付加情報表示プログラム１８０は、サムネイル表示部３５３に、各カットの代表画のクリップIDを表示させ、各カットの長さ（Duration）、およびカットの代表画の日時（月、日、時、分、および秒）を表示させる。
【０４８４】
付加情報表示プログラム１８０は、付加情報表示部３５７に、選択されたシーンの英語のタイトル、選択されたシーンの他の言語のタイトル、およびシーンのコメントなどの一般情報を表示させる。
【０４８５】
このとき、画像表示部７２２には、選択されたシーンの代表画が表示される。
【０４８６】
次に、構成表ツリー表示部３５２のシーンを示す文字または図形が選択されて、サムネイル表示部３５３のサムネイルが選択（クリック）されたときの、ストラクチャーウィンドウ３１２の動作を説明する。
【０４８７】
構成表ツリー表示プログラム１７９は、構成表ツリー表示部３５２に、選択されたシーンを示す文字または図形のハイライト表示を継続させる。構成表ツリー表示プログラム１７９は、構成表ツリー表示部３５２に、選択されたシーンの下に、カットを示す文字または図形の表示を継続させる。
【０４８８】
代表画設定表示プログラム１８１は、代表画表示部３５６に、選択されたシーンの代表画を表示させる。代表画設定表示プログラム１８１は、代表画表示部３５６に、選択されたシーンの代表画のクリップIDを表示させ、選択されたシーンの長さ（Duration）、および選択されたシーンの代表画の日時（月、日、時、分、および秒）を表示させる。
【０４８９】
サムネイル(ストーリボード)表示プログラム１８２は、サムネイル表示部３５３に、選択されたシーンのカットの代表画を、構成表の時間順に表示させる。サムネイル(ストーリボード)表示プログラム１８２は、サムネイル表示部３５３に、サムネイル表示部３５３のクリックによって選択されたカットの代表画をハイライト表示させる。
【０４９０】
付加情報表示プログラム１８０は、サムネイル表示部３５３に、各カットの代表画のクリップIDを表示させ、各カットの長さ（Duration）、およびカットの代表画の日時（月、日、時、分、および秒）を表示させる。
【０４９１】
付加情報表示プログラム３５７は、付加情報表示部３５７に、選択されたシーンの英語のタイトル、選択されたシーンの他の言語のタイトル、およびシーンのコメントなどの一般情報を表示させる。
【０４９２】
このとき、画像表示部７２２には、選択されたカットの代表画が表示される。
【０４９３】
次に、構成表ツリー表示部３５２のカットを示す文字または図形が選択されたときの、ストラクチャーウィンドウ３１２の動作を説明する。
【０４９４】
構成表ツリー表示プログラム１７９は、構成表ツリー表示部３５２に、選択されたカットを示す文字または図形をハイライト表示させる。構成表ツリー表示プログラム１７９は、構成表ツリー表示部３５２に、選択されたカットの下に、テイクを示す文字または図形を表示させる。
【０４９５】
代表画設定表示プログラム１８１は、代表画表示部３５６に、選択されたカットの代表画を表示させる。代表画設定表示プログラム１８１は、代表画表示部３５６に、選択されたカットの代表画のクリップIDを表示させ、選択されたカットの長さ（Duration）、および選択されたカットの代表画の日時（月、日、時、分、および秒）を表示させる。
【０４９６】
サムネイル(ストーリボード)表示プログラム１８２は、サムネイル表示部３５３に、選択されたカットのテイクの代表画を、構成表の時間順に表示させる。サムネイル(ストーリボード)表示プログラム１８２は、サムネイル表示部３５３に、カットの代表画と同じテイクの代表画をハイライト表示させる。
【０４９７】
付加情報表示プログラム１８０は、サムネイル表示部３５３に、各テイクの代表画のクリップIDを表示させ、各テイクの長さ（Duration）、およびテイクの代表画の日時（月、日、時、分、および秒）を表示させる。
【０４９８】
付加情報表示プログラム３５７は、付加情報表示部３５７に、選択されたカットの英語のタイトル、選択されたカットの他の言語のタイトル、およびカットのコメントなどの一般情報を表示させる。
【０４９９】
このとき、画像表示部７２２には、選択されたカットの代表画が表示される。
【０５００】
次に、構成表ツリー表示部３５２のカットを示す文字または図形が選択されて、サムネイル表示部３５３のサムネイルが選択（クリック）されたときの、ストラクチャーウィンドウ３１２の動作を説明する。
【０５０１】
構成表ツリー表示プログラム１７９は、構成表ツリー表示部３５２に、選択されたカットを示す文字または図形のハイライト表示を継続させる。構成表ツリー表示プログラム１７９は、構成表ツリー表示部３５２に、選択されたカットの下に、テイクを示す文字または図形の表示を継続させる。
【０５０２】
代表画設定表示プログラム１８１は、代表画表示部３５６に、選択されたカットの代表画を表示させる。代表画設定表示プログラム１８１は、代表画表示部３５６に、選択されたカットの代表画のクリップIDを表示させ、選択されたカットの長さ（Duration）、および選択されたカットの代表画の日時（月、日、時、分、および秒）を表示させる。
【０５０３】
サムネイル(ストーリボード)表示プログラム１８２は、サムネイル表示部３５３に、選択されたカットのテイクの代表画を、構成表の時間順に表示させる。サムネイル(ストーリボード)表示プログラム１８２は、サムネイル表示部３５３に、サムネイル表示部３５３がクリックされて選択されたテイクの代表画をハイライト表示させる。この場合、採用テイクと異なる方式で、選択されたテイクの代表画がハイライト表示される。
【０５０４】
付加情報表示プログラム１８０は、サムネイル表示部３５３に、各テイクの代表画のクリップIDを表示させ、各テイクの長さ（Duration）、およびテイクの代表画の日時（月、日、時、分、および秒）を表示させる。
【０５０５】
付加情報表示プログラム３５７は、付加情報表示部３５７に、選択されたカットの英語のタイトル、選択されたカットの他の言語のタイトル、およびカットのコメントなどの一般情報を表示させる。
【０５０６】
このとき、画像表示部７２２には、選択されたテイクの代表画が表示される。
【０５０７】
図３９および図４０は、メニューコマンドを説明する図である。
【０５０８】
ファイルメニューには、モード、オープン、セーブ、セーブアズ、クリエイト、クリエイトコンソリデイト（consolidate）、クリエイトmp4ファイル、エクスポート、FTP、カムコーダーコントロール、プロパティ、プリント、およびクローズコマンドが配置される。
【０５０９】
モードコマンドの実行によって、ライブまたはオフラインのいずれかのモードが選択される。オープンコマンドの実行によって、プロジェクト、プログラム、またはディスクIDのいずれかのファイルが開かれる。クリエイトコマンドの実行によって、プロジェクト、プログラム、エピソード、シーン、またはカットが生成される。FTPコマンドの実行によって、データのアップロードまたはダウンロードが実行される。
【０５１０】
エディットメニューには、アンドゥ、リドゥ、カット、コピー、ペースト、デリート、ムーブ、セレクト、セレクトネクスト、サーチ、オートセンス、インサートエッセンスマーク、チェンジエッセンスマーク、タイトルインプット、コメントインプット、セットインポイント、セットアウトポイント、およびトップテイクコマンドが配置される。サーチコマンドを実行したとき、メタデータの内容が検索される。オートセンスコマンドの実行によって、シーンチェンジを認識して、シーンチェンジのエッセンスマークが挿入される。トップテイクコマンドの実行によって、カットで採用するテイクが設定される。
【０５１１】
ビューメニューには、標準、ディスクインフォメーションウィンドウ、ストラクチャーウィンドウ、ショットビュワー、モニターコントロール、およびブラウザオプションコマンドが配置される。モニタコントロールコマンドによって、コマ送りや早送りなどの映像の再生が制御される。
【０５１２】
ツールメニューには、エラーチェック、エッセンスマーク、コンティニュアスナンバー、音声、ユーザ設定、および環境設定コマンドが配置される。エッセンスマークコマンドの実行によって、ジャンルを変更したり、ボタンに対するエッセンスマークの設定を変更することができる。
【０５１３】
ウィンドウメニューには、メタデータエディタ、ストリーモニター、ソースモニター、ソースブラウザ、ストラクチャーブラウザ、プレイストリーボード、プロジェクトファイルコマンドが配置される。
【０５１４】
ヘルプメニューには、アプリケーションヘルプ、バージョン表示、およびアップデートコマンドが配置される。
【０５１５】
図４１は、編集プログラム１５１の処理の流れを説明する図である。
【０５１６】
図４１における基本操作１の処理を図４２のフローチャートを参照して説明する。ステップＳ１１において、編集プログラム１５１は、ハードディスク１１４に記録されているアプリケーションプロジェクトファイルを読み込む。ハードディスク１１４にアプリケーションプロジェクトファイルが記録されていないとき、編集プログラム１５１は、新規にアプリケーションプロジェクトファイルを生成する。アプリケーションプロジェクトファイルには、前回の作業環境を示すデータが格納され、編集プログラム１５１は、アプリケーションプロジェクトファイルを基に、作業環境を復元する、すなわち、前回の作業環境と同じ作業環境を設定する。
【０５１７】
ステップＳ１２において、編集プログラム１５１は、ドライブ１２０と接続し、ドライブ１２０に装着された光ディスク１７からファイルを読み出すか、または光ディスク１７にファイルを記録できるようにする。ステップＳ１３において、ディスク情報表示プログラム１６２（ディスクマネージャー）は、サブストリームファイル（ローレゾリューション（ｌｏｗ  ｒｅｓｏｌｕｔｉｏｎ：低解像度）映像のファイル（例えば、図６のC0001S01.MXF））を光ディスク１７からクリップ単位で読み込む。
【０５１８】
ステップＳ１４において、編集プログラム１５１は、光ディスク１７からプレイリストおよびエディットリストを読み出す。プレイリストおよびエディットリストは、図５のプログラムメタデータファイルの一部である。
【０５１９】
ステップＳ１５において、構成表設定表示プログラム１６３は、光ディスク１７から構成表を読み出す。すなわち、構成表設定表示プログラム１６３は、光ディスク１７からプログラムメタデータ１９１およびクリップメタデータ１９２を読み出す。ステップＳ１６において、ディスク映像モニタプログラム１６１は、アプリケーションプロジェクトファイルを基に、ジャンル別のエッセンスマークおよびエッセンスマーク設定ボタン３９８を設定する。具体的には、ディスク映像モニタプログラム１６１は、ジャンル別に、エッセンスマーク設定ボタン３９８がクリックされることにより設定されるエッセンスマークを決定する。より詳細には、ディスク映像モニタプログラム１６１は、ジャンルを選択したときに、エッセンスマーク設定ボタン３９８に表示されるテキスト、およびエッセンスマーク設定ボタン３９８がクリックされることにより設定されるテキストであるエッセンスマークを設定する。
【０５２０】
ステップＳ１７において、ディスク映像モニタプログラム１６１は、コンボボックス３９４への操作を基に、映像に付加されるエッセンスマークのジャンルを設定する。ステップＳ１８において、ディスク映像モニタプログラム１６１は、エッセンスマーク設定ボタン３９８またはコンボボックス３９９への操作を基に、映像にエッセンスマークを設定する。
【０５２１】
ステップＳ１９において、タイトル設定プログラム１７４は、テキストボックス６０１への入力を基に、映像にタイトルを設定し、テキストボックス６０２への入力を基に、映像にコメントを設定する。ステップＳ２０において、映像表示プログラム１７２は、モニターウィンドウ３１３への操作に応じた映像等を表示する。
【０５２２】
ステップＳ２１において、構成表設定表示プログラム１６３は、ディスク代表画を設定する。ステップＳ２２において、ディスク映像モニタプログラム１６１は、コンボボックス３９４への操作を基に、クリップをテイクに貼り付けて、処理は終了する。
【０５２３】
図４１における基本操作２の処理を図４３のフローチャートを参照して説明する。ステップＳ４１乃至ステップＳ５１の処理のそれぞれは、図４２のステップＳ１１乃至ステップＳ２１の処理のそれぞれと同様なので、その説明は省略する。
【０５２４】
ステップＳ５２において、映像編集プログラム１７３は、エントリーインボタン３９０、エントリーアウトボタン３９２、Ｉｎ点マーカー４１１、またはＯｕｔ点マーカー４１２の操作を基に、テイクの編集開始位置（Ｉｎ点）または編集終了位置（Ｏｕｔ点）を設定する。ステップＳ５３において、構成表設定表示プログラム１６３は、ディスク代表画を設定する。ステップＳ２２において、ディスク映像モニタプログラム１６１は、コンボボックス３９４への操作を基に、クリップをテイクに貼り付けて、処理は終了する。
【０５２５】
図４１における基本操作３の処理を図４４のフローチャートを参照して説明する。ステップＳ６１乃至ステップＳ６４の処理は、図４２のステップＳ１２乃至ステップＳ１５の処理とそれぞれ同様なので、その説明は省略する。
【０５２６】
ステップＳ６５において、編集プログラム１５１は、光ディスク１７に記録されているアプリケーションプロジェクトファイルを読み込む。光ディスク１７にアプリケーションプロジェクトファイルが記録されていないとき、編集プログラム１５１は、新規にアプリケーションプロジェクトファイルを生成する。編集プログラム１５１は、アプリケーションプロジェクトファイルを基に、前回の作業環境と同じ作業環境を設定する。
【０５２７】
ステップＳ６６乃至ステップＳ７３の処理は、それぞれ、図４３のステップＳ４６乃至ステップＳ５３の処理のそれぞれと同様なので、その説明は省略する。
【０５２８】
図４１におけるストラクチャー操作の処理を図４５乃至図４７のフローチャートを参照して説明する。
【０５２９】
ステップＳ１０１において、映像編集プログラム１７３は、エッセンスマークを参照した、使用者の操作を基に、テイクの編集開始位置または編集終了位置を設定する。すなわち、エッセンスマーク表示プログラム１７１は、エッセンスマーカー３７６または３７７などを表示するので、使用者は、これを参照して、エントリーインボタン３９０またはエントリーアウトボタン３９２をクリックする。映像編集プログラム１７３は、エントリーインボタン３９０またはエントリーアウトボタン３９２がクリックされた、映像の位置を基に、テイクにテイクの編集開始位置または編集終了位置を設定する。
【０５３０】
ステップＳ１０２において、構成表映像モニタプログラム１６４の代表画設定表示プログラム１８８は、テイクの代表画を決定する。すなわち、エントリボタン７４８がクリックされたとき、構成表映像モニタプログラム１６４の代表画設定表示プログラム１８８は、映像の位置を基に、テイクの代表画を決定する。ボタン３５５がクリックされたとき、代表画設定表示プログラム１８１が、テイクの代表画を決定するようにしてもよい。
【０５３１】
ステップＳ１０３において、構成表ツリー表示プログラム１７９は、構成表ツリー表示部３５２への操作を基に、カットを選択する。ステップＳ１０４において、映像表示プログラム１７２は、使用者の操作に応じた、カットの映像等を、例えば、画像表示部３７２に表示させる。ステップＳ１０５において、構成表映像モニタプログラム１６４の代表画設定表示プログラム１８８は、代表画を決定する。すなわち、エントリボタン７４８がクリックされたとき、構成表映像モニタプログラム１６４の代表画設定表示プログラム１８８は、映像の位置を基に、代表画を決定する。ボタン３５５がクリックされたとき、代表画設定表示プログラム１８１が、代表画を決定するようにしてもよい。
【０５３２】
ステップＳ１０６において、ディスク映像モニタプログラム１６１または構成表設定表示プログラム１６３は、コンボボックス３９４またはコンボボックス７４４への操作を基に、採用テイクを設定する。ステップＳ１０７において、タイトル設定プログラム１７４または付加情報表示プログラム１８０は、テイクにタイトルまたはコメントを設定する。
【０５３３】
ステップＳ１０８において、構成表設定表示プログラム１６３は、使用者の操作に対応して、必要に応じて、テイクを他のカットに移動する。構成表設定表示プログラム１６３は、使用者の操作に対応して、必要に応じて、テイクを他のシーンまたはエピソードに移動するようにしてもよい。ステップＳ１０９において、構成表設定表示プログラム１６３は、さらに、テイクをコピー等の処理をすることができる。
【０５３４】
ステップＳ１１０において、構成表設定表示プログラム１６３の代表画設定表示プログラム１８１は、テイクを選択することによって、カットの代表画を選択する。すなわち、テイクが選択されたとき、選択されたテイクの代表画が、カットの代表画とされる。ステップＳ１１１において、構成表設定表示プログラム１６３は、テイクを選択することによって、カットにタイトルまたはコメントを設定する。すなわち、テイクが選択されたとき、選択されたテイクのタイトルまたはコメントが、カットのタイトルまたはコメントとされる。
【０５３５】
ステップＳ１１２において、構成表ツリー表示プログラム１７９は、構成表ツリー表示部３５２への操作を基に、シーンを選択する。ステップＳ１１３において、映像表示プログラム１７２は、使用者の操作に応じた、シーンの映像等を、例えば、画像表示部３７２に表示させる。
【０５３６】
ステップＳ１１４において、構成表ツリー表示プログラム１７９は、構成表ツリー表示部３５２への操作を基に、カットの順番を変更する。ステップＳ１１５において、構成表映像モニタプログラム１６４の代表画設定表示プログラム１８８は、代表画を決定する。すなわち、エントリボタン７４８がクリックされたとき、構成表映像モニタプログラム１６４の代表画設定表示プログラム１８８は、映像の位置を基に、代表画を決定する。ボタン３５５がクリックされたとき、代表画設定表示プログラム１８１が、代表画を決定するようにしてもよい。
【０５３７】
ステップＳ１１６において、タイトル設定プログラム１７４または付加情報表示プログラム１８０は、シーンにタイトルまたはコメントを設定する。
【０５３８】
ステップＳ１１７において、構成表設定表示プログラム１６３は、使用者の操作に対応して、必要に応じて、カットを他のシーンに移動する。構成表設定表示プログラム１６３は、使用者の操作に対応して、必要に応じて、カットを他のエピソードに移動するようにしてもよい。ステップＳ１１８において、構成表設定表示プログラム１６３は、さらに、カットをコピー等の処理をすることができる。
【０５３９】
ステップＳ１１９において、構成表設定表示プログラム１６３は、カットを選択することによって、シーンの代表画を選択する。すなわち、選択されたカットの代表画が、シーンの代表画とされる。ステップＳ１２０において、構成表設定表示プログラム１６３は、カットを選択することによって、シーンにタイトルまたはコメントを設定する。すなわち、選択されたカットのタイトルまたはコメントが、シーンのタイトルまたはコメントとされる。
【０５４０】
ステップＳ１２１において、構成表ツリー表示プログラム１７９は、構成表ツリー表示部３５２への操作を基に、エピソードを選択する。ステップＳ１２２において、映像表示プログラム１７２は、使用者の操作に応じた、エピソードの映像等を、例えば、画像表示部３７２に表示させる。
【０５４１】
ステップＳ１２３において、構成表映像モニタプログラム１６４の代表画設定表示プログラム１８８は、代表画を決定する。すなわち、エントリボタン７４８がクリックされたとき、構成表映像モニタプログラム１６４の代表画設定表示プログラム１８８は、映像の位置を基に、代表画を決定する。ボタン３５５がクリックされたとき、代表画設定表示プログラム１８１が、代表画を決定するようにしてもよい。
【０５４２】
ステップＳ１２４において、タイトル設定プログラム１７４または付加情報表示プログラム１８０は、エピソードにタイトルまたはコメントを設定する。
【０５４３】
ステップＳ１２５において、構成表ツリー表示プログラム１７９は、構成表ツリー表示部３５２への操作を基に、プログラムを選択する。ステップＳ１２６において、映像表示プログラム１７２は、使用者の操作に応じた、プログラムの映像等を、例えば、画像表示部３７２に表示させる。
【０５４４】
ステップＳ１２７において、構成表映像モニタプログラム１６４の代表画設定表示プログラム１８８は、代表画を決定する。すなわち、エントリボタン７４８がクリックされたとき、構成表映像モニタプログラム１６４の代表画設定表示プログラム１８８は、映像の位置を基に、代表画を決定する。ボタン３５５がクリックされたとき、代表画設定表示プログラム１８１が、代表画を決定するようにしてもよい。
【０５４５】
ステップＳ１２８において、タイトル設定プログラム１７４または付加情報表示プログラム１８０は、プログラムにタイトルまたはコメントを設定する。
【０５４６】
ステップＳ１２９において、編集プログラム１５１は、作業環境を示すデータが格納されているアプリケーションプロジェクトファイルをハードディスク１１４に記録させる。ステップＳ１３０において、編集プログラム１５１は、選択されたプログラムをハードディスク１１４に記録させる。ステップＳ１３１において、編集プログラム１５１は、選択されたプログラムをプレイリストとしてディスク情報表示プログラム１６２に出力する。ステップＳ１３２において、編集プログラム１５１は、選択されたプログラムをエディットリストとしてディスク情報表示プログラム１６２に出力する。
【０５４７】
ステップＳ１３３において、編集プログラム１５１は、ディスク情報ファイル（DISCINFO.XML）、ディスクメタデータファイル（DISKMETA.XML）、プレイリスト、エディットリスト、およびプログラムメタデータ１９１を光ディスク１７に記録し、処理は終了する。
【０５４８】
図４８乃至図５１は、起動された編集プログラム１５１の他の処理を説明するフローチャートである。ステップＳ２０１において、編集プログラム１５１は、新規にプログラムを作成するか否かを判定し、新規にプログラムを作成しないと判定された場合、ステップＳ２０２に進み、元の光ディスク１７から読み出すか否かを判定する。ステップＳ２０２において、元の光ディスク１７から読み出すと判定された場合、ステップＳ２０３に進む。
【０５４９】
一方、ステップＳ２０１において、新規にプログラムを作成すると判定された場合、手続きは、ステップＳ２０３に進む。
【０５５０】
ステップＳ２０３において、編集プログラム１５１は、光ディスク１７との接続の処理を実行する。すなわち、編集プログラム１５１は、ドライブ１２０と接続し、ドライブ１２０に装着された光ディスク１７からファイルを読み出すか、または光ディスク１７にファイルを記録できるようにする。
【０５５１】
ステップＳ２０４において、編集プログラム１５１は、光ディスク１７から、必要なファイルを読み出して、ファイルを取得して、手続きは、ステップＳ２０６に進む。
【０５５２】
一方、ステップＳ２０２において、元の光ディスク１７から読み出さないと判定された場合、手続きは、ステップＳ２０５に進み、編集プログラム１５１は、ハードディスク１１４からプロジェクトファイルを読み込み、ステップＳ２０６に進む。
【０５５３】
なお、ステップＳ２０４において、編集プログラム１５１は、光ディスク１７から、必要なファイルを読み出して、ファイルを取得して、ステップＳ２０５に進んで、ハードディスク１１４からプロジェクトファイルを読み込むようにしてもよい。
【０５５４】
ステップＳ２０６において、ディスク映像モニタプログラム１６１は、アプリケーションプロジェクトファイルを基に、ジャンル別のエッセンスマークおよびエッセンスマーク設定ボタン３９８を設定する。ステップＳ２０７において、ディスク情報表示プログラム１６２は、使用者の操作に対応して、クリップを選択する。
【０５５５】
なお、クリップの選択前に、ジャンル別のエッセンスマークおよびエッセンスマーク設定ボタン３９８を設定することとしたのは、クリップの単位で、ジャンルが変更されることが多いからである。
【０５５６】
なお、ステップＳ２０５において、編集プログラム１５１は、ハードディスク１１４からプロジェクトファイルを読み込み、ステップＳ２０７に進むようにしてもよい。
【０５５７】
ステップＳ２０８において、ディスク映像モニタプログラム１６１は、使用者の操作を基に、エッセンスマークメニューを設定するか否かを判定し、エッセンスマークメニューを設定すると判定された場合、ステップＳ２０６に戻り、処理を繰り返す。ステップＳ２０８において、エッセンスマークメニューを設定しないと判定された場合、ステップＳ２０９に進み、映像表示プログラム１７２は、使用者の操作を基に、エッセンスマークを設定する位置を決める。
【０５５８】
ステップＳ２１０において、エッセンスマーク入力プログラム１７５は、使用者の操作を基に、クリップメタデータに、映像または音声の特徴を示す電子マークデータであるエッセンスマークを設定する。
【０５５９】
ステップＳ２１１において、ディスク情報表示プログラム１６２は、使用者の操作を基に、クリップを選択する。ステップＳ２１２において、タイトル設定プログラム１７４は、テキストボックス６０１への入力を基に、映像にタイトルを設定し、テキストボックス６０２への入力を基に、映像にコメントを設定する。
【０５６０】
ステップＳ２１３において、ディスク情報表示プログラム１６２は、使用者の操作を基に、クリップを選択する。ステップＳ２１４において、映像編集プログラム１７３は、エントリーインボタン３９０またはエントリーアウトボタン３９２がクリックされた、映像の位置を基に、クリップの編集開始位置または編集終了位置を設定する。
【０５６１】
なお、ステップＳ２１４の処理は、スキップされることもある。この場合、クリップは、編集開始位置または編集終了位置が設定されずに、テイクとして、カットに採用される。
【０５６２】
ステップＳ２１５において、編集プログラム１５１は、クリップの設定を構成表（プログラムメタデータ）に設定する。ステップＳ２１６において、ディスク情報表示プログラム１６２は、使用者の操作を基に、ディスクを選択する。ステップＳ２１７において、編集プログラム１５１は、ディスクの代表画を設定する。
【０５６３】
ステップＳ２１８において、タイトル設定プログラム１７４は、テキストボックス６０１に入力されたテキストを、選択されているディスクのタイトルに設定する。タイトル設定プログラム１７４は、テキストボックス６０２に入力されたテキストを、選択されているディスクのコメントに設定する。
【０５６４】
ステップＳ２１９において、ディスク情報表示プログラム１６２は、構成表ツリー表示部３５２への操作を基に、ルートを選択する。ステップＳ２２０において、ディスク情報表示プログラム１６２は、構成表ツリー表示部３５２に、ディスクの番号を表示させる。
【０５６５】
ステップＳ２２１において、ディスク情報表示プログラム１６２は、構成表ツリー表示部３５２への操作を基に、ディスクを切り替える。
【０５６６】
このように、ステップＳ２０７乃至ステップＳ２２１の処理は、ディスクインフォメーションウィンドウ３１１およびモニターウィンドウ３１３への操作に対応した処理となる。
【０５６７】
ステップＳ２２２において、構成表設定表示プログラム１６３は、構成表ツリー表示部３５２への操作を基に、テイクを選択する。ステップＳ２２３において、映像編集プログラム１７３は、エントリーインボタン３９０またはエントリーアウトボタン３９２がクリックされた、映像の位置を基に、テイクにテイクの編集開始位置または編集終了位置を設定する。
【０５６８】
ステップＳ２２４において、構成表映像モニタプログラム１６４の代表画設定表示プログラム１８８は、エントリボタン７４８がクリックされたとき、映像の位置を基に、テイクの代表画を設定する。ステップＳ２２５において、構成表設定表示プログラム１６３は、構成表ツリー表示部３５２への操作を基に、カットを選択する。ステップＳ２２６において、映像編集プログラム１７３は、エントリーインボタン３９０またはエントリーアウトボタン３９２がクリックされた、映像の位置を基に、カットの編集開始位置または編集終了位置を設定する。
【０５６９】
ステップＳ２２７において、構成表映像モニタプログラム１６４の代表画設定表示プログラム１８８は、エントリボタン７４８がクリックされたとき、映像の位置を基に、カットの代表画を設定する。ステップＳ２２８において、構成表映像モニタプログラム１６４は、コンボボックス７４４への操作を基に、採用テイクを決定する。ステップＳ２２９において、付加情報表示プログラム１８０は、付加情報表示部３５７に入力されたタイトルまたはコメントをカットに設定する。
【０５７０】
ステップＳ２３０において、構成表設定表示プログラム１６３は、構成表ツリー表示部３５２への操作を基に、シーンを選択する。ステップＳ２３１において、構成表設定表示プログラム１６３は、構成表ツリー表示部３５２への操作を基に、シーンにおける、カットの順番を決定する。ステップＳ２３２において、構成表映像モニタプログラム１６４の代表画設定表示プログラム１８８は、エントリボタン７４８がクリックされたとき、映像の位置を基に、シーンの代表画を設定する。ステップＳ２３３において、付加情報表示プログラム１８０は、付加情報表示部３５７に入力されたタイトルまたはコメントをシーンに設定する。
【０５７１】
ステップＳ２３４において、構成表設定表示プログラム１６３は、構成表ツリー表示部３５２への操作を基に、エピソードを選択する。ステップＳ２３５において、構成表設定表示プログラム１６３は、構成表ツリー表示部３５２への操作を基に、エピソードにおける、シーンの順番を決定する。ステップＳ２３６において、構成表映像モニタプログラム１６４の代表画設定表示プログラム１８８は、エントリボタン７４８がクリックされたとき、映像の位置を基に、エピソードの代表画を設定する。ステップＳ２３７において、付加情報表示プログラム１８０は、付加情報表示部３５７に入力されたタイトルまたはコメントをエピソードに設定する。
【０５７２】
ステップＳ２３８において、構成表設定表示プログラム１６３は、構成表ツリー表示部３５２への操作を基に、プログラムを選択する。ステップＳ２３９において、構成表設定表示プログラム１６３は、構成表ツリー表示部３５２への操作を基に、プログラムにおける、エピソードの順番を決定する。ステップＳ２４０において、構成表映像モニタプログラム１６４の代表画設定表示プログラム１８８は、エントリボタン７４８がクリックされたとき、映像の位置を基に、プログラムの代表画を設定する。ステップＳ２４１において、付加情報表示プログラム１８０は、付加情報表示部３５７に入力されたタイトルまたはコメントをプログラムに設定する。
【０５７３】
ステップＳ２４２において、構成表設定表示プログラム１６３は、構成表ツリー表示部３５２への操作を基に、ルートを選択する。ステップＳ２４３において、構成表映像モニタプログラム１６４は、モニターウィンドウ７０１への操作を基に、画像表示部７２２などにプログラムの内容を表示する。
【０５７４】
ステップＳ２４４において、構成表設定表示プログラム１６３は、構成表ツリー表示部３５２への操作を基に、プログラムを切り替える。
【０５７５】
このように、ステップＳ２２２乃至ステップＳ２４４の処理は、ストラクチャーウィンドウ３１２およびモニターウィンドウ７０１への操作に対応した処理となる。
【０５７６】
ステップＳ２４５において、編集プログラム１５１は、作業環境を示すデータが格納されているアプリケーションプロジェクトファイルをハードディスク１１４に記録させる。ステップＳ２４６において、編集プログラム１５１は、使用者の操作に応じて、所定のファイルをエクスポート（出力）する。ステップＳ２４７において、編集プログラム１５１は、FTPに基づく手続きによって、ディスク情報ファイル（DISCINFO.XML）、ディスクメタデータファイル（DISKMETA.XML）、プレイリスト、エディットリスト、およびプログラムメタデータ１９１を元の光ディスク１７に記録し、処理は終了する。
【０５７７】
なお、元の光ディスク１７と異なる光ディスクがドライブ１２０に装着されているとき、編集プログラム１５１は、元の光ディスク１７の装着を要求するメッセージを表示させる。
【０５７８】
図５２は、ディスク映像モニタプログラム１６１によるエッセンスマークの設定の処理を説明するフローチャートである。
【０５７９】
ステップＳ３０１において、ディスク映像モニタプログラム１６１は、エッセンスマークを設定するクリップを特定する。例えば、ディスク映像モニタプログラム１６１は、映像表示プログラム１７２が映像を表示しているクリップを、エッセンスマークを設定するクリップとする。例えば、ディスク映像モニタプログラム１６１は、ディスク情報表示プログラム１６２によって選択されているクリップを、エッセンスマークを設定するクリップとする。
【０５８０】
ステップＳ３０２において、ディスク映像モニタプログラム１６１は、エッセンスマークを設定する、クリップの映像上の時刻を取得する。例えば、ディスク映像モニタプログラム１６１は、エッセンスマークを設定する、クリップの映像上の時刻として、映像表示プログラム１７２が映像表示部３７２に表示させている映像の時刻を、エッセンスマークを設定する映像上の時刻とする。
【０５８１】
ステップＳ３０３において、ディスク映像モニタプログラム１６１のエッセンスマーク入力プログラム１７５は、エッセンスマークとして設定するテキストを取得する。例えば、ディスク映像モニタプログラム１６１のエッセンスマーク入力プログラム１７５は、クリックされたエッセンスマーク設定ボタン３９８に対応して設定されているテキストを、エッセンスマークとして設定するテキストとして取得する。例えば、ディスク映像モニタプログラム１６１のエッセンスマーク入力プログラム１７５は、コンボボックス３９９の操作によって選択されたメニューに対応するテキストを、エッセンスマークとして設定するテキストとして取得する。
【０５８２】
ステップＳ３０４において、ディスク映像モニタプログラム１６１は、クリップに関係するクリップメタデータ１９２に、ステップＳ３０２の処理で取得した時刻、およびステップＳ３０３の処理で取得したテキストからなるエッセンスマークを書き込んで、処理は終了する。
【０５８３】
このように、編集プログラム１５１は、所望の映像に、映像の特徴を示すエッセンスマークを簡単に、迅速に設定することができる。
【０５８４】
図５３は、編集プログラム１５１によるエッセンスマークの表示の処理を説明するフローチャートである。
【０５８５】
ステップＳ３２１において、編集プログラム１５１は、表示しようとするエッセンスマークが設定されているクリップを特定する。例えば、編集プログラム１５１の映像表示プログラム１７２は、映像を表示しているクリップを、エッセンスマークを表示するクリップとする。例えば、編集プログラム１５１の映像表示プログラム１７２は、ディスク情報ツリー表示プログラム１７６によって選択されているディスクに属するクリップを、エッセンスマークを表示するクリップとする。例えば、サムネイル／リスト表示プログラム１７７は、ディスク情報ツリー表示プログラム１７６によって選択されているクリップを、エッセンスマークを表示するクリップとする。
【０５８６】
ステップＳ３２２において、編集プログラム１５１は、ステップＳ３２１の処理で特定されたクリップに関係するクリップメタデータ１９２から、映像上の時刻およびテキストからなるエッセンスマークを読み出す。
【０５８７】
ステップＳ３２３において、編集プログラム１５１のエッセンスマーク表示プログラム１７１は、ステップＳ３２２の処理で読み出したエッセンスマークの時刻から特定される位置にエッセンスマーカー３７６を表示させる。
【０５８８】
ステップＳ３２４において、編集プログラム１５１のサムネイル／リスト表示プログラム１７７は、ディスク情報ツリー表示プログラム１７６によるルート、ディスク、およびクリップのいずれかの選択を基に、エッセンスマークが付された映像のサムネイルを表示するか否かを判定し、エッセンスマークが付された映像のサムネイルを表示すると判定された場合、ステップＳ３２５に進み、サムネイル／リスト表示プログラム１７７は、エッセンスマークの時刻の映像を取得する。ステップＳ３２６において、サムネイル／リスト表示プログラム１７７は、ステップＳ３２５の処理で取得した映像を基に、サムネイルを生成する。ステップＳ３２７において、サムネイル／リスト表示プログラム１７７は、ステップＳ３２６の処理で生成したサムネイルをサムネイル表示部３３４に表示させる。
【０５８９】
なお、ステップＳ３２５乃至ステップＳ３２７の処理において、サムネイルを生成して表示すると説明したが、サムネイル／リスト表示プログラム１７７は、エッセンスマークの時刻から、予め記録しているサムネイルを特定し、特定されたサムネイルを表示するようにしてもよい。
【０５９０】
ステップＳ３２８において、付加情報表示プログラム１７８は、サムネイル表示部３３４に、ステップＳ３２２の処理で取得した、エッセンスマークの時刻を表示させる。ステップＳ３２９において、付加情報表示プログラム１７８は、サムネイル表示部３３４に、ステップＳ３２２の処理で取得した、エッセンスマークのテキストを表示させ、処理は終了する。
【０５９１】
なお、付加情報表示プログラム１７８は、予めテキストと色との対応を示すデータを記憶し、エッセンスマークのテキストに対応する色で、サムネイル表示部３３４を表示させるようにしてもよい。
【０５９２】
このように、編集プログラム１５１は、エッセンスマークに応じて、エッセンスマークが付されている映像上の時刻を表示したり、エッセンスマークが付されている映像のサムネイルを表示することができる。さらに、編集プログラム１５１は、エッセンスマークが付されている映像の特徴を示すテキストおよびエッセンスマークが付されている映像上の時刻を表示することができる。
【０５９３】
図５４は、編集プログラム１５１による、代表画の設定の処理を説明するフローチャートである。
【０５９４】
ステップＳ３４１において、編集プログラム１５１は、代表画を特定する情報を取得する。例えば、編集プログラム１５１は、メニューから代表画を設定するコマンドが実行されたとき、ボタン３５５がクリックされたとき、サムネイル表示部３５３のサムネイルが代表画表示部３５６にドラッグアンドドロップされたとき、選択されている画像またはドラッグアンドドロップされた画像を特定する情報を取得する。画像を特定する情報は、例えば、クリップの映像上の時刻を特定する情報、キーフレームを特定する情報、または下位の階層の代表画を特定する情報などである。
【０５９５】
ステップＳ３４２において、編集プログラム１５１は、ディスク情報表示プログラム１６２のサムネイル／リスト表示プログラム１７７において選択されているサムネイルなどを基に、クリップの代表画に設定するか否かを判定し、クリップの代表画に設定すると判定された場合、ステップＳ３４３に進み、編集プログラム１５１は、クリップのクリップメタデータ１９２に、代表画を特定する情報を書き込む。例えば、編集プログラム１５１は、サムネイル表示部３３４に表示されているキーフレームのサムネイルが選択されている場合、代表画に設定するコマンドが実行されたとき、クリップの代表画に設定すると判定する。
【０５９６】
ステップＳ３４２において、クリップの代表画に設定しないと判定された場合、ステップＳ３４３の処理はスキップされ、手続きは、ステップＳ３４４に進む。
【０５９７】
ステップＳ３４４において、編集プログラム１５１は、ディスク情報表示プログラム１６２のサムネイル／リスト表示プログラム１７７において選択されているサムネイルなどを基に、ディスクの代表画に設定するか否かを判定し、ディスクの代表画に設定すると判定された場合、ステップＳ３４５に進み、編集プログラム１５１は、ディスクメタデータ（例えば、図４のディスクメタデータファイルから読み出されるか、またはディスクメタデータファイルに書き込まれるデータ）に、代表画を特定する情報を書き込む。例えば、編集プログラム１５１は、サムネイル表示部３３４に表示されているクリップの代表画が選択されている場合、代表画に設定するコマンドが実行されたとき、ディスクの代表画に設定すると判定する。
【０５９８】
ステップＳ３４４において、ディスクの代表画に設定しないと判定された場合、ステップＳ３４５の処理はスキップされ、手続きは、ステップＳ３４６に進む。
【０５９９】
ステップＳ３４６において、編集プログラム１５１は、構成表設定表示プログラム１６３のサムネイル表示プログラム１８７によって表示されているサムネイルの選択などを基に、プログラム、エピソード、シーン、カット、またはテイクの代表画に設定するか否かを判定し、プログラム、エピソード、シーン、カット、またはテイクの代表画に設定すると判定された場合、ステップＳ３４７に進み、編集プログラム１５１は、プログラムメタデータ１９１に、代表画を特定する情報を書き込んで、処理は終了する。例えば、編集プログラム１５１は、サムネイル表示部３５３に表示されているシーンの代表画が代表画表示部３５６にドラッグアンドドロップされたとき、エピソードの代表画に設定すると判定する。
【０６００】
ステップＳ３４６において、プログラム、エピソード、シーン、カット、またはテイクの代表画に設定しないと判定された場合、ステップＳ３４７の処理はスキップされ、手続きは終了する。
【０６０１】
このように、編集プログラム１５１は、代表画を設定することができる。
【０６０２】
図５５は、編集プログラム１５１による、代表画の表示の処理を説明するフローチャートである。
【０６０３】
ステップＳ３６１において、編集プログラム１５１は、ツリー表示部３３２またはサムネイル表示部３３４への操作などを基に、クリップの代表画を表示するか否かを判定し、クリップの代表画を表示すると判定された場合、ステップＳ３６２に進み、クリップのクリップメタデータ１９２から、代表画を特定する情報を読み出す。
【０６０４】
ステップＳ３６１において、クリップの代表画を表示しないと判定された場合、ステップＳ３６２の処理はスキップされる。
【０６０５】
ステップＳ３６３において、編集プログラム１５１は、ツリー表示部３３２またはサムネイル表示部３３４への操作などを基に、ディスクの代表画を表示するか否かを判定し、ディスクの代表画を表示すると判定された場合、ステップＳ３６４に進み、ディスクメタデータから、代表画を特定する情報を読み出す。
【０６０６】
ステップＳ３６３において、ディスクの代表画を表示しないと判定された場合、ステップＳ３６４の処理はスキップされる。
【０６０７】
ステップＳ３６５において、編集プログラム１５１は、構成表ツリー表示部３５２への操作などを基に、プログラム、エピソード、シーン、カット、またはテイクの代表画を表示するか否かを判定し、プログラム、エピソード、シーン、カット、またはテイクの代表画を表示すると判定された場合、ステップＳ３６６に進み、プログラムメタデータ１９１から、代表画を特定する情報を読み出す。
【０６０８】
ステップＳ３６５において、プログラム、エピソード、シーン、カット、またはテイクの代表画を表示しないと判定された場合、ステップＳ３６６の処理はスキップされる。
【０６０９】
ステップＳ３６７において、編集プログラム１５１は、ステップＳ３６２、ステップＳ３６４、またはステップＳ３６６の処理によって読み出された代表画を特定する情報を基に、代表画を取得する。ステップＳ３６８において、編集プログラム１５１は、代表画を表示して、処理は終了する。例えば、編集プログラム１５１のサムネイル／リスト表示プログラム１７７は、サムネイル表示部３３４に代表画を表示させる。例えば、編集プログラム１５１のサムネイル(ストーリボード)表示プログラム１８２は、サムネイル表示部３３３に代表画を表示させる。例えば、編集プログラム１５１の代表画設定表示プログラム１８１は、代表画表示部３５６に代表画を表示させる。
【０６１０】
このように、編集プログラム１５１は、代表画を表示させることができる。
【０６１１】
このように、クリップの映像を表示させて、所望の時刻に編集開始位置または編集終了位置を設定するようにした場合、映像を編集することができるようになる。
【０６１２】
また、映像を表示するための映像コンテンツデータに関係するメタデータに、映像の特徴を示す電子マークデータを設定し、映像コンテンツデータを基に、映像の表示を制御し、電子マークデータが設定されているメタデータを基に、電子マークデータが示す特徴を有する映像の時間的位置、および映像の特徴の少なくとも一方の表示を制御するようにした場合、所望の特徴を含む映像を迅速に編集することができるようになる。
【０６１３】
次に、フィールドＰＣ１５により実行される、粗編集の処理を実行する編集プログラム１５１の他の構成について説明する。図５６は、編集プログラム１５１の他の構成の例を示すブロック図である。
【０６１４】
図５６で示される編集プログラム１５１は、ディスク情報映像表示プログラム８０１、ディスク情報設定表示プログラム８０２、構成表設定表示プログラム８０３、構成表映像表示プログラム８０４、エッセンスマークリスト編集プログラム８０５、エッセンスマーク設定プログラム８０６、検索プログラム８０７、通信プログラム８０８、および印刷プログラム８０９を含む。
【０６１５】
ディスク情報映像表示プログラム８０１は、光ディスク１７に記録されている映像コンテンツデータを基に、映像を表示させ、映像を編集するプログラムである。また、ディスク情報映像表示プログラム８０１は、クリップメタデータを基に、エッセンスマークが設定された時刻を示す画像を表示させる。ディスク情報映像表示プログラム８０１は、エッセンスマークマーカ表示プログラム８２１、映像表示プログラム８２２、および映像編集プログラム８２３を含む。
【０６１６】
エッセンスマークマーカ表示プログラム８２１は、映像または音声の特徴を示す電子マークデータであるエッセンスマークが設定されているクリップメタデータを基に、エッセンスマークが設定された時刻を示す画像であるマーカー（例えば、図１９のエッセンスマーカー３７６およびエッセンスマーカー３７７）を表示させる。映像表示プログラム８２２は、映像コンテンツデータを基に、映像の表示を制御する。
【０６１７】
映像編集プログラム８２３は、映像コンテンツデータを編集するプログラムである。
【０６１８】
ディスク情報設定表示プログラム８０２は、光ディスク１７に関係する情報を設定するか、または光ディスク１７に記録されている映像コンテンツデータに関係する情報を設定し、設定されている情報を表示するプログラムである。ディスク情報設定表示プログラム８０２は、ディスク情報ツリー表示プログラム８２４、サムネイル／リスト表示プログラム８２５、付加情報設定表示プログラム８２６、および代表画設定プログラム８２７を含む。
【０６１９】
ディスク情報ツリー表示プログラム８２４は、光ディスク１７から読み出された、光ディスク１７に関係する情報、または映像コンテンツデータに関係する情報（エッセンスマークを含む）をツリー構造で表示するよう表示を制御するプログラムである。サムネイル／リスト表示プログラム８２５は、映像コンテンツデータに対応するサムネイルまたはリストの表示を制御する。
【０６２０】
付加情報設定表示プログラム８２６は、光ディスク１７に関係する情報である付加情報を光ディスク１７に設定し、光ディスク１７に設定されている付加情報の表示を制御するプログラムである。また、付加情報設定表示プログラム８２６は、光ディスク１７に記録されている映像コンテンツデータに関係する情報である付加情報をクリップメタデータに設定し、クリップメタデータに設定されている、映像コンテンツデータに関係する情報である付加情報の表示を制御する。代表画設定プログラム８２７は、光ディスク１７に代表画を設定するプログラムである。
【０６２１】
構成表設定表示プログラム８０３は、光ディスク１７から読み出されたプログラムメタデータに関する情報を表示し、編集するプログラムである。構成表設定表示プログラム８０３は、構成表ツリー表示プログラム８２８、付加情報設定表示プログラム８２９、代表画設定表示プログラム８３０、サムネイル表示プログラム８３１、および映像編集プログラム８３２を含む。
【０６２２】
構成表ツリー表示プログラム８２８は、プログラムメタデータを基に、構成表をツリー構造で表示するよう表示を制御するプログラムである。付加情報設定表示プログラム８２９は、プログラムメタデータに付加情報を設定し、プログラムメタデータに設定されている付加情報の表示を制御するプログラムである。代表画設定表示プログラム８３０は、テイク、カット、シーン、エピソード、またはプログラム（映像プログラム）の代表画を設定し、代表画の表示を制御するプログラムである。
【０６２３】
サムネイル表示プログラム８３１は、テイク、カット、シーン、エピソード、またはプログラムの代表画のサムネイルの表示を制御する。映像編集プログラム８３２は、映像コンテンツデータを編集するプログラムである。
【０６２４】
構成表映像表示プログラム８０４は、光ディスク１７に記録されている映像コンテンツデータを基に、映像を表示させ、映像を編集し、さらに、クリップメタデータを基に、エッセンスマークが設定された時刻を示す画像を表示させる。また、構成表映像表示プログラム８０４は、構成表メタデータを基に、構成表を表示させ、クリップ、ディスク、カット、シーン、エピソード、およびプログラムの代表画を設定する。
【０６２５】
構成表映像表示プログラム８０４は、エッセンスマークマーカ表示プログラム８３３、映像表示プログラム８３４、映像編集プログラム８３５、および構成表表示プログラム８３６を含む。
【０６２６】
エッセンスマークマーカ表示プログラム８３３は、映像または音声の特徴を示す電子マークデータであるエッセンスマークが設定されているクリップメタデータを基に、エッセンスマークが設定された時刻を示す画像であるマーカー（例えば、図１９のエッセンスマーカー３７６およびエッセンスマーカー３７７）を表示させる。映像表示プログラム８３４は、映像コンテンツデータを基に、映像の表示を制御する。映像編集プログラム８３５は、映像コンテンツデータを編集するプログラムである。構成表表示プログラム８３６は、構成表メタデータを基に、構成表の表示を制御するプログラムである。
【０６２７】
エッセンスマークリスト編集プログラム８０５は、クリップメタデータを基に、エッセンスマーク（のリスト）を編集するプログラムである。
【０６２８】
エッセンスマーク設定プログラム８０６は、クリップメタデータに、エッセンスマークを設定するプログラムである。エッセンスマーク入力プログラム８３７は、例えば、図１９で示されるテキストボックス３９７、エッセンスマーク設定ボタン３９８−１乃至３９８−１５、およびエッセンスマーク設定コンボボックス３９９などを表示させて、クリップメタデータに、設定するエッセンスマークを入力するプログラムである。
【０６２９】
検索プログラム８０７は、ディスク情報、構成表表示の元になっているメタデータからキーワード検索を行い、検索結果から操作画面にジャンプするためのプログラムである。
【０６３０】
通信プログラム８０８は、光ディスク駆動装置またはサーバなどからディスク情報、メタデータ、または構成表などを取得し、ディスク情報、メタデータ、または構成表などを光ディスク駆動装置またはサーバに書き戻す。
【０６３１】
印刷プログラム８０９は、ディスク情報設定表示、構成表設定表示、詳細プロパティ、エッセンスマーク編集情報などの選択ウィンドウを印刷装置に印刷させる。
【０６３２】
次に、図５７乃至図５９を参照して、映像プログラムの制作における、構成表、取材指示、編集に関するデータの取り扱いについて説明する。
【０６３３】
まず最初に、企画構成部署は、制作する映像プログラムの企画および構想を行って作成したシナリオ（筋書）を示す全体構成表、並びに、取材部署および編集部署等の他部署に制作作業内容を指示するための全体計画構成表を生成する。
【０６３４】
企画構成部署は、全体構成表の内容を、一連の映像プログラム（１または複数の映像プログラムからなる、例えば、いわゆる連続ドラマの映像プログラム）を管理するための全体プログラム管理（データ）に格納する。例えば、全体プログラム管理データには、全体構成表のエピソード以上の階層（プログラム階層とエピソード階層）のデータが格納される。
【０６３５】
全体計画構成表および全体プログラム管理データから、個別の取材部署に制作作業内容を指示するための構成表（構成表メタデータ）が生成される。また、構成表に対応して、具体的な制作作業内容を指示するための取材指示（データ）が生成される。
【０６３６】
図５８は、構成表に対応して生成された取材指示データの例を示す図である。取材指示データにおいては、プログラムＩＤ、エピソードＩＤ、シーンＩＤ、およびカットＩＤの組み合わせに対応して、取材グループを特定するための取材グループＩＤ、および取材の作業を特定するための詳細取材ＩＤが配置される。
【０６３７】
ここで、プログラムＩＤは、映像プログラムを特定するデータである。エピソードＩＤは、映像プログラムにおけるエピソードを特定するデータである。シーンＩＤは、エピソードにおけるシーンを特定するデータである。また、カットＩＤは、シーンにおけるカットを特定するデータである。
【０６３８】
取材グループは、１のまたは複数の取材の作業を要素とする取材の作業の集合である。例えば、取材グループは、取材する場所が同じである取材の作業からなるか、取材する日時が同じである取材の作業からなるか、または取材する場所および日時が同じである取材の作業からなる。
【０６３９】
図５８で示される例において、横に１行に並ぶ、プログラムＩＤ、エピソードＩＤ、シーンＩＤ、カットＩＤ、取材グループＩＤ、および詳細取材ＩＤは、１つのカットに対応する映像コンテンツデータに関係するデータである。
【０６４０】
例えば、図５８で示される取材指示データにおいて、”Ｐ００１”であるプログラムＩＤ、”Ｅ００１”であるエピソードＩＤ、”Ｓ００１”であるシーンＩＤ、および”Ｃ００１”であるカットＩＤの組み合わせに対応して、”Ｘ００１”である取材グループＩＤおよび”Ｘ００１−００１”である詳細取材ＩＤが配置されている。
【０６４１】
すなわち、”Ｐ００１”、”Ｅ００１”、”Ｓ００１”、および”Ｃ００１”で特定されるカットに、”Ｘ００１”である取材グループＩＤで特定される取材グループおよび”Ｘ００１−００１”である詳細取材ＩＤで特定される取材が対応付けられている。換言すれば、”Ｐ００１”であるプログラムＩＤで特定されるプログラムの内の、”Ｅ００１”であるエピソードＩＤで特定されるエピソードの、さらにそのエピソードの内の”Ｓ００１”であるシーンＩＤで特定されるシーンの、さらにまたそのシーンの内の、”Ｃ００１”であるカットＩＤで特定されるカットに、”Ｘ００１”である取材グループＩＤで特定される取材グループおよび”Ｘ００１−００１”である詳細取材ＩＤで特定される取材が対応付けられている。
【０６４２】
同様に、図５８で示される取材指示データにおいて、”Ｐ００１”であるプログラムＩＤ、”Ｅ００１”であるエピソードＩＤ、”Ｓ００１”であるシーンＩＤ、および”Ｃ００２”であるカットＩＤの組み合わせに対応して、”Ｘ００１”である取材グループＩＤおよび”Ｘ００１−００２”である詳細取材ＩＤが配置されている。
【０６４３】
また、例えば、図５８で示される取材指示データにおいて、”Ｐ００１”であるプログラムＩＤ、”Ｅ００２”であるエピソードＩＤ、”Ｓ００２”であるシーンＩＤ、および”Ｃ００１”であるカットＩＤの組み合わせに対応して、”Ｘ００５”である取材グループＩＤおよび”Ｘ００５−００１”である詳細取材ＩＤが配置されている。これは、”Ｐ００１”、”Ｅ００２”、”Ｓ００２”、および”Ｃ００１”で特定されるカットに、”Ｘ００５”である取材グループＩＤで特定される取材グループおよび”Ｘ００５−００１”である詳細取材ＩＤで特定される取材が対応付けられていることを示す。
【０６４４】
取材の都合で、すなわち、取材の計画または実行ために取材指示データは並び替えられる。上述したように、図５８で示される取材指示データにおいて、横に１行に並ぶ、プログラムＩＤ、エピソードＩＤ、シーンＩＤ、カットＩＤ、取材グループＩＤ、および詳細取材ＩＤは、１つのカットに対応する映像コンテンツデータに関係するデータなので、この場合、並び替えは、行（横の並び）毎に行われる。
【０６４５】
そして、取材が行われる場所を示すデータ、取材が行われる日時を示すデータなどが取材指示データに追加される。ここで、取材が行われる場所を示すデータ、取材が行われる日時を示すデータなどは、取材の予定を示すデータであるか、または、取材の結果を示すデータである。
【０６４６】
図５９は、取材の都合で並び替えられた取材指示データの例を示す図である。図５９で示される取材指示データは、取材グループＩＤおよび詳細取材ＩＤを基に並び替えられている。
【０６４７】
図５９で示される取材指示データには、プログラムＩＤ、エピソードＩＤ、シーンＩＤ、およびカットＩＤの組み合わせに対応する、取材グループＩＤおよび詳細取材ＩＤに加えて、取材が行われた場所を示す取材場所データ、取材が行われた日時を示す取材日時データ、取材により得られた映像コンテンツデータが記録されている光ディスク１７を特定するディスクＩＤが配置される。さらに、例えば、取材指示データには、１つの取材グループによって取得された、１または複数の映像コンテンツデータをグループ分けするためのプログラムＩＤ（以下、取材プログラムＩＤと称する）が付されている。
【０６４８】
例えば、取材指示データの上から１行目のデータ乃至３行目のデータが、”Ｘ００１”である取材グループＩＤに対応し、”Ｘ００１−００１”乃至”Ｘ００１−００３”である詳細取材ＩＤに順に対応するように、図５９で示される取材指示データは並び替えられている。また、取材指示データの上から４行目のデータおよび５行目のデータが、”Ｘ００２”である取材グループＩＤに対応し、”Ｘ００２−００１”および”Ｘ００２−００２”である詳細取材ＩＤに順に対応するように、図５９で示される取材指示データは並び替えられている。
【０６４９】
さらに、取材指示データの上から６行目のデータ乃至１４行目のデータが、”Ｘ００３”である取材グループＩＤに対応し、”Ｘ００３−００１”乃至”Ｘ００３−００９”である詳細取材ＩＤに順に対応するように、図５９で示される取材指示データ並び替えられている。
【０６５０】
例えば、図５９で示される取材指示データの上から１行目のデータ乃至３行目のデータには、取材が行われる場所が東京であることを示すデータ、取材が行われる日時が２月１０日であることを示すデータ、および”Ｄｉｓｃ００１”であるディスクＩＤが付加されている。図５９で示される取材指示データの上から１行目のデータ乃至３行目のデータには、”Ｐ００１−１”である取材プログラムＩＤが付加されている。
【０６５１】
また、図５９で示される取材指示データの上から４行目のデータおよび５行目のデータには、取材が行われる場所が名古屋であることを示すデータ、取材が行われる日時が２月１０日であることを示すデータ、および”Ｄｉｓｃ００２”であるディスクＩＤが付加されている。図５９で示される取材指示データの上から４行目のデータおよび５行目のデータには、”Ｐ００１−２”である取材プログラムＩＤが付加されている。
【０６５２】
さらに、図５９で示される取材指示データの上から６行目のデータ乃至１０行目のデータには、取材が行われる場所が大阪であることを示すデータ、取材が行われる日時が２月１０日であることを示すデータ、および”Ｄｉｓｃ００３”であるディスクＩＤが付加されている。
【０６５３】
さらにまた、図５９で示される取材指示データの上から１１行目のデータ乃至１４行目のデータには、取材が行われる場所が大阪であることを示すデータ、取材が行われる日時が２月１１日であることを示すデータ、および”Ｄｉｓｃ００４”であるディスクＩＤが付加されている。
【０６５４】
図５９で示される取材指示データの上から６行目のデータおよび１４行目のデータには、”Ｐ００１−３”である取材プログラムＩＤが付加されている。
【０６５５】
このように、取材指示データは、取材ために並び替えられ、取材部署における予定や取材の結果を示す、取材場所データまたは取材日時データなどが付加される。
【０６５６】
図５７に戻り、取材指示データに付加された取材場所データまたは取材日時データなどは、全体プログラム管理データに反映される。
【０６５７】
次に、全体計画構成表および全体プログラム管理データから、粗編集指示（データ）（ロギング指示（データ））が生成される。粗編集指示データを基に、取材により得られた映像コンテンツデータの粗編集が実行されて、その結果を示すデータが、全体プログラム管理データに反映される。
【０６５８】
さらに、全体計画構成表および全体プログラム管理データから、映像プログラムの個々の部分に対応する編集指示（データ）が生成される。そして、映像プログラムの個々の部分に対応する編集指示データを基に、映像コンテンツデータの編集が実行されて、編集の結果を示す映像データおよび音声データの再生順序を示すエディットリスト（編集用個別エディットリスト）が生成される。
【０６５９】
また、編集用個別エディットリストは、映像コンテンツデータと共に、編集部署における編集機に供給される。編集機は、さらに映像プログラムの編集を行い、その編集の結果を反映した個別エディットリストを生成して、生成した個別エディットリストを、最終的な映像プログラムの編集を行う完パケ編集機に供給する。
【０６６０】
そして、さらにまた、全体計画構成表および全体プログラム管理データから、映像プログラムの全体に対応する編集指示（データ）が生成される。映像プログラムの全体に対応する編集指示データを基に、映像コンテンツデータの編集が実行されて、編集の結果を示す全体プログラムトップエディットリストが生成される。
【０６６１】
映像プログラムの全体に対応する編集において、配布付加価値データが生成される。配布付加価値データは、例えば、編集によって付加されるデータであり、例えば、編集の過程で付加されたエッセンスマーク、タイトル、またはコメントなどのデータである。
【０６６２】
エディットリスト（全体プログラムトップエディットリスト）を含む、編集の結果を示すデータが、全体プログラム管理データに反映される。
【０６６３】
全体プログラムトップエディットリストは、配布付加価値データおよび映像コンテンツデータと共に、編集部署における完パケ編集機に供給される。
【０６６４】
完パケ編集機は、個別エディットリスト、全体プログラムトップエディットリスト、および映像コンテンツデータを基に、映像プログラムにおける複雑な表現の編集を実行する。
【０６６５】
この場合、個別エディットリストおよび映像コンテンツデータを編集機に戻し、再度、映像プログラムの個々の部分について編集を行う場合がある。
【０６６６】
完パケ編集機は、編集が完了した場合、全体エディットリストを生成して、全体エディットリストを出力する。完パケ編集機における編集の内容は、全体プログラム同期処理として、全体プログラム管理データに反映される。
【０６６７】
このように、映像プログラムが制作され、映像プログラムの各制作過程において、構成表、取材指示、または編集に関するデータが利用される。このようにすることで、より迅速に、映像プログラムを制作することができるようになる。
【０６６８】
また、１つの映像プログラムを制作するための素材を、他の映像プログラムの制作に利用する（再利用する）場合、利用したい素材を迅速に検索することができる。
【０６６９】
上述した一連の処理は、ハードウェアにより実行させることもできるが、ソフトウェアにより実行させることもできる。一連の処理をソフトウェアにより実行させる場合には、そのソフトウェアを構成する、コンピュータプログラムが、専用のハードウェアに組み込まれているコンピュータ、または、各種のコンピュータプログラムをインストールすることで、各種の機能を実行することが可能な、例えば汎用のパーソナルコンピュータなどに、記録媒体からインストールされる。
【０６７０】
この記録媒体は、図２に示すように、コンピュータとは別に、ユーザにコンピュータプログラムを提供するために配布される、コンピュータプログラムが記録されている磁気ディスク１３１（フレキシブルディスクを含む）、光ディスク１３２（CD-ROM(Compact Disc-Read Only Memory)、ＤＶＤ(Digital Versatile Disc)を含む）、光磁気ディスク１３３（ＭＤ(Mini-Disc)（商標）を含む）、若しくは半導体メモリ１３４などよりなるパッケージメディアにより構成されるだけでなく、コンピュータに予め組み込まれた状態でユーザに提供される、コンピュータプログラムが記録されているROM１１２や、ハードディスク１１４などで構成される。
【０６７１】
なお、上述した一連の処理を実行させるコンピュータプログラムは、必要に応じてルータ、モデムなどのインタフェース（通信部１１９）を介して、ローカルエリアネットワーク、インターネット、デジタル衛星放送といった、有線または無線の通信媒体を介してコンピュータにインストールされるようにしてもよい。
【０６７２】
また、本明細書において、記録媒体に格納されるコンピュータプログラムを記述するステップは、記載された順序に沿って時系列的に行われる処理はもちろん、必ずしも時系列的に処理されなくとも、並列的あるいは個別に実行される処理をも含むものである。
【０６７３】
なお、本明細書において、システムとは、複数の装置により構成される装置全体を表すものである。
【図面の簡単な説明】
【０６７４】
【図１】本発明に係る映像プログラム制作支援システムの構成を示す図である。
【図２】フィールドＰＣ１５の一実施の形態の構成を示すブロック図である。
【図３】フィールドＰＣ１５により実行されるプログラムの例を示す図である。
【図４】プログラム、エピソード、シーン、カット、およびプログラム（クリップ）の構造を示す図である。
【図５】光ディスク１７に記録されているディレクトリ（フォルダ）およびファイルの構造を説明する図である。
【図６】光ディスク１７に記録されているディレクトリ（フォルダ）およびファイルの構造を説明する図である。
【図７】構成表メタデータの構成の例を示す図である。
【図８】構成表メタデータの構成の例を示す図である。
【図９】構成表メタデータの構成の例を示す図である。
【図１０】構成表メタデータの構成の例を示す図である。
【図１１】編集プログラム１５１がフィールドＰＣ１５の出力部１１７であるLCDに表示させる画面の例を示す図である。
【図１２】編集プログラム１５１がフィールドＰＣ１５の出力部１１７であるLCDに表示させる画面の例を示す図である。
【図１３】編集プログラム１５１がフィールドＰＣ１５の出力部１１７であるLCDに表示させる画面の例を示す図である。
【図１４】編集プログラム１５１がフィールドＰＣ１５の出力部１１７であるLCDに表示させる画面の例を示す図である。
【図１５】編集プログラム１５１がフィールドＰＣ１５の出力部１１７であるLCDに表示させる画面の例を示す図である。
【図１６】編集プログラム１５１がフィールドＰＣ１５の出力部１１７であるLCDに表示させる画面の例を示す図である。
【図１７】編集プログラム１５１がフィールドＰＣ１５の出力部１１７であるLCDに表示させる画面の例を示す図である。
【図１８】編集プログラム１５１がフィールドＰＣ１５の出力部１１７であるLCDに表示させる画面の例を示す図である。
【図１９】編集プログラム１５１がフィールドＰＣ１５の出力部１１７であるLCDに表示させる画面の例を示す図である。
【図２０】編集プログラム１５１がフィールドＰＣ１５の出力部１１７であるLCDに表示させる画面の例を示す図である。
【図２１】編集プログラム１５１がフィールドＰＣ１５の出力部１１７であるLCDに表示させる画面の例を示す図である。
【図２２】編集プログラム１５１がフィールドＰＣ１５の出力部１１７であるLCDに表示させる画面の例を示す図である。
【図２３】編集プログラム１５１がフィールドＰＣ１５の出力部１１７であるLCDに表示させる画面の例を示す図である。
【図２４】編集プログラム１５１がフィールドＰＣ１５の出力部１１７であるLCDに表示させる画面の例を示す図である。
【図２５】編集プログラム１５１がフィールドＰＣ１５の出力部１１７であるLCDに表示させる画面の例を示す図である。
【図２６】編集プログラム１５１がフィールドＰＣ１５の出力部１１７であるLCDに表示させる画面の例を示す図である。
【図２７】編集プログラム１５１がフィールドＰＣ１５の出力部１１７であるLCDに表示させる画面の例を示す図である。
【図２８】編集プログラム１５１がフィールドＰＣ１５の出力部１１７であるLCDに表示させる画面の例を示す図である。
【図２９】編集プログラム１５１がフィールドＰＣ１５の出力部１１７であるLCDに表示させる画面の例を示す図である。
【図３０】モニターウィンドウ７０１の構成を説明する図である。
【図３１】ディスクインフォメーションウィンドウ３１１の表示の動作およびモニターウィンドウ３１３の表示の動作を説明する図である。
【図３２】ストラクチャーウィンドウ３１２の表示の動作およびモニターウィンドウ７０１の表示の動作を説明する図である。
【図３３】モニターウィンドウ３１３の動作の詳細を説明する図である。
【図３４】モニターウィンドウ７０１の動作の詳細を説明する図である。
【図３５】モニターウィンドウ３１３の動作およびモニターウィンドウ７０１の動作を説明する図である。
【図３６】モニターウィンドウ３１３の動作およびモニターウィンドウ７０１の動作を説明する図である。
【図３７】ディスクインフォメーションウィンドウ３１１の動作の詳細を説明する図である。
【図３８】ストラクチャーウィンドウ３１２の動作の詳細を説明する図である。
【図３９】メニューコマンドを説明する図である。
【図４０】メニューコマンドを説明する図である。
【図４１】編集プログラム１５１の処理の流れを説明する図である。
【図４２】図４１の基本操作１の処理を説明するフローチャートである。
【図４３】図４１の基本操作２の処理を説明するフローチャートである。
【図４４】図４１の基本操作３の処理を説明するフローチャートである。
【図４５】図４１におけるストラクチャー操作の処理を説明するフローチャートである。
【図４６】図４１におけるストラクチャー操作の処理を説明するフローチャートである。
【図４７】図４１におけるストラクチャー操作の処理を説明するフローチャートである。
【図４８】編集プログラム１５１の他の処理を説明するフローチャートである。
【図４９】編集プログラム１５１の他の処理を説明するフローチャートである。
【図５０】編集プログラム１５１の他の処理を説明するフローチャートである。
【図５１】編集プログラム１５１の他の処理を説明するフローチャートである。
【図５２】エッセンスマークの設定の処理を説明するフローチャートである。
【図５３】エッセンスマークの表示の処理を説明するフローチャートである。
【図５４】代表画の設定の処理を説明するフローチャートである。
【図５５】代表画の表示の処理を説明するフローチャートである。
【図５６】編集プログラムの他の構成の例を示すブロック図である。
【図５７】映像プログラムの制作における、構成表、取材指示、編集に関するデータの取り扱いを説明する図である。
【図５８】取材指示データの例を示す図である。
【図５９】取材指示データの例を示す図である。
【符号の説明】
【０６７５】
１５  フィールドＰＣ，  １７  光ディスク，  １１１  ＣＰＵ，  １１２  ＲＯＭ，  １１３  ＲＡＭ，  １１４  ハードディスク，  １１９  通信部，  １３１  磁気ディスク，  １３２  光ディスク，  １３３  光磁気ディスク，  １３４  半導体メモリ，  １５１  編集プログラム，  １６１  ディスク映像モニタプログラム，  １６２  ディスク情報表示プログラム，  １６３  構成表設定表示プログラム，  １６４  構成表映像モニタプログラム，  １６５  エッセンスマークリスト編集プログラム，  １６６  検索プログラム，  １６７  通信プログラム，  １６８  印刷プログラム，  １７１  エッセンスマーク表示プログラム，  １７２  映像表示プログラム，  １７３  映像編集プログラム，  １７４  タイトル設定プログラム，  １７５  エッセンスマーク入力プログラム，  １７６  ディスク情報ツリー表示プログラム，  １７７  サムネイル／リスト表示プログラム，  １７８  付加情報表示プログラム，  １７９  構成表ツリー表示プログラム，  １８０  付加情報表示プログラム，  １８１  代表画設定表示プログラム，  １８２  サムネイル表示プログラム，  １８３  映像編集プログラム，  １８４  エッセンスマーク表示プログラム，  １８５  映像表示プログラム，  １８６  映像編集プログラム，  １８７  構成表表示プログラム，  １８８  代表画設定表示プログラム，  ８０１  ディスク情報映像表示プログラム，  ８０２  ディスク情報設定表示プログラム，  ８０３  構成表設定表示プログラム，  ８０４  構成表映像表示プログラム，  ８０５  エッセンスマークリスト編集プログラム，  ８０６  エッセンスマーク設定プログラム，  ８０７  検索プログラム，  ８０８  通信プログラム，  ８０９  印刷プログラム，  ８２１  エッセンスマークマーカ表示プログラム，  ８２２  映像表示プログラム，  ８２３  映像編集プログラム，  ８２４  ディスク情報ツリー表示プログラム，  ８２５  サムネイル／リスト表示プログラム，  ８２６  付加情報設定表示プログラム，  ８２７  代表画設定プログラム，  ８２８  構成表ツリー表示プログラム，  ８２９  付加情報設定表示プログラム，  ８３０  代表画設定表示プログラム，  ８３１  サムネイル表示プログラム，  ８３２  映像編集プログラム，  ８３３  エッセンスマークマーカ表示プログラム，  ８３４  映像表示プログラム，  ８３５  映像編集プログラム，  ８３６  構成表表示プログラム，  ８３７  エッセンスマーク入力プログラム
【図１】
2004319077.tif 000003
【図２】
2004319077.tif 000004
【図３】
2004319077.tif 000005
【図４】
2004319077.tif 000006
【図５】
2004319077.tif 000007
【図６】
2004319077.tif 000008
【図７】
2004319077.tif 000009
【図８】
2004319077.tif 000010
【図９】
2004319077.tif 000011
【図１０】
2004319077.tif 000012
【図１１】
2004319077.tif 000013
【図１２】
2004319077.tif 000014
【図１３】
2004319077.tif 000015
【図１４】
2004319077.tif 000016
【図１５】
2004319077.tif 000017
【図１６】
2004319077.tif 000018
【図１７】
2004319077.tif 000019
【図１８】
2004319077.tif 000020
【図１９】
2004319077.tif 000021
【図２０】
2004319077.tif 000022
【図２１】
2004319077.tif 000023
【図２２】
2004319077.tif 000024
【図２３】
2004319077.tif 000025
【図２４】
2004319077.tif 000026
【図２５】
2004319077.tif 000027
【図２６】
2004319077.tif 000028
【図２７】
2004319077.tif 000029
【図２８】
2004319077.tif 000030
【図２９】
2004319077.tif 000031
【図３０】
2004319077.tif 000032
【図３１】
2004319077.tif 000033
【図３２】
2004319077.tif 000034
【図３３】
2004319077.tif 000035
【図３４】
2004319077.tif 000036
【図３５】
2004319077.tif 000037
【図３６】
2004319077.tif 000038
【図３７】
2004319077.tif 000039
【図３８】
2004319077.tif 000040
【図３９】
2004319077.tif 000041
【図４０】
2004319077.tif 000042
【図４１】
2004319077.tif 000043
【図４２】
2004319077.tif 000044
【図４３】
2004319077.tif 000045
【図４４】
2004319077.tif 000046
【図４５】
2004319077.tif 000047
【図４６】
2004319077.tif 000048
【図４７】
2004319077.tif 000049
【図４８】
2004319077.tif 000050
【図４９】
2004319077.tif 000051
【図５０】
2004319077.tif 000052
【図５１】
2004319077.tif 000053
【図５２】
2004319077.tif 000054
【図５３】
2004319077.tif 000055
【図５４】
2004319077.tif 000056
【図５５】
2004319077.tif 000057
【図５６】
2004319077.tif 000058
【図５７】
2004319077.tif 000059
【図５８】
2004319077.tif 000060
【図５９】
2004319077.tif 000061